(57)【要約】  本発明の実施形態は、制御チャネル送信方法、ネットワーク装置、及び端末装置を提供し、制御チャネルを取得するとき端末装置がブラインド検出を実行する回数が削減でき、端末装置のブラインド検出の複雑さが低減できるようにする。当該方法は、第１制御チャネルをM個の連続番号を付された第１送信要素にマッピングするステップであって、前記第１制御チャネルはデータチャネルをスケジューリングするために使用され、送信要素は、制御チャネルを送信するために使用される最小単位であり、M≧１である、ステップと、前記第１制御チャネルを端末装置へ送信するステップと、を含む。
2019534630.tif 000002
【特許請求の範囲】
【請求項１】
制御チャネル送信方法であって、前記方法は、
第１制御チャネルをM個の連続番号を付された第１送信要素にマッピングするステップであって、前記第１制御チャネルはデータチャネルをスケジューリングするために使用され、送信要素は、制御チャネルを送信するために使用される最小単位であり、M≧１である、ステップと、
前記第１制御チャネルを端末装置へ送信するステップと、
を含む方法。
【請求項２】
前記第１制御チャネルをM個の連続番号を付された第１送信要素にマッピングする前記ステップは、
前記第１制御チャネルが前記M個の第１送信要素の中の最大番号を有する送信要素に最初にマッピングされる順序で、前記第１制御チャネルを前記M個の連続番号を付された第１送信要素にマッピングするステップ、を含む、
請求項１に記載の方法。
【請求項３】
前記M個の第１送信要素の各々は、リソースエレメントREのT個のグループを含み、第１制御チャネルをM個の第１送信要素にマッピングする前記ステップは、
前記第１送信要素をマッピングするとき、先ず、ネットワーク装置により、前記M個の第１送信要素の各々の中のREのｉ番目のグループを占有し、次に、各第１送信要素の中のREの（ｉ＋１）番目のグループを占有するステップであって、T≧２、及びｉの値は１からTまでの範囲である、ステップ、を含む、
請求項１又は２に記載の方法。
【請求項４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項１乃至３のいずれか一項に記載の方法。
【請求項５】
前記データチャネルに対応するリソースにより占有される物理リソースブロックPRBは、番号がｋより小さい少なくとも１つの送信要素を含み、番号がｋである前記第１送信要素を含まない、請求項４に記載の方法。
【請求項６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項１乃至５のいずれか一項に記載の方法。
【請求項７】
前記方法は、
第１DMRSを前記端末装置へ送信するステップであって、前記第１DMRSは前記第１制御チャネルを復調するために使用される、ステップ、
を更に含む請求項１乃至６のいずれか一項に記載の方法。
【請求項８】
前記M個の第１送信要素は、前記第１DMRSにより占有されるシンボルに位置付けられる、請求項７に記載の方法。
【請求項９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項７又は８に記載の方法。
【請求項１０】
前記第１制御チャネルを前記端末装置へ送信するステップの前に、前記方法は、
前記端末装置へ、第２制御チャネルと、前記第２制御チャネルを復調するために使用される第２DMRSと、を送信するステップであって、前記第１制御チャネル及び前記第２制御チャネルのために同じアンテナポート及び同じプリコーディングが使用されて、前記端末装置が前記第１制御チャネルを前記第２DMRS及び前記第１DMRSに基づき復調するようにする、ステップ、
を更に含む請求項７乃至９のいずれか一項に記載の方法。
【請求項１１】
制御チャネル送信方法であって、前記方法は、
ネットワーク装置により送信された第１制御チャネルを受信するステップであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、ステップと、
前記第１制御チャネルに基づき前記データチャネルを受信する又は送信するステップと、
を含む方法。
【請求項１２】
前記第１制御チャネルを前記M個の連続番号を付された第１送信要素にマッピングする順序は、先ず、前記第１制御チャネルを、前記M個の第１送信要素の中で最大番号を有する送信要素にマッピングする、請求項１１に記載の方法。
【請求項１３】
前記M個の第１送信要素の各々は、リソースエレメントREのT個のグループを含み、前記第１制御チャネルを前記M個の連続番号を付された第１送信要素にマッピングするマッピング方法は、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、
請求項１１又は１２に記載の方法。
【請求項１４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項１１乃至１３のいずれか一項に記載の方法。
【請求項１５】
前記データチャネルに対応するリソースにより占有される物理リソースブロックPRBは、番号がｋより小さい少なくとも１つの送信要素を含み、番号がｋである前記第１送信要素を含まない、請求項１４に記載の方法。
【請求項１６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項１１乃至１５のいずれか一項に記載の方法。
【請求項１７】
前記方法は、
前記ネットワーク装置により送信された第１DMRSを受信するステップであって、前記第１DMRSは前記第１制御チャネルを復調するために使用される、ステップ、
を更に含む請求項１１乃至１６のいずれか一項に記載の方法。
【請求項１８】
前記M個の第１送信要素は、前記第１DMRSにより占有されるシンボルに位置付けられる、請求項１７に記載の方法。
【請求項１９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項１７又は１８に記載の方法。
【請求項２０】
ネットワーク装置により送信された第１制御チャネルを受信するステップの前に、前記方法は、
前記ネットワーク装置により送信された、第２制御チャネルと、前記第２制御チャネルを復調するために使用される第２DMRSと、を受信するステップであって、前記第１制御チャネル及び前記第２制御チャネルのために同じアンテナポート及び同じプリコーディングが使用される、ステップ、
を更に含み、
ネットワーク装置により送信された第１制御チャネルを受信する前記ステップは、
前記第１制御チャネルを前記第２DMRS及び前記第１DMRSに基づき復調するステップを含む、
請求項１７乃至１９のいずれか一項に記載の方法。
【請求項２１】
ネットワーク装置であって、前記ネットワーク装置は、
第１制御チャネルをM個の連続番号を付された第１送信要素にマッピングするよう構成される処理モジュールであって、送信要素は制御チャネルを送信するために使用される最小単位であり、前記第１制御チャネルはデータチャネルをスケジューリングするために使用され、M≧１である、処理モジュールと、
前記第１制御チャネルを端末装置へ送信するよう構成される送信モジュールと、
を含むネットワーク装置。
【請求項２２】
前記処理モジュールは具体的に、前記第１制御チャネルが、先ず、前記M個の第１送信要素の中で最大番号を有する送信要素にマッピングされる順序で、前記第１制御チャネルを前記M個の連続番号を付された第１送信要素にマッピングするよう構成される、請求項２１に記載のネットワーク装置。
【請求項２３】
前記M個の第１送信要素の各々は、リソースエレメントREのT個のグループを含み、
前記処理モジュールは、具体的に、前記第１制御チャネルをマッピングするとき、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される、
請求項２１又は２２に記載のネットワーク装置。
【請求項２４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項２１乃至２３のいずれか一項に記載のネットワーク装置。
【請求項２５】
前記データチャネルに対応するリソースにより占有される物理リソースブロックPRBは、番号がｋより小さい少なくとも１つの送信要素を含み、番号がｋである前記第１送信要素を含まない、請求項２４に記載のネットワーク装置。
【請求項２６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項２１乃至２５のいずれか一項に記載のネットワーク装置。
【請求項２７】
前記送信モジュールは、第１DMRSを前記端末装置へ送信し、前記第１DMRSは前記第１制御チャネルを復調するために使用される、よう更に構成される、請求項２１乃至２６のいずれか一項に記載のネットワーク装置。
【請求項２８】
前記M個の第１送信要素は、前記第１DMRSにより占有されるシンボルに位置付けられる、請求項２７に記載のネットワーク装置。
【請求項２９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項２７又は２８に記載のネットワーク装置。
【請求項３０】
前記第１制御チャネルを前記端末装置へ送信する前に、
前記送信モジュールは、前記端末装置へ、第２制御チャネルと、前記第２制御チャネルを復調するために使用される第２DMRSと、を送信し、前記第１制御チャネル及び前記第２制御チャネルのために同じアンテナポート及び同じプリコーディングが使用されて、前記端末装置が前記第１制御チャネルを前記第２DMRS及び前記第１DMRSに基づき復調するようにする、よう更に構成される、請求項２７乃至２９のいずれか一項に記載のネットワーク装置。
【請求項３１】
端末装置であって、前記端末装置は、
ネットワーク装置により送信された第１制御チャネルを受信するよう構成される通信モジュールであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、通信モジュール、を含み、
前記通信モジュールは、前記第１制御チャネルに基づき前記データチャネルを受信する又は前記第１制御チャネルに基づき前記データチャネルを送信するよう更に構成される、端末装置。
【請求項３２】
前記第１制御チャネルを前記M個の連続番号を付された第１送信要素にマッピングする順序は、先ず、前記第１制御チャネルを、前記M個の第１送信要素の中で最大番号を有する送信要素にマッピングする、請求項３１に記載の端末装置。
【請求項３３】
前記M個の第１送信要素の各々は、リソースエレメントREのT個のグループを含み、前記第１制御チャネルを前記M個の連続番号を付された第１送信要素にマッピングするマッピング方法は、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、
請求項３１又は３２に記載の端末装置。
【請求項３４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項３１乃至３３のいずれか一項に記載の端末装置。
【請求項３５】
前記データチャネルに対応するリソースにより占有される物理リソースブロックPRBは、番号がｋより小さい少なくとも１つの送信要素を含み、番号がｋである前記第１送信要素を含まない、請求項３４に記載の端末装置。
【請求項３６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項３１乃至３５のいずれか一項に記載の端末装置。
【請求項３７】
前記通信モジュールは、前記ネットワーク装置により送信された第１DMRSを受信し、前記第１DMRSは前記第１制御チャネルを復調するために使用される、よう更に構成される、請求項３１乃至３６のいずれか一項に記載の端末装置。
【請求項３８】
前記M個の第１送信要素は、前記第１DMRSにより占有されるシンボルに位置付けられる、請求項３７に記載の端末装置。
【請求項３９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項３７又は３８に記載の端末装置。
【請求項４０】
前記通信モジュールが前記第１制御チャネルを受信する前に、
前記通信モジュールは、前記ネットワーク装置により送信された、第２制御チャネルと、前記第２制御チャネルを復調するために使用される第２DMRSと、を受信し、前記第１制御チャネル及び前記第２制御チャネルのために同じアンテナポート及び同じプリコーディングが使用される、よう更に構成され、
前記端末装置は、前記第１制御チャネルを前記第２DMRS及び前記第１DMRSに基づき復調するよう構成される処理モジュールを更に含む、請求項３７乃至３９のいずれか一項に記載の端末装置。
【発明の詳細な説明】
【技術分野】
【０００１】
本発明は、通信分野に関し、より具体的には、制御チャネル送信方法、ネットワーク装置、及び端末装置に関する。
【背景技術】
【０００２】
標準的な無線通信ネットワーク、例えばロングタームエボリューション（Long  Term  Evolution、ＬTＥ）ネットワークでは、共有データチャネル（Shared  Data  Channels）の選択は、スケジューリング／許可（Scheduling/Grant）メカに済みに基づき、基地局（Base  Station、略称：「ＢＳ」）により完全に制御される。本メカニズムでは、ネットワーク装置は、端末装置へ、データチャネルをスケジューリングするために使用される制御チャネルを送信する。制御チャネルは、２つのカテゴリに分類されて良い。１つはダウンリンク許可（Downlink  Grant、DL  Grant）である。ネットワーク装置は、ダウンリンク許可を端末装置へ送信して、端末装置に割り当てられたダウンリンク送信リソースを端末装置に通知する。したがって、端末装置は、許可されたダウンリンク送信リソース上でダウンリンクデータを受信する。もう１つは、アップリンク許可（Uplink  Grant、UL  Grant）である。ネットワーク装置は、アップリンク許可を端末装置へ送信して、端末装置に割り当てられたアップリンク送信リソースを端末装置に通知する。したがって、端末装置は、許可されたアップリンク送信リソース上でアップリンクデータを送信する。
【０００３】
制御チャネルを送信するとき、ネットワーク装置は、制御チャネルを制御チャネル要素（Control  Channel  Element、CCE）にマッピングする必要がある。しかしながら、ネットワーク装置は、制御チャネルをマッピングするとき、ランダムマッピングを実行する。結果として、端末装置は、制御チャネルを取得するためにブラインド検出を複数回実行しなければならず、端末装置によるＣＣＥ上のブラインド検出の複雑性が高い。
【発明の概要】
【０００４】
本願は、制御チャネル送信方法、ネットワーク装置、及び端末装置を提供し、端末装置がブラインド検出を実行する回数が削減でき、端末装置のブラインド検出の複雑さが低減できるようにする。
【０００５】
第１の態様によると、制御チャネル送信方法が提供される。当該方法は、第１制御チャネルをM個の連続番号を付された第１送信要素にマッピングするステップであって、前記第１制御チャネルはデータチャネルをスケジューリングするために使用され、送信要素は、制御チャネルを送信するために使用される最小単位であり、M≧１である、ステップと、前記第１制御チャネルを端末装置へ送信するステップと、を含む。
【０００６】
本ソリューションでは、制御チャネルはM個の連続番号を付された送信要素にマッピングされ、端末装置がブラインド検出を実行する回数が削減でき、端末装置のブラインド検出の複雑さが低減できるようにする。
【０００７】
第１の態様の可能な実装では、前記第１制御チャネルをM個の連続番号を付された第１送信要素にマッピングする前記ステップは、前記第１制御チャネルが前記M個の第１送信要素の中の最大番号を有する送信要素に最初にマッピングされる順序で、前記第１制御チャネルを前記M個の連続番号を付された第１送信要素にマッピングするステップ、を含む。
【０００８】
本ソリューションでは、第１制御チャネルをマッピングするとき、ネットワーク装置は、先ず、第１制御チャネルを最大番号を有する送信要素にマッピングする。ブラインド検出中、端末装置は、制御チャネルが先ず最大番号を有する送信要素にマッピングされると仮定されるときのみ、復調を正しく実行できる。この方法では、最大番号を有し且つ制御チャネルを送信するために使用される送信要素が決定でき、端末装置が占有された送信要素を正しく識別する確率が向上され得る。
【０００９】
任意で、第１の態様の可能な実装では、第１制御チャネルをM個の連続番号を付された第１送信要素にマッピングする前記ステップは、前記第１制御チャネルを前記M個の連続番号を付された第１送信要素に番号の降順にマッピングするステップを含む。
【００１０】
本ソリューションでは、マッピングは番号の降順（又は逆順）に実行され、最大番号を有し且つ制御チャネルを送信するために使用される送信要素が決定できるだけでなく、ネットワーク装置により制御チャネルをマッピングする際の効率も向上できる。
【００１１】
任意で、第１の態様の可能な実装では、第１制御チャネルをM個の連続番号を付された第１送信要素にマッピングする前記ステップは、前記第１制御チャネルを前記M個の連続番号を付された第１送信要素に、マッピングが番号インターリービング方法で実行される順序で、マッピングするステップを含む。
【００１２】
本ソリューションでは、端末装置が占有された送信要素を正しく識別する確率が向上できる。
【００１３】
第１の態様の可能な実装では、前記M個の第１送信要素の各々は、リソースエレメントREのT個のグループを含み、第１制御チャネルをM個の第１送信要素にマッピングする前記ステップは、前記第１送信要素をマッピングするとき、先ず、ネットワーク装置により、前記M個の第１送信要素の各々の中のREのｉ番目のグループを占有し、次に、各第１送信要素の中のREの（ｉ＋１）番目のグループを占有するステップであって、T≧２、及びｉの値は１からTまでの範囲である、ステップ、を含む。
【００１４】
本ソリューションでは、ネットワーク装置は、この方法でマッピングを実行し、１つの制御チャネルを異なる集約レベルに対応する１又は複数の送信要素にマッピングする方法が異なるようにし、したがって、端末装置は、ブラインド検出を通じて、制御チャネルを送信するために使用される送信要素を決定できる。さらに、本マッピング方法は、ダイバーシティ利得を得るために、１つの送信要素が異なる符号変調シンボルを含むことを可能にする。
【００１５】
第１の態様の可能な実装では、前記データチャネルは、ダウンリンクデータチャネルであり、前記M個の連続番号を付された第１送信要素のうちの最大番号はｋであり、前記データチャネルに対応するリソースは少なくとも１つの第２送信要素を含み、前記少なくとも１つの第２送信要素の各々に対応する番号はｋより大きい。
【００１６】
本ソリューションでは、端末装置は、ブラインド検出を通じて、最大番号を有し且つ制御チャネルを送信するために使用される送信要素を正しく決定し、番号が最大番号以下の全ての送信要素が制御チャネルを送信するために使用されることを決定し得る。それによりデータレートマッチング誤りの発生を回避する。さらに、番号がkより大きい少なくとも１つの第２送信要素は、ダウンリンクデータチャネルを送信するために使用でき、リソース利用率が向上できる。
【００１７】
第１の態様の可能な実装では、データチャネルに対応するリソースにより占有される物理リソースブロックPRBは、番号がｋより小さい少なくとも１つの送信要素を含み、番号がｋである第１送信要素を含まない。言い換えると、データチャネルに対応するリソースにより占有されるPRBは、番号がkである第１送信要素を含まない、又はデータチャネルに対応するリソースにより占有されるPRB及び番号がkである第１送信要素は、周波数ドメインで重なり合わない。
【００１８】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【００１９】
第１の態様の可能な実装では、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【００２０】
本ソリューションでは、１つの第１送信要素が複数のPRBに位置付けられて、１又は複数の送信要素に対してブラインド検出を実行するとき、端末装置が、チャネル推定を、複数のPRBを用いて一緒に実行できるようにし、それによりチャネル推定性能を向上する。
【００２１】
第１の態様の可能な実装では、方法は、第１DMRSを端末装置へ送信するステップであって、前記第１DMRSは前記第１制御チャネルを復調するために使用される、ステップを更に含む。
【００２２】
第１の態様の可能な実装では、前記M個の第１送信要素は前記第１DMRSにより占有されるシンボル内に位置付けられる。
【００２３】
本ソリューションでは、M個の第１送信要素は第１DMRSにより占有されるシンボル内にのみ位置付けられ、異なるsTTI長における制御チャネル設計が統一され得るようにし、それにより、ネットワーク装置により実行されるスケジューリング及び端末装置により実行されるブラインド検出を実現する。さらに、端末装置は、第１DMRSを取得するとき第１制御チャネルを取得でき、端末装置により第１DMRSに基づき第１制御チャネルを復調する際の効率が向上できる。
【００２４】
第１の態様の可能な実装では、前記データチャネルはダウンリンクデータチャネルであり、前記データチャネルに対応するリソースは、少なくとも１つの第３送信要素を含み、前記データチャネルに対応するアンテナポートは、前記少なくとも１つの第３送信要素の各々に対応するアンテナポートを含む。
【００２５】
本ソリューションでは、送信要素がデータチャネルを送信するために使用可能であるか否かは、送信要素に対応するアンテナポートとデータチャネルに対応するアンテナポートとの関係を用いて決定され（データチャネルに対応するリソースに含まれる送信要素に対応するアンテナポートは、データチャネルに対応するアンテナポートの部分集合又は全体集合である）、端末装置がデータチャネルに対応するリソースに含まれる送信要素の中でどの送信要素がデータチャネルを送信するために使用可能かを見分けるようにし、したがって、シグナリング指示オーバヘッドが削減できる。
【００２６】
第１の態様の可能な実装では、前記第１制御チャネルを前記端末装置へ送信する前記ステップの前に、前記方法は、前記端末装置へ、第２制御チャネルと、前記第２制御チャネルを復調するために使用される第２ＤMＲＳと、を送信するステップであって、前記第１制御チャネル及び前記第２制御チャネルのために同じアンテナポート及び同じプリコーディングが使用されて、前記端末装置が前記第１制御チャネルを前記第２ＤMＲＳ及び前記第１ＤMＲＳに基づき復調するようにする、ステップを更に含む。
【００２７】
本ソリューションでは、ネットワーク装置は、同じ端末装置へ同じアンテナポート及び同じプリコーディングを用いて、同じ周波数内にあるが異なる時間にある第１制御チャネル及び第２制御チャネルを送信し、第１DMRS及び第２DMRSは第１制御チャネル及び第２制御チャネルに対応し、端末装置が、チャネル推定を、時間ドメインにおいて異なる位置にある２つのDMRSを用いて一緒に実行できるようにし、それによりチャネル推定性能を向上する。
【００２８】
任意で、前記ネットワーク装置は、前記端末装置の前記データチャネルに対応するリソースに含まれる少なくとも４個の送信要素が第２端末装置の第３制御チャネルを送信するために使用されると決定し、前記第１端末装置の前記データチャネルに対応するアンテナポートは、前記第３制御チャネルに対応するアンテナポートと異なり、前記第１端末装置の前記データチャネルのために１つの送信ポートが存在する。
【００２９】
第２の態様によると、制御チャネル送信方法が提供される。前記方法は、ネットワーク装置により送信された第１制御チャネルを受信するステップであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、ステップと、前記第１制御チャネルに基づき前記データチャネルを受信する又は送信するステップと、を含む。
【００３０】
本ソリューションでは、ネットワーク装置は、制御チャネルをM個の連続番号を付された送信要素にマッピングし、端末装置がブラインド検出を実行する回数が削減でき、端末装置のブラインド検出の複雑さが低減できるようにする。
【００３１】
第２の態様の可能な実装では、前記第１制御チャネルを前記M個の連続番号を付された第１送信要素にマッピングする順序は、先ず、前記第１制御チャネルを、前記M個の第１送信要素の中で最大番号を有する送信要素にマッピングする。
【００３２】
本ソリューションでは、復調は、制御チャネルが先ず最大番号を有する送信要素にマッピングされると仮定されるときのみ、正しく実行できる。本方法では、最大番号を有し且つ制御チャネルを送信するために使用される送信要素が決定でき、番号が最大番号以下である全ての送信要素が制御チャネルを送信するために使用されると決定できる。
【００３３】
任意で、第２の態様の可能な実装では、前記第１制御チャネルを前記M個の第１送信要素にマッピングするマッピング方法は、番号の降順にマッピングを実行することである。
【００３４】
本ソリューションでは、マッピングは番号の降順（逆順）で実行され、端末装置が占有された送信要素を正しく識別する確率が向上できるだけでなく、端末装置が第１制御チャネルを取得する確率も向上できるようにする。
【００３５】
任意で、第２の態様の可能な実装では、前記第１制御チャネルを前記M個の第１送信要素にマッピングする前記ステップは、番号インターリービング方法で実行される。
【００３６】
本ソリューションでは、端末装置が占有された送信要素を正しく識別する確率が向上できる。
【００３７】
第２の態様の可能な実装では、前記第１制御チャネルをマッピングする方法は、先ず、前記M個の第１送信要素の各々の中のREのi番目のグループを占有し、次に、各第１送信要素の中のREの（i+１）番目のグループを占有する。ここで、T≧２、iの値は１〜Tの範囲である。
【００３８】
本ソリューションでは、１つの制御チャネルを異なる集約レベルに対応する１又は複数の送信要素にマッピングする方法が異なり、端末装置は、ブラインド検出を通じて、制御チャネルを送信するために使用される送信要素を決定できる。さらに、ダイバーシティ利得を得るために、１つの送信要素が異なる符号変調シンボルを含み得る。
【００３９】
第２の態様の可能な実装では、前記データチャネルは、ダウンリンクデータチャネルであり、前記M個の連続番号を付された第１送信要素のうちの最大番号はｋであり、前記データチャネルに対応するリソースは少なくとも１つの第２送信要素を含み、前記少なくとも１つの第２送信要素の各々に対応する番号はｋより大きい。
【００４０】
本ソリューションでは、端末装置は、ブラインド検出を通じて、最大番号を有し且つ制御チャネルを送信するために使用される送信要素を正しく決定し、番号が最大番号以下の全ての送信要素が制御チャネルを送信するために使用されることを決定し得る。それによりデータレートマッチング誤りの発生を回避する。
【００４１】
第２の態様の可能な実装では、データチャネルに対応するリソースにより占有される物理リソースブロックPRBは、番号がｋより小さい少なくとも１つの送信要素を含み、番号がｋである第１送信要素を含まない。データチャネルに対応するリソースにより占有されるPRBは、番号がkである第１送信要素を含まない。言い換えると、データチャネルに対応するリソースにより占有されるPRB及び番号がkである第１送信要素は周波数ドメインにおいて重なり合わない。
【００４２】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【００４３】
第２の態様の可能な実装では、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【００４４】
本ソリューションでは、１つの第１送信要素が複数のPRBに位置付けられて、１又は複数の送信要素に対してブラインド検出を実行するとき、端末装置が、チャネル推定を、複数のPRBを用いて一緒に実行できるようにし、それによりチャネル推定性能を向上する。
【００４５】
第２の態様の可能な実装では、前記方法は、前記ネットワーク装置により送信された第１DMRSを受信するステップであって、前記第１DMRSは前記第１制御チャネルを復調するために使用される、ステップを更に含む。
【００４６】
第２の態様の可能な実装では、前記M個の第１送信要素は前記第１DMRSにより占有されるシンボル内に位置付けられる。
【００４７】
本ソリューションでは、M個の第１送信要素は第１DMRSにより占有されるシンボル内にのみ位置付けられ、異なるsTTI長における制御チャネル設計が統一され得るようにし、それにより、ネットワーク装置により実行されるスケジューリング及び端末装置により実行されるブラインド検出を実現する。さらに、端末装置は、第１DMRSを取得するとき第１制御チャネルを取得し、端末装置により第１DMRSに基づき第１制御チャネルを復調する際の効率が向上できる。
【００４８】
第２の態様の可能な実装では、前記データチャネルはダウンリンクデータチャネルであり、前記データチャネルに対応するリソースは、少なくとも１つの第３送信要素を含み、前記データチャネルに対応するアンテナポートは、前記少なくとも１つの第３送信要素の各々に対応するアンテナポートを含む。
【００４９】
本ソリューションでは、送信要素がデータチャネルを送信するために使用可能であるか否かは、送信要素に対応するアンテナポートとデータチャネルに対応するアンテナポートとの間の関係を用いて決定され（データチャネルに対応するリソースに含まれる送信要素に対応するアンテナポートは、データチャネルに対応するアンテナポートの部分集合又は全体集合である）、データチャネルに対応するリソースに含まれる送信要素に対応するアンテナポートが、データチャネルに対応するアンテナポートの部分集合又は全体集合であり、端末装置が、データチャネルに対応するリソースに含まれる送信要素の中のどの送信要素がデータチャネルを送信するために使用可能かを見分けられるようにする。
【００５０】
第２の態様の可能な実装では、ネットワーク装置により送信された第１制御チャネルを受信する前記ステップの前に、前記方法は、前記ネットワーク装置により送信された、第２制御チャネルと、前記第２制御チャネルを復調するために使用される第２ＤMＲＳと、を受信するステップであって、前記第１制御チャネル及び前記第２制御チャネルのために同じアンテナポート及び同じプリコーディングが使用される、ステップを更に含み、ネットワーク装置により送信された第１制御チャネルを受信する前記ステップは、前記第１制御チャネルを前記第２ＤMＲＳ及び前記第１ＤMＲＳに基づき復調するステップを含む。
【００５１】
本ソリューションでは、端末装置は、チャネル推定を、時間ドメインで異なる位置にある２個のDMRSを用いて一緒に実行して、チャネル推定性能が向上され得るようにする。
【００５２】
第３の態様によると、ネットワーク装置が提供され、第１の態様及び第１の態様の可能な実装のうちのいずれか１つにおける方法を実行するよう構成される。具体的に、ネットワーク装置は、第１の態様及び第１の態様の可能な実装のうちのいずれか１つにおける方法を実行するよう構成されるモジュールを含む。
【００５３】
第４の態様によると、端末装置が提供され、第２の態様及び第２の態様の可能な実装のうちのいずれか１つにおける方法を実行するよう構成される。具体的に、端末装置は、第２の態様及び第２の態様の可能な実装のうちのいずれか１つにおける方法を実行するよう構成されるモジュールを含む。
【００５４】
第５の態様によると、ネットワーク装置が提供される。前記ネットワーク装置は、プロセッサ、通信機、及びメモリを含む。任意で、前記ネットワーク装置はバスシステムを更に含む。前記通信機、前記メモリ、及び前記プロセッサは、前記バスシステムを用いて接続される。前記メモリは、命令を格納するよう構成される。前記プロセッサは、前記メモリに格納された前記命令を実行して、前記通信機を、信号を受信し又は送信するよう制御するよう構成され、前記プロセッサが前記メモリに格納された前記命令を実行すると、前記プロセッサは、第１の態様及び第１の態様の可能な実装のうちのいずれか１つにおける方法を実行する。
【００５５】
第６の態様によると、端末装置が提供される。前記端末装置は、プロセッサ、通信機、及びメモリを含む。任意で、前記端末装置はバスシステムを更に含む。前記通信機、前記メモリ、及び前記プロセッサは、前記バスシステムを用いて接続される。前記メモリは、命令を格納するよう構成される。前記プロセッサは、前記メモリに格納された前記命令を実行して、前記通信機を、信号を受信し又は送信するよう制御するよう構成され、前記プロセッサが前記メモリに格納された前記命令を実行すると、前記プロセッサは、第２の態様及び第２の態様の可能な実装のうちのいずれか１つにおける方法を実行する。
【００５６】
第７の態様によると、コンピュータ記憶媒体が提供される。前記コンピュータ記憶媒体はプログラムコードを格納し、前記プログラムコードは、第１の態様及び第１の態様の可能な実装のうちのいずれか１つにおける方法を実行するよう指示するために使用される。
【００５７】
第８の態様によると、コンピュータ記憶媒体が提供される。前記コンピュータ記憶媒体はプログラムコードを格納し、前記プログラムコードは、第２の態様及び第２の態様の可能な実装のうちのいずれか１つにおける方法を実行するよう指示するために使用される。
【図面の簡単な説明】
【００５８】
本発明の実施形態の技術的ソリューションをより明確に記載するために、本発明の実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００５９】
【図１】本発明の一実施形態による制御チャネル送信方法の概略フローチャートである。
【００６０】
【図２】本発明の一実施形態による制御チャネル送信方法の別の概略フローチャートである。
【００６１】
【図３】本発明の一実施形態による制御チャネルリソース割り当ての一例の概略図である。
【００６２】
【図４Ａ】本発明の一実施形態によるリソースマッピング図の別の例の概略図である。
【００６３】
【図４Ｂ】本発明の一実施形態によるリソースマッピング図の更に別の例の概略図である。
【００６４】
【図４Ｃ】本発明の一実施形態によるリソースマッピング図のまた別の例の概略図である。
【００６５】
【図５Ａ】本発明の一実施形態によるリソースマッピング図の更に別の例の概略図である。
【００６６】
【図５Ｂ】本発明の一実施形態によるリソースマッピング図のまた別の例の概略図である。
【００６７】
【図５Ｃ】本発明の一実施形態によるリソースマッピング図の更に別の例の概略図である。
【００６８】
【図６】本発明の一実施形態による制御チャネルリソース割り当ての概略図である。
【００６９】
【図７】本発明の一実施形態によるリソースマッピング図の更に別の例の概略図である。
【００７０】
【図８】本発明の一実施形態によるネットワーク装置の一例の概略ブロック図である。
【００７１】
【図９】本発明の一実施形態による端末装置の一例の概略ブロック図である。
【００７２】
【図１０】本発明の一実施形態によるネットワーク装置の別の例の概略ブロック図である。
【００７３】
【図１１】本発明の一実施形態による端末装置の別の例の概略ブロック図である。
【発明を実施するための形態】
【００７４】
以下に、本発明の実施形態の添付の図面を参照して、本発明の実施形態における技術的ソリューションを明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００７５】
以下に、本発明の実施形態の添付の図面を参照して、本発明の実施形態における技術的ソリューションを明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００７６】
本願明細書で使用される「コンポーネント」、「モジュール」及び「システム」のような用語は、コンピュータ関連エンティティ、ハードウェア、ファームウェア、ハードウェアとソフトウェアの組み合わせ、ソフトウェア、又は実行中のソフトウェアを示すために使用される。例えば、コンポーネントは、プロセッサで実行するプロセス、プロセッサ、オブジェクト、実行ファイル、実行スレッド、プログラム、及び／又はコンピュータであって良いが、これらに限定されない。コンピューティング装置で実行するコンピューティング装置及びアプリケーションは両方とも、図中に示されるコンポーネントであって良い。Ｆ個のコンポーネントは、プロセス及び／又は実行スレッド内に存在して良く、コンポーネントは１つのコンピュータに配置され及び／又は２以上のコンピュータに分散されて良い。さらに、これらのコンポーネントは、種々のデータ構造を格納する種々のコンピュータ可読媒体から実行されて良い。コンポーネントは、Ｆ個のデータパケットを有する信号（例えば、ローカルシステム、分散システム、及び／又は別のネットワーク、例えば他のシステムと信号を用いて相互作用するインターネット、内の別のコンポーネントと相互作用する２つのコンポーネントからのデータ）に基づき、ローカル及び／又はリモートプロセスを使用することにより、通信して良い。
【００７７】
本発明の実施形態のソリューションは、既存のセルラ通信システム、例えばグローバルシステム・フォー・モバイルコミュニケーションズ（英語正式名：Global  System  for  Mobile  Communications、略称：GSM）、符号分割多重接続（英語正式名：Code  Division  Multiple  Access、略称：CDMA）システム、広帯域符号分割多重接続（英語正式名：Wideband  Code  Division  Multiple  Access、略称：WCDMA）システム、汎用パケット無線サービス（英語正式名：General  Packet  Radio  Service、略称：GPRS）システム、ユニバーサル・モバイル・テレコミュニケーションシステム（英語正式名：Universal  Mobile  Telecommunications  System、略称：UMTS）、又はロングタームエボリューション（英語正式名：Long  Term  Evolution、略称：LTE）システム、に適用されて良く、特に４．５Ｇ進化型ＬTＥシステム及び５Ｇ無線通信システムに適用される。サポートされる通信は、主に音声及びデータ通信である。通常、伝統的な基地局は、限られた数の接続をサポートし、実装が容易である。
【００７８】
実施形態は、本発明では、端末装置を参照して記載される。端末装置は、ユーザ機器（UE、User  Equipment）、アクセス端末、加入者ユニット、加入者局、移動局、移動体、リモート局、リモート端末、モバイル装置、ユーザ端末、端末、無線通信装置、ユーザエージェント、又はユーザ装置としても参照される場合がある。端末装置は、無線ローカルエリアネットワーク（Wireless  Local  Area  Networks、WLAN）内にある局（Station、ST）であって良く、又はセルラ電話機、コードレス電話機、セッション開始プロトコル（Session  Initiation  Protocol、SIP）電話機、無線ローカルループ（Wireless  Local  Loop、WLL）局、パーソナルデジタルアシスタント（Personal  Digital  Assistant、PDA）装置、無線通信機能を備えるハンドヘルド装置、無線モデムに接続されるコンピューティング装置又は別の処理装置、車内装置、ウェアラブル装置、将来の５Ｇネットワークにおける端末装置、又は将来の進化型PLMNネットワークにおける端末装置、等であって良い。これは、本発明において限定されない。
【００７９】
さらに、実施形態は、本発明では、ネットワーク装置を参照して記載される。ネットワーク装置は、モバイル装置と通信するよう構成される装置であって良い。ネットワーク装置は、ＷＬＡNにおけるアクセスポイント（Access  Point、AP）、GSM又は符号分割多重接続（Code  Division  Multiple  Access、CDMA）における基地通信局（Base  Transceiver  Station、BTS）であって良く、WCDMAにおけるNodeB（NodeB、NB）であって良く、又はロングタームエボリューション（Long  Term  Evolution、LTE）における進化型NodeB（Evolutional  NodeB、eNB、又はeNodeB）、中継局若しくはアクセスポイント、車内装置、ウェアラブル装置、将来の５Ｇネットワークにおけるネットワーク装置、又は将来の進化型PLMNネットワークにおけるネットワーク装置、等であって良い。これは、本発明において限定されない。
【００８０】
理解されるべきことに、本発明の実施形態の技術的ソリューションは、ＬTＥシステム又は５Ｇシステムのような種々の通信システムに適用されて良く、又は制御チャネルが送信される必要のある他の通信システムに適用されて良い。
【００８１】
更に理解されるべきことに、アップリンクシンボルは、シングルキャリア周波数分割多重接続（Single  Carrier  Frequency  Division  Multiple  Access、SC−FDMA）シンボルとして参照され、ダウンリンクシンボルは、直交周波数分割多重（Orthogonal  Frequency  Division  Multiplexing、OFDM）シンボルとして参照される。直交周波数分割多重接続（Orthogonal  Frequency  Division  Multiple  Access、OFDMA）のアップリンク多重アクセスモードが将来の５Ｇ技術又はＬTＥ技術の進化に導入される場合、アップリンクシンボルはＯＦＤMシンボルとしても参照され得る。本発明の実施形態では、アップリンクシンボル及びダウンリンクシンボルは集合的にシンボルとして参照される。代替として、本発明の実施形態の技術的ソリューションにおいて言及されるシンボルは、別の種類の通信におけるシンボルであって良い。これは、本発明の実施形態において限定されない。
【００８２】
実施形態は、本発明では、物理チャネルを参照して記載される。物理チャネルは、具体的に、データ情報及び／又は制御情報を送信するために使用される。本発明の本実施形態では、物理チャネルは、以下：PUSCH（physical  uplink  shared  channel、物理アップリンク共有チャネル）、PDCCH（Physical  Downlink  Control  Channel物理ダウンリンク制御チャネル）、EPDCCH（Enhanced−Physical  Downlink  Control  Channel拡張物理ダウンリンク制御チャネル）MPDCCH（MTC  physical  downlink  control  channel、MTC物理ダウンリンク制御チャネル）、PCFICH（Physical  Control  Format  Indicator  Channel、物理制御フォーマット指示チャネル）、PHICH（Physical  hybrid  ARQ  indicator  channel、物理ハイブリッドARQ指示子チャネル）、PDSCH（Physical  Downlink  Shared  Channel、物理ダウンリンク共有チャネル）等、のうちの１つ又は組合せを含んで良く、又は、標準に新たに導入される及び異なる名称であるが同じ機能を持つ、例えば制御チャネル又はショートTTI送信に導入されるデータチャネル、チャネルであって良い。
【００８３】
実施形態は、本発明では、復調参照信号を参照して記載される。参照信号（Reference  Signal、RS）は、物理レイヤで使用され、上位レイヤからのデータ情報、例えばダウンリンクで使用されるセル固有参照信号（Cell−specific  Reference  Signal、CRS）、ダウンリンクで使用される端末装置固有参照信号（UE−specific  Reference  Signal、UE−RS）、ダウンリンクで使用されるグループ固有参照信号（Group−specific  Reference  Signal、GRS）、アップリンクで使用される復調参照信号（Demodulation  Reference  Signal、DMRS）、又はサウンディング参照信号（Sounding  reference  signal、SRS）、を伝達しない。ダウンリンクで使用されるUE−RSは、ダウンリンクで使用される復調参照信号（Demodulation  Reference  Signal、DMRS）としても参照される。
【００８４】
ダウンリンクDMRSは、EPDCCH復調のために使用されるEPDCCH  DMRS及びPDSCH復調のために使用されるPDSCH  DMRSを含む。端末装置は、チャネル推定をDMRSに基づき実行し、次に対応するEPDCCH又はPDSCHを推定したチャネル値に基づき復調して、EPDCCH又はPDSCH上で伝達される様々なデータ、情報、信号、等を取得する。
【００８５】
理解されるべきことに、LTEシステム及び進化型LTEシステムでは、時間次元の観点からは、サブフレームの時間長は１msであり、通常巡回プレフィックス（Normal  Cyclic  Prefix、NCP）サブフレームは１４個のシンボルを含む。周波数次元の観点からは、最小単位はサブキャリアである。物理リソースブロック（Physical  Resource  Block、PRB）は周波数ドメインで１２個のサブキャリアを含む。リソースブロックグループ（Resource  Block  Group、RBG）は、整数個のPRBを含んで良い。時間次元及び周波数次元の両方の観点から、アンテナポート送信のために使用されるリソースの最小単位はリソースエレメント（Resource  Element、RE）である。１個のREは、時間ドメインにおいて１個のシンボル、及び周波数ドメインにおいて１個のサブキャリアを含む。リソースエレメントグループ（Resource−Element  Group、REG）は、整数個のREを含んで良い。
【００８６】
更に理解されるべきことに、短送信時間間隔（Short  Transmission  Time  Interval、sTTI）送信は、１サブフレームより短い長さのTTI又は１msより短い長さのTTIにおける送信である。例えば、sTTI長は、１シンボル、２シンボル、３シンボル、４シンボル、５シンボル、６シンボル、又は７シンボルである。代替として、１サブフレーム内のシンボルは、通常、整数個のsTTIに分割され、sTTI送信がサブフレーム境界を跨がないようにする。具体的に言うと、１サブフレームは１種類のシンボル長を含み得る。例えば、sTTI長は７シンボルであり、１サブフレームは２個のsTTIを含み、各sTTIの長さは７シンボルである。代替として、１サブフレームは複数種類のシンボル長の結合を含んで良い。例えば、sTTI長は２シンボルであるが、PDCCHが１〜３個のシンボルを占有して良いことを考慮すると、１サブフレームは６sTTIを含み、sTTIの長さはそれぞれ３シンボル、２シンボル、２シンボル、２シンボル、２シンボル、及び３シンボルである。或いは、２個のシンボルが通常PDCCHのために構成されることを考慮すると、sTTIの長さはそれぞれ２シンボル、２シンボル、３シンボル、２シンボル、２シンボル、及び３シンボルであり、又は別の組み合わせが使用される。異なる長さを有する複数の短TTIがシステム内に存在し得る。例えば、システムは、７シンボルsTTI送信及び２シンボルsTTI送信が１サブフレーム内で実行されることをサポートする。
【００８７】
更に理解されるべきことに、本発明の実施形態におけるリソース（例えば、第１リソース又は第２リソース）は、一般的意味における通信リソースであって良い。リソースは、２つの次元：時間及び周波数における通信リソースであって良い。言い換えると、通信リソースは、時間ドメインリソース及び周波数ドメインリソースを含んで良い。リソースは、符号ドメインリソース及び空間ドメインリソースを更に含んで良い。
【００８８】
以下は、図１及び図２を参照して本発明の実施形態における制御チャネル送信方法を詳細に記載する。
【００８９】
図１は、本発明の一実施形態による制御チャネル送信方法の概略フローチャートである。図１は、制御チャネル送信方法１００のステップ又は動作を示すが、該ステップ又は動作は単に例であり、他の動作又は図１中の動作の変形が代替として本発明の本実施形態において実行されて良い。さらに、図１のステップは、図１に示されたものと異なる順序で実行されて良く、場合によっては必ずしも図１の全ての動作が実行される必要はない。制御チャネル送信方法１００は以下のステップを含み得る。
【００９０】
Ｓ１１０。第１制御チャネルをM個の連続番号を付された第１送信要素にマッピングする。ここで、送信要素は、制御チャネルを送信するために使用される最小単位であり、第１制御チャネルはデータチャネルをスケジューリングするために使用され、M≧１である。
【００９１】
理解されるべきことに、第１制御チャネルは、少なくとも３種類のダウンリンク制御情報（Downlink  Control  Information、DCI）：（ダウンリンクデータチャネルを受信するために使用される）ダウンリンクデータ送信のためのスケジューリング情報、（アップリンクデータチャネル送信をスケジューリングするために使用される）アップリンクデータ送信のためのスケジューリング情報、及び（アップリンク電力制御及び調整を指示するために使用される）アップリンク電力制御コマンド、のうちの任意の１つを送信して良い。
【００９２】
Ｓ１２０。第１制御チャネルを端末装置へ送信する。
【００９３】
図２は、本発明の一実施形態による制御チャネル送信方法の別の概略フローチャートである。図２は、制御チャネル送信方法２００のステップ又は動作を示すが、該ステップ又は動作は単に例であり、他の動作又は図２中の動作の変形が代替として本発明の本実施形態において実行されて良い。さらに、図２のステップは、図２に示されたものと異なる順序で実行されて良く、必ずしも図２の全ての動作が実行される必要はない。制御チャネル送信方法２００は以下のステップを含み得る。
【００９４】
Ｓ２１０。ネットワーク装置により送信された第１制御チャネルを受信する。ここで、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である。
【００９５】
Ｓ２２０。データチャネルを第１制御チャネルに基づき受信又は送信する。
【００９６】
具体的に、第１制御チャネルを送信する前に、ネットワーク装置は、第１制御チャネルを送信するために使用されるリソースを決定して良い。具体的に言うと、M個の第１送信要素は、第１制御チャネルを送信するために使用される。第１制御チャネルをM個の第１送信要素にマッピングした後に、ネットワーク装置は、M個の第１送信要素を用いて第１制御チャネルを送信して良い。端末装置は、ネットワーク装置により送信された第１制御チャネルを受信する。第１制御チャネルは、少なくとも以下の２つの場合を含んで良い。
【００９７】
（１）第１制御チャネルがDL許可である場合
方法１００は、データチャネルを端末装置へ送信するステップを更に含み、
方法２００は、ネットワーク装置により送信されたデータチャネルを受信するステップを更に含む。
【００９８】
（２）第１制御チャネルがUL許可である場合
方法２００は、データチャネルをネットワーク装置へ送信するステップを更に含み、
方法１００は、端末装置により送信されたデータチャネルを受信するステップを更に含む。
【００９９】
本発明の実施形態で提供される方法では、第１制御チャネルを送信するとき、ネットワーク装置は、先ず、第１制御チャネルをM個の連続番号を付された第１送信要素にマッピングして、端末装置がブラインド検出を実行する回数が削減でき、したがって端末装置のブラインド検出の複雑さが低減されるようにする。
【０１００】
留意すべきことに、送信要素（例えば、後に開示される第１送信要素及び第２送信要素及び第３送信要素）の概念が本発明の実施形態に導入される。送信要素（Transmission  Element、TE）は、制御チャネルを送信するために使用される最小単位であり、１つの制御チャネルは整数個の送信要素を用いて送信されて良い。具体的に、送信要素は、LTEシステムにおいてPDCCHを送信するために使用されるCCE（Control  Channel  Element）であって良く、又はLTEシステムにおいてEPDCCH又はMPDCCHを送信するために使用されるECCE（Enhanced  Control  Channel  Element）であって良く、又はPRB、RBG、若しくはREGのうちの１つであって良く、又は制御チャネルを送信するために使用され及びsTTI送信で導入される最小単位、又は制御チャネルを送信するために使用され及び将来の５Gシステムにおいて導入される最小単位であって良い。これは、本発明において限定されない。
【０１０１】
理解及び説明を容易にするために、以下は、本発明の実施形態を、sTTI送信における制御チャネル（sPDCCH）及び／又はデータチャネル（sPDSCH）の送信及び受信を例として用いて記載する。
【０１０２】
１．sPDCCH領域の決定
【０１０３】
任意で、ネットワーク装置は、sPDCCHを送信するために使用可能であり及び１sTTIの範囲内の送信要素により占有される周波数ドメインリソースを決定する。具体的に、周波数ドメインリソースはPRB又はRBGである。
【０１０４】
留意すべきことに、異なる長さを有する複数のsTTIにおけ送信をサポートするサービスが、システム内に存在し得る。任意で、同じ設計が、異なる長さを有するsTTIに対応するsPDCCHのために使用されて良い。２シンボルsTTI及び７シンボルsTTIが一例として使用される。時間ドメインにおいてsPDCCHのために使用可能なリソースは、２シンボルsTTIの長さだけ短縮される。具体的に言うと、２シンボルsTTIに対応するsPDCCH、及び７シンボルsTTIに対応するsPDCCHは、両方とも、時間ドメインにおいて最大２個のシンボルを占有して良い。したがって、２つの長さを有するsTTIにおけるsPDCCHの送信方法は同じである。異なる長さを有するsTTIにおける送信をサポートする端末装置がシステム内に存在し得るので、異なる長さを有するsTTIに対応するsPDCCHのために同じ設計を用いることは、ネットワーク装置により実行されるスケジューリング、及び端末装置により実行されるブラインド検出を実現する。
【０１０５】
本発明の実施形態では、sPDCCH設計は、１シンボルが占有される又は２シンボルが占有される一例を用いて記載されるが、本発明はこれに限定されない。
【０１０６】
任意で、sPDCCHを送信するために使用可能であり及び１sTTIの範囲内の送信要素により占有される周波数ドメインリソースは、正整数個のRBGである。１RBGは１又は複数のPRBを含む。図３は、本発明の一実施形態による制御チャネルリソース割り当ての一例の概略図である。具体的に、図３は、sPDCCHを送信するために使用可能である及び２シンボルsTTIにおける送信要素により占有される複数のRBGの概略図である。図３に示すように、送信要素は、sTTIの位置する帯域幅内に位置付けられ、時間において２シンボルを占有し、周波数ドメインにおいて５RBGを占有する。各RBGは１又は複数の送信要素を含んで良い。任意で、端末装置は、所定の方法で又はネットワーク装置のシグナリング通知を通じて、５個のRBGの位置を通知されて良い。
【０１０７】
任意で、ネットワーク装置は、sTTIにおけるsTTIダウンリンクデータ受信をスケジューリングするために使用されるsPDCCHが、sPDCCHに対応するsPDSCHの位置するPRBに含まれる送信要素上に位置することを決定する。sTTI送信処理では、リソース利用効率を向上するために、sPDCCHを送信するために使用されず且つsPDSCHの位置するPRB内に含まれる送信要素の中にある送信要素は、sTTIにおけるデータチャネル送信のために使用されて良い。
【０１０８】
特定のスケジューリング処理では、任意で、ネットワーク装置及び端末装置は、制御チャネルが番号の昇順に送信要素を占有することに合意して良い。システム内にDL許可だけが存在する場合、ネットワーク装置は、端末装置のsPDCCHを、該端末装置のsPDSCHの位置するPRBに含まれる送信要素にマッピングする。システム内にDL許可及びUL許可の両方が存在する場合、ネットワーク装置は、UL許可を送信するために、端末装置のsPDSCHの位置するPRBに含まれる送信要素のうち比較的小さい番号を有する送信要素を使用し、UL許可をマッピングした後に、DL許可をマッピングする。DL許可及びUL許可は両方とも、連続番号を付された送信要素を占有する。これを行うことの利点は以下の通りである。sPDCCHを検出した後に、端末装置は、sPDCCHにより占有される最大番号の送信要素を知ることができ、該最大番号に基づき、sPDSCHの位置するPRBに含まれる送信要素のうち最大番号以下の番号の送信要素がsPDCCHを送信するために既に使用されていることを決定し、sPDSCHの位置するPRBに含まれる送信要素のうち最大番号より大きい番号の送信要素がデータ送信のために使用されると決定する。
【０１０９】
２．端末装置がsPDCCHを検出する方法
【０１１０】
任意で、ネットワーク装置は、sPDCCHを送信するために使用可能であり且つ１sTTI内にある送信要素により占有される時間ドメインリソース、該送信要素により占有される周波数ドメインリソース、該送信要素の数、該送信要素の番号、該送信要素に対応する物理リソース、端末装置の探索空間、及びsPDCCHの探索のために端末装置により使用される集約レベル、のような少なくとも１種類の情報を決定し、端末装置に前述の情報を所定の方法で又はシグナリング通知を通じて通知する。さらに、任意で、ネットワーク装置は、端末装置に、前述の情報をRRCシグナリング又は物理レイヤシグナリングを用いて通知して良い。留意すべきことに、リソース利用率を向上するために、ネットワーク装置は、sPDCCH送信のために使用されない送信要素を使用して、データチャネル、参照信号、又は他の情報を送信して良い。
【０１１１】
任意で、ネットワーク装置は、異なる端末装置のsPDCCHを対応する端末装置へ１sTTI内の送信要素で送信して良い。複数のsPDCCHは多重化されて探索空間全体を形成する。端末装置は、探索空間全体又は端末装置の探索空間内の全ての可能なsPDCCHについてブラインド検出を実行して、ネットワーク装置により端末装置へ送信されたsPDCCHがあるか否かを決定する。端末装置がsPDCCHに対してブラインド検出を実行する回数を削減するために、ネットワーク装置により端末装置へ送信されるsPDCCHは、M個の連続番号を付された送信要素で伝達され、Mは正整数である。端末装置がブラインド検出を実行する回数を更に削減するために、ネットワーク装置はMの値範囲、つまりsPDCCH集約レベルを制限し、ツリーのような集約方法を使用して良い。例えば、Mの値範囲は１、２、４、及び８である。言い換えると、集約レベルは１、２、４、又は８である。１つのsPDCCHは、１個の送信要素、２個の送信要素、４個の送信要素、又は８個の送信要素を使用することによってのみ送信できる。１個の送信要素を用いて送信されるsPDCCHの送信は、任意の位置の送信要素から開始して良い。２個の送信要素を用いて送信されるsPDCCHの送信は、偶数番号の送信要素から開始する。４個の送信要素を用いて送信されるsPDCCHの送信は、４の整数倍の番号を付された送信要素から開始する。８個の送信要素を用いて送信されるsPDCCHの送信は、８の整数倍の番号を付された送信要素から開始する。
【０１１２】
任意で、端末装置は、以下の方法で、ネットワーク装置により送信された最初のsPDCCHを受信して良い。端末装置は、ネットワーク装置により通知された探索空間内のsPDCCHに対して又はsPDCCHを送信するために使用可能な且つ１sTTI内にある送信要素に対して、ブラインド検出を実行する。端末装置は、システムによりサポートされる可能な集約レベル又はネットワーク装置により通知された集約レベルに基づき、検出を実行する。例えば、探索空間のサイズは８個の送信要素であり、sPDCCH集約レベルは１、２、４、又は８であって良い。８個の送信要素は０〜７の番号を付される。ブラインド検出中、端末装置は、先ず、１個のsPDCCHが１個の送信要素にマッピングされると想定し、０〜７の番号を付された全ての送信要素に対して検出を実行して、端末装置のsPDCCHが存在するか否かを決定する。この場合、検出は全部で８回実行される。端末装置のsPDCCHが検出されない場合、次に、１個のsPDCCHが２個の送信要素にマッピングされていると仮定される。検出が送信要素０及び１に対して実行され、端末装置のsPDCCHが存在するか否かを決定する。端末装置のsPDCCHが検出されない場合、検出は送信要素２及び３に対して実行され、以下同様である。検出が２個の送信要素に基づき実行されたとき、端末装置のsPDCCHが検出されない場合、端末装置は、次に、１個のsPDCCHが４個の送信要素にマッピングされていると仮定し、送信要素０、１、２、及び３、並びに送信要素４、５、６、及び７に対して別個に検出を実行して、端末装置のsPDCCHが存在するか否かを決定する。端末装置のsPDCCHが検出されない場合、端末装置は、１個のsPDCCHが８個の送信要素にマッピングされていると仮定し、送信要素０、１、２、３、４、５、６、及び７に対して検出を実行して、端末装置のsPDCCHが存在するか否かを決定する。探索空間全体が探索された後に端末装置のsPDCCHが検出されない場合、端末装置は、ネットワーク装置がsTTIにおいて端末装置をスケジューリングしていないと考える。端末装置のsPDCCHが探索処理中に検出された場合、端末装置は、探索を停止し、sPDCCHの内容に基づきダウンリンクデータを受信し又はアップリンクデータを送信して良い。
【０１１３】
３．送信要素と物理リソースとの間の対応
【０１１４】
任意で、ネットワーク装置は、１つのsTTIの中のsPDCCH領域内の全ての送信要素に番号を付ける。具体的に、送信要素は番号と１対１対応にあり、番号は昇順に配置される。例えば、１つのsTTIの中のsPDCCH領域が１０個の送信要素を含むと仮定すると、ネットワーク装置は１０個の送信要素に０から９まで番号を付けて良い。
【０１１５】
留意すべきことに、送信要素は物理リソースと１対１対応にある。任意で、本発明の実施形態では、sPDCCH領域内の１個のRBGはN個のPRBを含み、Nは正整数であり、N個のPRBはP個の送信要素を含み、Pは正整数である。任意で、P個の送信要素の各々はN個のPRB上に位置し、各送信要素は１個のPRB内のT個のREを占有し、Tは正整数である。N個のPRBの中の各送信要素により占有されるi番目のREがi番目のREGとして考えられる場合、これは、各送信要素がT個のREGを含み、各REGがN個のREを含むと考えられて良い。１個のRBGが８個のPRBを含み、８個のPRBが４個の送信要素を含む一例を用いて、説明が以下に提供される。図４Ａは、本発明の一実施形態によるリソースマッピング図の一例の概略図である。さらに、図４Ａは、具体的に、１シンボル内の１個のRBGに含まれる送信要素が物理リソースにマッピングされる概略図である。図４Ａに示すように、RBGのサイズは８個のPRBであり、それぞれTEa、TEb、TEc、TEdである４個の送信要素を含む。４個の送信要素の各々は８個のPRBに位置し、各送信要素は１個のPRB内の３個のREを占有する。複数のPRBの中の各送信要素により占有されるi番目のREが１個のREGとして考えられる場合、これは、各送信要素が３個のREGを含み、各REGが８個のREを含むと考えられて良い。
【０１１６】
図４Ｂは、本発明の一実施形態によるリソースマッピング図の別の例の概略図である。さらに、図４Ｂは、具体的に、２シンボル内の１個のRBGに含まれる送信要素が物理リソースにマッピングされる概略図である。図４Ｂに示すように、RBGのサイズは８個のPRBであり、それぞれTEa、TEb、TEc、TEdである４個の送信要素を含む。４個の送信要素の各々は８個のPRBに位置し、各送信要素は１個のPRB内の６個のREを占有する。複数のPRBの中の各送信要素により占有されるi番目のREが１個のREGとして考えられる場合、これは、各送信要素が６個のREGを含み、各REGが８個のREを含むと考えられて良い。代替として、各送信要素により占有され且つ複数のPRB内のi番目のサブキャリア内に位置するREは、１個のREGとして考えられて良い。したがって、これは、各送信要素が３個のREGを含み、各REGが２４個のREを含むと考えられて良い。
【０１１７】
１個の送信要素と複数のPRB上の物理リソースとの間の対応が確立され、端末装置が、sPDCCHに対してブラインド検出を実行するとき、複数のPRBを用いることにより一緒にチャネル推定を実行できるようにし、チャネル推定性能を向上する。
【０１１８】
さらに、任意で、Nが２以上であるとき、N個のPRBのうちの少なくとも２個のPRB上のP個の送信要素のうちの少なくとも１個の送信要素の位置は異なって良い。図４Ｃは、本発明の一実施形態によるリソースマッピング図の更に別の例の概略図である。さらに、図４Ｃは、具体的に、２シンボル内の１個のRBGに含まれる送信要素が物理リソースにマッピングされる概略図である。図４Ｃに示すように、RBGのサイズは８個のPRBであり、それぞれTEa、TEb、TEc、TEdである４個の送信要素を含む。４個の送信要素の各々は８個のPRB上に位置し、各送信要素は１個のPRB内の６個のREを占有し、８個のPRBのうちの少なくとも２個のPRB上の少なくとも１個の送信要素の位置は異なる。図に示されるように、PRB０内のTEaにより占有される第１REはPRB０内の第１サブキャリアに位置し、PRB１内のTEaにより占有される第１REはPRB１内の第４サブキャリアに位置する。言い換えると、PRB０及びPRB１上のTEaの位置は、異なる。複数のPRBの中の各送信要素により占有されるi番目のREが１個のREGとして考えられる場合、これは、各送信要素が６個のREGを含み、各REGが８個のREを含むと考えられて良い。代替として、各送信要素により占有され且つ複数のPRB内のi番目のサブキャリア内に位置するREは、１個のREGとして考えられて良い。したがって、これは、各送信要素が３個のREGを含み、各REGが２４個のREを含むと考えられて良い。
【０１１９】
参照信号がRBG内で送信される必要がある場合、参照信号は各PRB内の同じ位置にあり各PRB内で同数のREを占有するので、参照信号は、このようなリソースマッピングを用いてRBG内の送信要素の中の同様の数のリソースを占有し、DCI又はデータを送信するために使用可能であるリソース数と送信要素により占有されるリソース数との間のバランスを保証する。
【０１２０】
４．制御チャネルを送信要素に対応する物理リソースにマッピングするマッピング方法
【０１２１】
任意で、一例では、ネットワーク装置は第１制御チャネルをM個の第１送信要素にマッピングする。具体的に、ネットワーク装置は、先ず、M個の第１送信要素を決定し、又は制御チャネルを送信するために使用される送信要素の数がMであると決定して良い。具体的に、第１制御チャネルをM個の第１送信要素にマッピングする方法は以下の通りである。
【０１２２】
マッピング方法１。シーケンシャルマッピング。
【０１２３】
具体的に、ネットワーク装置は、第１制御チャネルを、送信要素の番号の昇順にM個の第１送信要素にマッピングして良い。
【０１２４】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素０に、次に送信要素１に、次に送信要素２に、そして最後に送信要素３にマッピングする。
【０１２５】
留意すべきことに、ネットワーク装置が第１制御チャネルをマッピング方法１でマッピングするとき、幾つかの状況では、第１制御チャネルはM個の第１送信要素にマッピングされるが、端末装置は、第１制御チャネルをM−G個の送信要素だけを用いて取得して良い。結果として、端末装置は、誤って、第１制御チャネルがM−G個の送信要素にマッピングされていると考え、端末装置の処理においてエラーが生じ得る（G≧１）。
【０１２６】
例えば、第１制御チャネルが送信要素０、１、２、及び３にマッピングされると仮定する。ブラインド検出中、端末装置は、送信要素０及び１のみを用いて第１制御チャネルを正しく受信し、その結果、誤って、第１制御チャネルが送信要素０及び１上のリソースを占有すると考え得る。この場合、端末装置は、送信要素２及び３が第１制御チャネルを送信するために使用されていないと考え、更に送信要素２及び３がデータチャネルを送信するために使用されると考える。その結果、端末装置は、間違ったレートマッチング処理をデータチャネルに対して実行する。この現象を回避するために、ネットワーク装置は以下の幾つかのマッピング方法を使用して良い。
【０１２７】
マッピング方法２。先ず、M個の第１送信要素の中で最大番号を有する送信要素にマッピングする。
【０１２８】
具体的に、マッピング方法２では、制御チャネルをM個の第１送信要素にマッピングするとき、ネットワーク装置は、先ず、制御チャネルを最大番号を有する第１送信要素にマッピングし、制御チャネルを、M個の第１送信要素の中で最大番号を有する第１送信要素以外の送信要素にマッピングする順序は、本発明の実施形態において限定されない。
【０１２９】
例えば、第１制御チャネルが送信要素０、１、２、及び３にマッピングされると仮定する。具体的に、ネットワーク装置が第１制御チャネルを４個の第１送信要素にマッピングする順序は、先ず、第１制御チャネルを送信要素３にマッピングし、次に第１制御チャネルを送信要素１、２、及び０にマッピングする。ブラインド検出中、端末装置は、第１制御チャネルが先ず送信要素３にマッピングされていると仮定されるときのみ、第１制御チャネルを正しく復調できる。したがって、第１制御チャネルを正しく復調した後に、端末装置は、送信要素３が占有されると決定し、更に番号が３より大きい送信要素のみがデータチャネルのために使用可能であると決定して良い。この方法では、データレートマッチング誤りの現象は生じない。
【０１３０】
マッピング方法２では、所与の集約レベルで、ネットワーク装置は、先ず、制御チャネルを最大番号を有する送信要素にマッピングし、ブラインド検出中、制御チャネルが先ず最大番号を有する送信要素にマッピングされていると仮定されるときのみ、端末装置は復調を正しく実行でき、端末装置が最大番号を有し且つ制御チャネルを送信するために使用される送信要素を決定し、及び番号が最大番号以下の全ての送信要素は制御チャネルを送信するために使用されると決定できるようにし、それによりデータレートマッチング誤りの発生を回避する。
【０１３１】
マッピング方法３。逆順マッピング。
【０１３２】
具体的に、マッピング方法３は、マッピング方法２に基づく更なる限定である。マッピング方法３では、ネットワーク装置は、第１制御チャネルを、送信要素の番号の降順にM個の第１送信要素にマッピングして良い。
【０１３３】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素３に、次に送信要素２に、次に送信要素１に、そして最後に送信要素０にマッピングする。
【０１３４】
マッピング方法２と比べて、マッピング方法３では、第１制御チャネルをネットワーク装置によりマッピングする際の効率が向上され得る。理由は次の通りである。マッピング方法３はマッピング方法１と類似しており、ネットワーク装置は、第１制御チャネルを、送信要素の番号の降順にM個の第１送信要素にマッピングする。制御チャネルがマッピング方法３でマッピングされるとき、データレートマッチング誤りの発生が回避できるだけでなく、制御チャネルをネットワーク装置によりマッピングする際の効率も向上され得る。
【０１３５】
マッピング方法４。インターリーブ方法。
【０１３６】
具体的に、マッピング方法４では、ネットワーク装置は、第１制御チャネルを、送信要素の番号をインターリーブすることによりM個の第１送信要素にマッピングして良い。
【０１３７】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素０に、次に送信要素２に、次に送信要素１に、そして最後に送信要素３にマッピングする。この場合、ブラインド検出中に、端末装置は、送信要素０及び１のみ又は送信要素２及び３のみに基づき第１制御チャネルを正しく復調できず、それによりデータレートマッチング誤りの発生を回避する。
【０１３８】
したがって、本発明の実施形態におけるマッピング方法２、３、及び４は、端末装置が、最大番号を有し且つ制御チャネルを送信するために使用される送信要素を正しく決定し、番号が最大番号以下の全ての送信要素が制御チャネルを送信するために使用されることを決定できるようにし、それによりデータレートマッチング誤りの発生を回避する。
【０１３９】
前述の４つの方法では、ネットワーク装置が第１制御チャネルをM個の第１送信要素に、送信要素の番号に基づきマッピングする順序又はルールは、制御チャネルを送信要素にマッピングする観点から記載された。マッピング順序が決定された後に、第１制御チャネルはM個の第１送信要素に対応する物理リソースにマッピングされる必要がある。以下は、ネットワーク装置が第１制御チャネルをM個の第１送信要素に対応するリソースにマッピングする方法を具体的に記載する。
【０１４０】
任意で、本発明の実施形態では、ネットワーク装置は、インターリーブ方法で、第１制御チャネルをM個の第１送信要素に対応するリソースにマッピングして良い。具体的に、M個の第１送信要素の各々はリソースエレメントREのT個のグループを含む。第１制御チャネルをマッピングするとき、ネットワーク装置は、先ず、M個の第１送信要素の各々の中のREのi番目のグループを占有し、次に、各第１送信要素の中のREの（i+１）番目のグループを占有する。ここで、T≧２、iの値は１〜Tの範囲である。
【０１４１】
説明は、図４Ａに示される、送信要素を物理リソースにマッピングする構造を参照して、以下に提供される。
【０１４２】
Mは１であると仮定する。具体的に言うと、ネットワーク装置は、制御チャネルを１個の送信要素にマッピングする必要がある。図５Ａは、本発明の一実施形態によるリソースマッピング図の更に別の例の概略図である。具体的に、図５Ａは、制御チャネルが１個の送信要素にマッピングされる概略図である。ネットワーク装置は第１制御チャネルを送信要素TEaにマッピングすると仮定する。第１制御チャネルをマッピングするとき、ネットワーク装置は、先ず、各PRB内のTEaの第１REを占有し、次に、各PRB内のTEaの第２REを占有し、Teaに含まれる全てのREが占有されるまで、以下同様である。図５Ａでは、REの番号は、制御チャネルが送信要素TEa内のREを占有する順序を示す。
【０１４３】
Mは２であると仮定する。具体的に言うと、ネットワーク装置は、制御チャネルを２個の送信要素にマッピングする必要がある。図５Ｂは、本発明の一実施形態によるリソースマッピング図のまた別の例の概略図である。具体的に、図５Ｂは、制御チャネルが２個の送信要素にマッピングされる概略図である。ネットワーク装置は第１制御チャネルを送信要素TEa及びTEbにマッピングすると仮定する。第１制御チャネルをマッピングするとき、ネットワーク装置は、順次、各PRB内のTEaの第１RE、各PRB内のTEｂの第１RE、各PRB内のTEaの第２RE、各PRB内のTEｂの第２RE、TEa及びTEbに含まれる全てのREが占有されるまで、以下同様に占有する。図５Ｂでは、REの番号は、制御チャネルが送信要素TEa及びTEb内のREを占有する順序を示す。
【０１４４】
Mは４であると仮定する。具体的に言うと、ネットワーク装置は、制御チャネルを４個の送信要素にマッピングする必要がある。図５Ｃは、本発明の一実施形態によるリソースマッピング図の更に別の例の概略図である。具体的に、図５Ｃは、制御チャネルが４個の送信要素にマッピングされる概略図である。ネットワーク装置は第１制御チャネルを送信要素TEa、TEb、TEc、及びTEdにマッピングすると仮定する。第１制御チャネルをマッピングするとき、ネットワーク装置は、順次、各PRB内のTEaの第１RE、各PRB内のTEｂの第１RE、各PRB内のTEcの第１RE、各PRB内のTEdの第１RE、各PRB内のTEaの第２RE、各PRB内のTEｂの第２RE、各PRB内のTEcの第２RE、各PRB内のTEdの第２RE、TEa、TEb、TEc、及びTEdに含まれる全てのREが占有されるまで、以下同様に占有する。図５Ｃでは、REの番号は、制御チャネルが送信要素TEa、TEb、TEc、及びTEd内のREを占有する順序を示す。
【０１４５】
図４Ｂ及び図４Ｃに示される構造に対するマッピング方法は、図４Ａのものと同様であり、詳細はここに記載されない。留意すべきことに、送信要素が２個のシンボルにマッピングされるとき、送信要素の中のREのi番目のグループ及びREの（i＋１）番目のグループをマッピングする順序は、先ず時間ドメインで次に周波数ドメインであり、又は先ず周波数ドメインで次に時間ドメインであって良い。これは、本発明において限定されない。
【０１４６】
ネットワーク装置は、この方法でマッピングを実行し、１つの制御チャネルを異なる集約レベルに対応する１又は複数の送信要素にマッピングする方法が異なるようにし、したがって、端末装置は、ブラインド検出を通じて、制御チャネルを送信するために使用される送信要素を決定できる。
【０１４７】
留意すべきことに、方法は、制御チャネルを送信要素にマッピングする４つのマッピング方法のうちのいずれか１つと結合されて良い。例えば、M=４であると仮定する。ネットワーク装置が番号の通常の順序でマッピングを実行する場合、図４Ａで、TEaは送信要素０であり、TEbは送信要素１であり、TEcは送信要素２であり、TEdは送信要素３である。ネットワーク装置が番号の逆の順序でマッピングを実行する場合、図４Ａで、TEaは送信要素３であり、TEbは送信要素２であり、TEcは送信要素１であり、TEdは送信要素０である。
【０１４８】
更に留意すべきことに、マッピング方法１を本方法と結合することは、端末装置が、ブラインド検出を通じて、制御チャネルを送信するために使用される送信要素を決定することも可能にする。
【０１４９】
さらに、本発明の実施形態における方法では、制御チャネルが送信要素の中のREにマッピングされるとき、インターリービングが実行され、ダイバーシティ利得を得るために、１個の送信要素が異なる符号変調シンボルを含み得るようにする。
【０１５０】
５．非占有送信要素がsPDSCH送信のために使用されることの黙示的指示
【０１５１】
以上は、ネットワーク装置は第１制御チャネルをM個の第１送信要素にマッピングすることを記載した。第１制御チャネルがダウンリンクデータ送信をスケジューリングするために使用される、具体的に言うと、ネットワーク装置が第１制御チャネル及びデータチャネルの両方を送信する場合、データチャネルがF（F≧１）個の送信要素を含むとき、制御チャネルにより占有されず且つF個の送信要素の中にある送信要素は、ダウンリンクデータチャネルを送信するために使用される。従来、ネットワーク装置は、シグナリングを端末装置へ送信することにより、ダウンリンクデータチャネルを送信するために使用され且つデータチャネルに対応するリソースの中にある送信要素を示し、その結果、シグナリングオーバヘッドが比較的高い。
【０１５２】
前述の問題を解決するために、ネットワーク装置は、第１制御チャネルにより占有される第１送信要素を用いて、データチャネルを送信するために使用され且つ端末装置のデータ領域に含まれるF個の送信要素の中にある特定送信要素を黙示的に示して良く（留意すべきことに、端末装置のデータ領域は端末装置のデータチャネルに対応するリソース、つまり端末装置のデータチャネルの位置するPRBであって良い）、シグナリングオーバヘッドが削減できるようにする。以下は、ネットワーク装置が端末装置に黙示的に通知する幾つかの方法を詳述する。
【０１５３】
任意的な実施形態では、ネットワーク装置は、M個の第１送信要素の番号（又は最大番号）を用いて、端末装置に、データチャネルの位置するPRBに含まれるF個の送信要素の中のf番目の送信要素がデータチャネルを送信するために使用可能か否かを黙示的に通知して良い。ここでf=１、．．．、Fである。
【０１５４】
留意すべきことに、本発明の実施形態におけるM個の第１送信要素は、第１制御チャネルを送信するために使用される送信要素であり、F個の送信要素は端末装置のダウンリンクデータチャネルに対応するリソースに含まれる送信要素であり、F個の送信要素及びM個の第１送信要素は同じ送信要素を含んで良く、又は異なる送信要素を含んで良い。
【０１５５】
具体的に、送信要素は、番号と１対１対応にある。具体的に言うと、M個の第１送信要素はMこの番号と１対１対応にあり、F個の送信要素はF個の番号と１対１対応にある。M個の第１送信要素の中の第１送信要素Aの番号が、F個の送信要素の中の送信要素Bの番号と同じ場合、これは、第１送信要素A及び送信要素Bが同じ送信要素であることを示す。ネットワーク装置及び端末装置は、制御チャネルが番号の昇順に送信要素を占有することに合意して良い。例えば、第１制御チャネルに対応するM個の番号が番号Sを含むと仮定すると、これは、F個の送信要素の中で１〜Sの番号を付された送信要素が占有されることを示し得る。したがって、M個の第１送信要素に対応するM個の番号の中で最大番号がkであると仮定するとき、以下の幾つかの場合が含まれ得る。
【０１５６】
（１）F個の送信要素の中のa個の送信要素の番号がkより小さいことは、a個の送信要素の全部が第１制御チャネル（又は場合によっては別の制御チャネル、例えば他のユーザ機器の制御チャネル）により占有されていることを示し得る。したがって、a個の送信要素のうちのいずれも、データチャネルを送信するために使用されない。ここでa≧０である。
【０１５７】
（２）F個の送信要素の中の送信要素Cの番号がkに等しいことは、送信要素Cが第１制御チャネルにより占有されていることを示し得る。したがって、送信要素Cはデータチャネルを送信するために使用されない。
【０１５８】
（３）F個の送信要素のうちの少なくとも１つの番号がkより大きく、F個の送信要素の中で番号がkより大きい送信要素は、第２送信要素であり、少なくとも１つの第２送信要素の各々はデータチャネルを送信するために使用され得る。
【０１５９】
したがって、第１制御チャネルを受信した後に、端末装置は、第１制御チャネルに対応するM個の第１送信要素の番号（又は最大番号）に基づき、F個の送信要素の中で番号がkより大きい少なくとも１つの第２送信要素がデータチャネルを送信するために使用され得ると決定して良く、端末装置がデータチャネルを正しく受信できるようにし、それにより、データレートマッチング誤りの発生を回避する。このソリューションは、簡易且つ動作が容易であり、シグナリングオーバヘッドを削減し、及びリソース利用率を向上する。
【０１６０】
留意すべきことに、「第１送信要素」、「第２送信要素」、「第１制御チャネル」等は、理解及び記載を容易にするために使用される名称であり、本発明に対するいかなる限定も構成するべきではない。端末装置のデータチャネルの位置するPRBに含まれるF個の送信要素、及びM個の第１送信要素は、同じ送信要素を含んで良く又は含まなくて良い。詳細な説明は後に提供される。
【０１６１】
以上は、ネットワーク装置が、送信要素の番号を用いて、データチャネルを送信するために使用可能であり且つデータチャネルに対応するリソースの中の送信要素を黙示的に示し得ることを記載した。データチャネルに対応するリソースが第２送信要素を含む場合、第２送信要素は制御チャネルを送信するために使用されてはならない。
【０１６２】
言い換えると、M個の第１送信要素に対応するM個の番号の中の最大番号はkであり、F個の送信要素は番号がkである第１送信要素を含まない。具体的に言うと、最大番号を有し且つ第１制御チャネルに対応する第１送信要素は、データチャネルに対応するリソースの中にない。
【０１６３】
本ソリューションでは、端末装置のデータチャネルに対応するF個の送信要素は、必ずしも、第１制御チャネルを送信するために使用される送信要素を含まず、第１制御チャネルを送信するために使用されるM個の第１送信要素は、データチャネルに対応するリソースと別個であって良く、ネットワーク装置によるリソース割り当ての柔軟性が向上できるようにする。
【０１６４】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【０１６５】
留意すべきことに、ネットワーク装置及び端末装置は、両方とも、システムにおける送信要素の数及び送信要素の番号を知っている。端末装置は、ブラインド検出を通じて、ある番号に対応する送信要素が端末装置の制御チャネルを送信するために使用されるか否かを決定し、更に第１制御チャネルに対応する送信要素の番号を学習して良い。
【０１６６】
任意で、本発明の実施形態では、制御チャネルの送信要素を複数の端末装置に割り当てるとき、ネットワーク装置は連続する送信要素を割り当てなくて良い。図６は、本発明の一実施形態による制御チャネルリソース割り当ての概略図である。図６に示されるように、sTTIにおける送信要素の数、及び送信要素の番号は、予め定められて良い。目標sTTI内で、ネットワーク装置は、４個のUEのダウンリンク送信をスケジューリングする。ネットワーク装置は、UE１の第１制御チャネルを３と番号を付された第１送信要素にマッピングする。UE１のデータチャネルの位置するPRBは、０及び２と番号を付された送信要素を含み、番号が３より大きい第２送信要素を含まない。言い換えると、UE１のデータチャネルにより占有されるリソースは、送信要素を含まない。ネットワーク装置は、UE２の第１制御チャネルを２と番号を付された第１送信要素にマッピングする。UE２のデータチャネルの位置するPRBは、１及び４と番号を付された送信要素を含む。送信要素４の番号は２より大きく、送信要素４はデータチャネルを送信するために使用されて良い。ネットワーク装置は、UE３の第１制御チャネルを１と番号を付された第１送信要素にマッピングする。UE３のデータチャネルの位置するPRBは、送信要素を含まない。ネットワーク装置は、UE４の第１制御チャネルを５と番号を付された第１送信要素にマッピングする。UE４のデータチャネルの位置するPRBは、３及び５と番号を付された送信要素を含み、これは、UE４のデータチャネルにより占有されるリソースが送信要素を含まないことを示す。
【０１６７】
したがって、本発明の実施形態における方法では、データチャネルのリソースに含まれる送信要素は、必ずしも第１制御チャネルを送信するために使用されず、このマッピング方法では、ネットワーク装置によるリソース割り当ての柔軟性が向上され得る。さらに、本発明の実施形態における方法では、ネットワーク装置は、第１制御チャネルにより占有されるリソースの位置、及びデータチャネルにより占有されるリソースの位置を柔軟に構成できる。例えば、第１制御チャネルにより占有されるリソースは、データチャネルにより占有されるリソースに隣接して良い。
【０１６８】
６．DMRSに基づき復調されるsPDCCH
【０１６９】
別の任意の実施形態では、第１制御チャネルはDMRSに基づき復調される制御チャネルを含む。DMRSに基づき復調される第１制御チャネルを検出する処理において、端末装置は、先ず、第１制御チャネルのアンテナポートを決定する必要がある。任意で、ネットワーク装置は、複数の方法で、端末装置が第１制御チャネルに対応するアンテナポートを学習することを可能にして良い。方法１では、ネットワーク装置は、端末装置へ、物理レイヤシグナリング又は上位レイヤシグナリングを用いて、第１制御チャネルに対応するアンテナポートを示すために使用される指示情報を送信して良い。方法２では、アンテナポートは送信要素と対応し、ネットワーク装置は、端末装置に、第１制御チャネルを送信するために使用される第１送信要素を用いて、第１制御チャネルに対応するアンテナポートを黙示的に示す。例えば、偶数番号の送信要素に対応するアンテナポートはポート７であり、奇数番号の送信要素に対応するアンテナポートはポート８である。
【０１７０】
任意で、端末装置は、データチャネルのために使用されるアンテナポート及び第１制御チャネルのために使用されるアンテナポートを用いて、データチャネルの位置するPRBの中の送信要素がデータチャネルを送信するために使用可能か否かを決定して良い。具体的に、データチャネルのために使用されるアンテナポートがデータチャネルの位置するPRBの中の送信要素で使用されるアンテナポートを含む場合、データチャネル、及びデータチャネルの位置するPRBの中の送信要素は、同じDMRSアンテナポートを用いて復調される。この場合、制御チャネルを送信するために使用されない送信要素は、データチャネルを送信するために使用されて良い。例えば、データチャネルのアンテナポートがポート７及び８であり、データチャネルにより占有されるPRBに含まれる少なくとも１つの第３送信要素に対応するアンテナポートはポート８であり、少なくとも１つの第３送信要素は制御チャネルにより占有されない。この場合、少なくとも１つの第３送信要素は、データチャネルを送信するために使用されて良い。
【０１７１】
図７は、本発明の一実施形態によるリソースマッピング図の更に別の例の概略図である。さらに、図７は、具体的に、データチャネルのアンテナポート及び送信要素のアンテナポートに基づき、データ送信のために使用される送信要素を決定する概略図である。図７に示されるように、データチャネル領域は６個の送信要素を含み、２個の送信要素が制御チャネルを送信するために使用される。残りの４個の送信要素は、２個の第３送信要素A及び２個の第３送信要素Bを含む。第３送信要素Aに対応するアンテナポートはポート７であり、第３送信要素Bに対応するアンテナポートはポート８である。データチャネルに対応するアンテナポートはポート７及び８である。データチャネル及び送信要素は同じDMRSを用いて復調されうので、第３送信要素A及び第３送信要素Bはデータチャネルを送信するために使用されて良い。
【０１７２】
したがって、本発明の実施形態における方法では、データ送信のために使用可能であり且つデータチャネルに対応するリソースに含まれる送信要素の中の特定送信要素は、データチャネルのために使用されるアンテナポート及びデータチャネルの位置するPRB内の送信要素において使用されるアンテナポートを用いて決定され得る。したがって、本方法では、シグナリングオーバヘッドが削減でき、動作は簡易且つ実装が容易である。
【０１７３】
本願の別の任意的な例では、ネットワーク装置は、端末装置に、データチャネルにより占有されるPRBに含まれる送信要素に対応するアンテナポート及びM個の第１送信要素の番号を用いて、データチャネルを送信するために使用可能な特定送信要素を黙示的に示して良い。
【０１７４】
前述の記載から、データチャネルのアンテナポートがデータチャネルにより占有されるPRB内の送信要素に対応するアンテナポートを含み、送信要素が制御チャネルにより占有されない場合、送信要素はデータチャネルを送信するために使用可能であることが分かる。したがって、データチャネルを送信するために使用可能であり且つF個の送信要素の中にある少なくとも１つの第３送信要素が、送信要素に対応するアンテナポートを用いて決定されて良い。
【０１７５】
例えば、M個の第１送信要素の番号が２及び３を含み、データチャネルのアンテナポートはポート７であり、データチャネルにより占有されるPRB内のF個の送信要素の番号は０、１、及び４を含み、０と番号を付された送信要素に対応するアンテナポートもポート７であり、１と番号を付された送信要素に対応するアンテナポートはポート８である。番号０は番号３より小さいが、０と番号を付された送信要素及びデータチャネルが同じアンテナポートに対応し、具体的に言うと、０と番号を付された送信要素に対応するDMRSがデータチャネルと同じプリコーディング情報を伝達するので、０と番号を付された送信要素はデータチャネルを送信するために使用可能である。１と番号を付された送信要素に対応するアンテナポートは、データチャネルのアンテナポートと異なり、番号は３より小さい。したがって、送信要素１はデータチャネルを送信するために使用できない。番号４は番号３より大きいので、これは、４と番号を付された送信要素がデータチャネルを送信するために使用可能であることを示す。
【０１７６】
任意で、ネットワーク装置は、sPDSCHの位置するPRBに含まれる送信要素に、sPDSCHの送信をスケジューリングするために使用されるsPDCCHをマッピングする。任意で、端末装置がUL許可及びDL許可の両方を含む場合、ネットワーク装置は、sPDSCHの位置するPRBに含まれる送信要素に、それぞれUL許可及びDL許可に対応するsPDCCHをマッピングする。この方法では、sPDSCH及びsPDCCHは同じDMRSを共有して良く、それによりDMRSオーバヘッドを削減する。
【０１７７】
理解されるべきことに、スケジューリング処理において、以下の状況が生じ得る。端末装置１のスケジューリングされたsPDSCHの位置するPRB内の送信要素リソースが不十分である、又はスケジューリングされたsPDSCHの位置するPRBが送信要素を含まない、又はアップリンクデータ送信要求のみがあり、ダウンリンクデータ受信要求がない。
【０１７８】
任意で、ネットワーク装置は、第１端末装置のデータチャネル領域内の少なくとも１つの第４送信要素が、第２端末装置の第３制御チャネルを送信するために使用されると決定する。第１端末装置のデータチャネルに対応するアンテナポートは、第３制御チャネルに対応するアンテナポートと異なり、第１端末装置のデータチャネルのために１つの送信レイヤがある。言い換えると、DMRSのためのアンテナポートリソースは限られている。スケジューリング中、ネットワーク装置が端末装置の制御チャネルを別の端末装置のデータチャネル領域にスケジューリングする必要がある場合、ネットワーク装置は、望ましくは、端末装置の制御チャネルを、１つのデータ送信レイヤを有する端末装置のデータチャネル領域にスケジューリングする。
【０１７９】
例えば、ネットワーク装置は、端末装置１に対応するDL許可又はUL許可を、比較的小さい番号を有し且つ端末装置２のデータチャネルの位置するPRBに含まれる送信要素にマッピングする。したがって、端末装置１のsPDCCHと、端末装置２のsPDCCH及び／又はsPDSCHとは、同じPRBに位置して良い。言い換えると、端末装置１のDMRS及び端末装置２のDMRSは、同じPRBに位置して良い。DMRSのREオーバヘッドを削減するために、符号分割多重化が、端末装置１の且つsPDCCH復調のために使用されるDMRS、並びに端末装置２の且つsPDCCH及び／又はsPDSCH復調のために使用されるDMRSに対して実行されて良い。言い換えると、異なるアンテナポートが端末装置１のDMRS及び端末装置２のDMRSのために使用される。DMRSのアンテナポートリソースは限られているので、望ましくは、符号分割多重化が端末装置１のDMRS及び比較的少数のデータ送信レイヤを有する端末装置のDMRSに対して実行される。例えば、符号分割多重化は、望ましくは、端末装置１のDMRS及び１つのみのデータチャネルレイヤを送信する端末装置のDMRSに対して実行される。
【０１８０】
任意で、第１制御チャネルに対応するアンテナポートは、端末装置により、第１データチャネルに対応するアンテナポートを決定するために使用される。
【０１８１】
任意で、一例では、同じアンテナポートがデータチャネル及び第１制御チャネルのために使用されて良い。言い換えると、ネットワーク装置は、同じアンテナポートを第１制御チャネル及びデータチャネルのために構成する。例えば、第１制御チャネルに対応するアンテナポートがポート７である場合、データチャネルに対応するアンテナポートもポート７である。
【０１８２】
任意で、別の例では、データチャネルのアンテナポートは第１制御チャネルのアンテナポート及びランクに関連付けられる。アンテナのレイヤ（Layer）数は、MIMOチャネル行列のランク（Rank）、つまり独立仮想チャネルの数として定められる。例えば、第１制御チャネルに対応するアンテナポートがポート７であり、ランク=２であり、これは、データチャネルのために２個のアンテナポート：ポート７及びポート８が存在することを示す。ランク=１である場合、これは、データチャネルのために１つのアンテナポート、ポート７のみが存在することを示す。
【０１８３】
したがって、本発明の実施形態における方法では、データチャネルに対応するアンテナポートは、第１制御チャネルに対応するアンテナポートを用いて決定され、追加シグナリング指示が必要なく、シグナリングオーバヘッドが削減できる。
【０１８４】
留意すべきことに、第１制御チャネルに対応するアンテナポートがポート７であり、ランク=２であるとき、対応するアンテナポートがポート７及びポート８、又はポート７及びポート６であるかは、プロトコルの中で合意され又は別の方法で示されて良い。これは、本発明の実施形態において限定されない。
【０１８５】
任意で、端末装置がダウンリンクデータを受信する処理において、データチャネルが取得される前に、第１制御チャネルが先ず復調される必要がある。第１制御チャネルがDMRSを用いて復調される制御チャネルである場合、端末装置は、以下の２つの方法のうちの少なくとも１つで、第１制御チャネルを復調する際の効率を向上し得る。
【０１８６】
方法１。M個の第１送信要素は第１DMRSのシンボル内に位置付けられる。
【０１８７】
上述のように、異なる長さを有するsTTI内のsPDCCHのために同じ設計を用いて、ネットワーク装置により実行されるスケジューリング、及び端末装置により実行されるブラインド検出を実現する。同じsPDCCH設計は、短時間ドメイン長を有するsTTIに限定される。具体的に言うと、システムが２シンボルsTTIをサポートする場合、時間ドメインにおいてsPDCCHにより占有されるシンボルの数は、最も望ましくは２を超えない。したがって、任意で、第１制御チャネルを復調するために使用される第１DMRSがsTTI内で送信されるとき、第１制御チャネルを送信するために使用される送信要素は、第１DMRSにより占有されるシンボル内に位置付けられる。例えば、第１DMRSがシンボル５及びシンボル６内に位置付けられると仮定すると、シンボル５及びシンボル６を含むsTTI内の第１制御チャネルにより占有される送信要素は、シンボル６、シンボル６、又はシンボル５及びシンボル６内に位置付けられて良い。
【０１８８】
本発明の実施形態における方法では、第１送信要素は第１DMRSにより占有されるシンボル内に位置付けられ、異なるsTTI長における制御チャネル設計が統一され得るようにし、それにより、ネットワーク装置により実行されるスケジューリング及び端末装置により実行されるブラインド検出を実現する。
【０１８９】
さらに、第１DMRSが時間ドメインにおいて第１制御チャネルに近いとき、端末装置にとっては、第１制御チャネルを第１DMRSに基づき迅速に復調することが一層有益である。第１DMRSにより占有される時間ドメインリソースが、M個の第１送信要素に対応する時間ドメインリソースを含むとき（言い換えると、第１DMRSにより占有される時間ドメインリソースが、制御チャネルにより占有される時間ドメインリソースを含むとき）、端末装置は、第１DMRSを取得するとき、第１制御チャネルを取得でき、第１制御チャネルを第１DMRSに基づき効率的に復調する。特に、sTTI長が７シンボルであるとき、本方法は、端末装置の処理待ち時間を明らかに削減できる。
【０１９０】
留意すべきことに、M個の第１送信要素が第１DMRSのシンボル内に位置付けられることは、少なくとも以下の２つの場合を含み得る。
【０１９１】
ケース（１）。M個の第１送信要素（又は第１制御チャネル）に対応する時間ドメインリソース、及び第１DMRSにより占有される時間ドメインリソースが同じであり、周波数ドメインリソースが異なる。例えば、M個の第１送信要素及び第１DMRSは、全て、sTTI（又はTTI）内の最初のシンボル又は最初の２個のシンボルに位置付けられるが、M個の第１送信要素及び第１DMRSは異なるREを占有する。
【０１９２】
ケース（２）。M個の第１送信要素に対応する時間ドメインリソースは、第１DMRSにより占有される時間ドメインリソースのサブセットである。例えば、M個の第１送信要素はsTTI（又はTTI）内の最初のシンボルに位置付けられ、第１DMRSはsTTI（又はTTI）内の最初の２個のシンボルに位置付けられる。
【０１９３】
したがって、本発明の実施形態における方法では、端末装置により第１DMRSに基づき第１制御チャネルを復調する際の効率が更に向上できる。
【０１９４】
方法２。第１制御チャネルは、複数のDMRSに基づき復調される。
【０１９５】
具体的に、ネットワーク装置は、第１制御チャネルを送信する前に、第２制御チャネルを送信して良い。第１制御チャネル及び第２制御チャネルが同じPRBに位置付けられ、両方ともDMRSに基づき復調される制御チャネルであり、及び同じ端末装置へ送信される場合、ネットワーク装置は、第１制御チャネル及び第２制御チャネルを、同じアンテナポート及び同じプリコーディングを用いて送信して良く、端末装置は、第１制御チャネルを第２制御チャネルの第２DMRS及び第１制御チャネルのDMRSに基づき復調し、それにより、DMRSに基づくチャネル推定の性能を向上し、更に端末装置が第１制御チャネルを復調する成功確率を向上する。
【０１９６】
例えば、ネットワーク装置は、先ず、第２制御チャネルを端末装置へ送信し、次に、第１制御チャネルを送信する。２つの制御チャネルのために使用される周波数リソースが同じ場合、ネットワーク装置は、第２制御チャネル及び第１制御チャネルを、同じアンテナポート及び同じプリコーディングを用いて送信して、端末装置が、第１制御チャネルを、第２制御チャネルの第２DMRS及び第１制御チャネルの第１DMRSを用いて一緒に復調できるようにする。
【０１９７】
留意すべきことに、端末装置は、ネットワーク装置により許可されているときのみ、前述の仮定を行うことができる。任意で、ネットワーク装置は、端末装置のために、同じ周波数内の且つ同じアンテナポート上の２以上の連続DMRSが同じプリコーディングを使用すると仮定できるか否かを示すために使用されるシグナリングを構成する。
【０１９８】
別の例では、チャネル送信処理において、端末装置が同じ周波数ドメイン位置内にあるサブフレーム内で２個のsTTI（又は時間ドメインにおいて互いにあまり遠く離れていない２個のsTTI）を受信し、制御チャネル（及び／又はデータチャネル）が２個のsTTI内で同じアンテナポートを用いて送信された場合、ネットワーク装置により許可されているとき、端末装置は、２個のsTTI内のアンテナポートが同じプリコーディングを使用すると仮定して良く、端末装置は、チャネル推定を、現在の制御チャネル（及び／又はデータチャネル）に対して一緒に、前のsTTI内のDMRS及び現在のsTTI内のDMRSを用いて実行して良い。
【０１９９】
留意すべきことに、本発明の実施形態における方法では、第１制御チャネルはDL許可又はUL許可であって良く、第２制御チャネルもDL許可又はUL許可であって良い。
【０２００】
本発明の実施形態における方法では、端末装置は、チャネル推定を、時間ドメインで異なる位置にある２個のDMRSを用いて一緒に実行して、チャネル推定性能が向上され得るようにする。
【０２０１】
留意すべきことに、本発明の実施形態の中の種々の実施形態が互いに排他的でない場合、それらへの相互参照が行われて良い。
【０２０２】
以上は、図１〜図７を参照して本発明の実施形態における制御チャネル送信方法を記載した。以下は、図８〜図１１を参照して本発明の実施形態における端末装置及びネットワーク装置を記載する。
【０２０３】
図８は、本発明の一実施形態によるネットワーク装置の一例の概略ブロック図である。図８に示されるように、ネットワーク装置３００は以下を含む：
第１制御チャネルをM個の連続番号を付された第１送信要素にマッピングするよう構成される処理モジュール３１０であって、第１制御チャネルはデータチャネルをスケジューリングするために使用され、M≧１である、処理モジュール３１０、及び、
第１制御チャネルを端末装置へ送信するよう構成される送信モジュール３２０。
【０２０４】
任意で、処理モジュール３１０は具体的に、第１制御チャネルが、先ず、M個の第１送信要素の中で最大番号を有する送信要素にマッピングされる順序で、第１制御チャネルをM個の連続番号を付された第１送信要素にマッピングするよう構成される。
【０２０５】
任意で、M個の第１送信要素の各々は、リソースエレメントREのT個のグループを含み、処理モジュール３１０は、具体的に、第１制御チャネルをマッピングするとき、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される。
【０２０６】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２０７】
任意で、データチャネルに対応するリソースにより占有される物理リソースブロックPRBは、番号がｋより小さい少なくとも１つの送信要素を含み、番号がｋである第１送信要素を含まない。
【０２０８】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２０９】
任意で、送信モジュール３２０は、第１DMRSを端末装置へ送信するよう更に構成される。第１DMRSは、第１制御チャネルを復調するために使用される。
【０２１０】
任意で、M個の第１送信要素は第１DMRSにより占有されるシンボル内に位置付けられる。
【０２１１】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２１２】
任意で、第１制御チャネルを端末装置へ送信する前に、送信モジュール３２０は、端末装置へ、第２制御チャネルと、第２制御チャネルを復調するために使用される第２ＤMＲＳと、を送信し、第１制御チャネル及び第２制御チャネルのために同じアンテナポート及び同じプリコーディングが使用されて、端末装置が第１制御チャネルを第２ＤMＲＳ及び第１ＤMＲＳに基づき復調するようにする、よう更に構成される。
【０２１３】
理解されるべきことに、ネットワーク装置３００は、ここで、機能モジュールの形式で表される。用語「モジュール」は、ここで、特定用途向け集積回路（Application−Specific  Integrated  Circuit、ASIC）、電子回路、１又は複数のソフトウェア若しくはファームウェアプログラムを実行するよう構成されるプロセッサ（例えば、共有プロセッサ、専用プロセッサ、又はグループプロセッサ）及びメモリ、組み合わせ論理回路、及び／又は専用機能をサポートする別の適切なコンポーネントであって良い。任意的な例では、当業者は、ネットワーク装置３００が、具体的に、前述の実施形態の通信方法における端末装置であって良く、ネットワーク装置３００が、方法の実施形態におけるネットワーク装置に対応する手順及び／又はステップを実行するよう構成されて良いことを理解し得る。繰り返しを回避するために、詳細はここに再び記載されない。
【０２１４】
図９は、本発明の一実施形態による端末装置の一例の概略ブロック図である。図９に示すように、端末装置４００は以下を含む：
ネットワーク装置により送信された第１制御チャネルを受信するよう構成される通信モジュール４１０であって、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である、通信モジュール４１０。
【０２１５】
通信モジュール４１０は、データチャネルを第１制御チャネルに基づき受信する、又はデータチャネルを第１制御チャネルに基づき送信するよう更に構成される。
【０２１６】
留意すべきことに、本発明の本実施形態における通信モジュール４１０は、通信機モジュールに対応して良い。言い換えると、通信モジュールは、信号を受信し及び送信するよう構成されて良い。さらに、通信モジュール４１０は、エンティティ機器内の通信機に対応して良い。
【０２１７】
任意で、第１制御チャネルをM個の連続番号を付された第１送信要素にマッピングする順序は、先ず、第１制御チャネルを、M個の第１送信要素の中で最大番号を有する送信要素にマッピングする。
【０２１８】
任意で、M個の第１送信要素の各々は、リソースエレメントREのT個のグループを含み、第１制御チャネルをM個の連続番号を付された第１送信要素にマッピングするマッピング方法は、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である。
【０２１９】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２２０】
任意で、データチャネルに対応するリソースにより占有される物理リソースブロックPRBは、番号がｋより小さい少なくとも１つの送信要素を含み、番号がｋである第１送信要素を含まない。
【０２２１】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２２２】
任意で、通信モジュール４１０は、ネットワーク装置により送信された第１DMRSを受信するよう更に構成される。第１DMRSは、第１制御チャネルを復調するために使用される。
【０２２３】
任意で、M個の第１送信要素は第１DMRSにより占有されるシンボル内に位置付けられる。
【０２２４】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２２５】
任意で、通信モジュール４１０が第１制御チャネルを受信する前に、通信モジュール４１０は、ネットワーク装置により送信された第２制御チャネルと第２制御チャネルを復調するために使用される第２DMRSと、受信するよう更に構成される。同じアンテナポート及び同じプリコーディングが、第１制御チャネル及び第２制御チャネルのために使用される。端末装置４００は、第１制御チャネルを第２DMRS及び第１DMRSに基づき復調するよう構成される処理モジュールを更に含む。
【０２２６】
理解されるべきことに、端末装置４００は、ここで、機能モジュールの形式で表される。用語「モジュール」は、ここで、特定用途向け集積回路（Application−Specific  Integrated  Circuit、ASIC）、電子回路、１又は複数のソフトウェア若しくはファームウェアプログラムを実行するよう構成されるプロセッサ（例えば、共有プロセッサ、専用プロセッサ、又はグループプロセッサ）及びメモリ、組み合わせ論理回路、及び／又は専用機能をサポートする別の適切なコンポーネントであって良い。任意的な例では、当業者は、端末装置４００が、具体的に、前述の実施形態の通信方法における端末装置であって良く、端末装置４００が、方法の実施形態における端末装置に対応する手順及び／又はステップを実行するよう構成されて良いことを理解し得る。繰り返しを回避するために、詳細はここに再び記載されない。
【０２２７】
図１０は、本発明の一実施形態によるネットワーク装置５００の別の例の概略ブロック図である。図１０に示すように、ネットワーク装置５００は、通信機５１０、メモリ５２０、及びプロセッサ５３０を含む。メモリ５２０は、プログラム命令を格納するよう構成される。プロセッサ５３０は、メモリ５２０に格納されたプログラム命令を呼び出して良い。プロセッサ５３０は、情報を受信し又は送信するよう通信機５１０を制御して良い。任意で、ネットワーク装置５００は、プロセッサ５３０、メモリ５２０、及び通信機５１０を相互接続するバスシステム６４０を更に含む。
【０２２８】
プロセッサ５３０は、第１制御チャネルをM個の連続番号を付された第１送信要素にマッピングするよう構成され、第１制御チャネルはデータチャネルをスケジューリングするために使用され、M≧１である。
【０２２９】
通信機５１０は、第１制御チャネルを端末装置へ送信するよう構成される。
【０２３０】
任意で、処理モジュール５３０は具体的に、第１制御チャネルが、先ず、M個の第１送信要素の中で最大番号を有する送信要素にマッピングされる順序で、第１制御チャネルをM個の連続番号を付された第１送信要素にマッピングするよう構成される。
【０２３１】
任意で、M個の第１送信要素の各々は、リソースエレメントREのT個のグループを含み、プロセッサ５３０は、具体的に、第１制御チャネルをマッピングするとき、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される。
【０２３２】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２３３】
任意で、データチャネルに対応するリソースにより占有される物理リソースブロックPRBは、番号がｋより小さい少なくとも１つの送信要素を含み、番号がｋである第１送信要素を含まない。
【０２３４】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２３５】
任意で、通信機５１０は、第１DMRSを端末装置へ送信するよう更に構成される。第１DMRSは、第１制御チャネルを復調するために使用される。
【０２３６】
任意で、M個の第１送信要素は第１DMRSにより占有されるシンボル内に位置付けられる。
【０２３７】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２３８】
任意で、通信機５１０が第１制御チャネルを端末装置へ送信する前に、通信機５１０は、端末装置へ、第２制御チャネルと、第２制御チャネルを復調するために使用される第２ＤMＲＳと、を送信し、第１制御チャネル及び第２制御チャネルのために同じアンテナポート及び同じプリコーディングが使用されて、端末装置が第１制御チャネルを第２ＤMＲＳ及び第１ＤMＲＳに基づき復調するようにする、よう更に構成される。
【０２３９】
理解されるべきことに、ネットワーク装置５００は、具体的に前述の実施形態におけるネットワーク装置であって良く、方法の実施形態におけるネットワーク装置に対応するステップ及び／又は手順を実行するよう構成されて良い。任意で、メモリ５２０は、読み出し専用メモリ及びランダムアクセスメモリを含み、プロセッサに命令及びデータを提供して良い。メモリの一部は、不揮発性ランダムアクセスメモリを更に含んで良い。例えば、メモリは装置種別情報を更に格納して良い。プロセッサ５３０は、メモリに格納された命令を実行するよう構成されて良く、プロセッサが命令を実行すると、プロセッサは、方法の実施形態におけるネットワーク装置に対応するステップを実行して良い。
【０２４０】
図１１は、本発明の一実施形態による端末装置の別の例の概略ブロック図である。図１１に示すように、端末装置６００は、通信機６１０、メモリ６２０、及びプロセッサ６３０を含む。メモリ６２０は、プログラム命令を格納するよう構成される。プロセッサ６３０は、メモリ６２０に格納されたプログラム命令を呼び出して良い。プロセッサ６３０は、情報を受信し又は送信するよう通信機６１０を制御して良い。任意で、端末装置６００は、プロセッサ６３０、メモリ６２０、及び通信機６１０を相互接続するバスシステム６４０を更に含む。プロセッサ６３０は、通信機６１０を、ネットワーク装置により送信された第１制御チャネルを受信するよう制御するよう構成され、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である。
【０２４１】
プロセッサは、通信機を、データチャネルを第１制御チャネルに基づき受信する、又はデータチャネルを第１制御チャネルに基づき送信するよう制御するよう更に構成される。
【０２４２】
任意で、第１制御チャネルをM個の連続番号を付された第１送信要素にマッピングする順序は、先ず、第１制御チャネルを、M個の第１送信要素の中で最大番号を有する送信要素にマッピングする。
【０２４３】
任意で、M個の第１送信要素の各々は、リソースエレメントREのT個のグループを含み、第１制御チャネルをM個の連続番号を付された第１送信要素にマッピングするマッピング方法は、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である。
【０２４４】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２４５】
任意で、データチャネルに対応するリソースにより占有される物理リソースブロックPRBは、番号がｋより小さい少なくとも１つの送信要素を含み、番号がｋである第１送信要素を含まない。
【０２４６】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２４７】
任意で、通信モジュール６１０は、ネットワーク装置により送信された第１DMRSを受信するよう更に構成される。第１DMRSは、第１制御チャネルを復調するために使用される。
【０２４８】
任意で、M個の第１送信要素は第１DMRSにより占有されるシンボル内に位置付けられる。
【０２４９】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２５０】
任意で、通信機６１０が第１制御チャネルを受信する前に、通信機６１０は、ネットワーク装置により送信された第２制御チャネルと第２制御チャネルを復調するために使用される第２DMRSと、受信するよう更に構成される。同じアンテナポート及び同じプリコーディングが、第１制御チャネル及び第２制御チャネルのために使用される。プロセッサ６３０は、第１制御チャネルを第２DMRS及び第１DMRSに基づき復調するよう構成される。
【０２５１】
理解されるべきことに、端末装置６００は、具体的に前述の実施形態におけるネットワーク装置であって良く、方法の実施形態におけるネットワーク装置に対応するステップ及び／又は手順を実行するよう構成されて良い。任意で、メモリ６２０は、読み出し専用メモリ及びランダムアクセスメモリを含み、プロセッサに命令及びデータを提供して良い。メモリの一部は、不揮発性ランダムアクセスメモリを更に含んで良い。例えば、メモリは装置種別情報を更に格納して良い。プロセッサ６３０は、メモリに格納された命令を実行するよう構成されて良く、プロセッサが命令を実行すると、プロセッサは、方法の実施形態におけるネットワーク装置に対応するステップを実行して良い。
【０２５２】
本発明の本実施形態では、プロセッサは、中央処理ユニット（英語：central  processing  unit、CPU）、ネットワークプロセッサ（network  processor、NP）、又はCPUとNPとの組合せであって良い。プロセッサは、ハードウェアチップを更に含んで良い。ハードウェアチップは、特定用途向け集積回路（application−specific  integrated  circuit、ASIC）、プログラマブル論理素子（英語：programmable  logic  device、PLD）、又はそれらの組合せであって良い。PLDは、複合プログラマブル論理素子（complex  programmable  logic  device、略称：CPLD）、フィールドプログラマブルゲートアレイ（field−programmable  gate  array、FPGA）、汎用アレイロジック（generic  array  logic、GAL）、又はそれらの組合せであって良い。
【０２５３】
通信機は、モバイル端末装置と別の装置又は通信ネットワークとの間の通信を実施可能である。
【０２５４】
メモリは、読み出し専用メモリ及びランダムアクセスメモリを含み、プロセッサに命令及びデータを提供して良い。プロセッサの一部は、不揮発性ランダムアクセスメモリを更に含んで良い。例えば、プロセッサは装置種別情報を更に格納して良い。
【０２５５】
データバスに加えて、バスシステムは、電力バス、制御バス、状態信号バス、等を含んで良い。提示の容易さのために、１本の太線のみが図中でバスを提示するのために使用されるが、これは１本のバス又は１種類のバスみのが存在することを意味するものではない。
【０２５６】
理解されるべきことに、本発明の実施形態では、「Ａに対応するＢ」は、ＢがＡに関連付けられること、及びＢがＡに従い決定されて良いこと、を示す。しかしながら、更に理解されるべきことに、Ａに基づきＢを決定することはＢがＡのみに基づき決定されることを意味しない。ＢはＡ及び／又は他の情報に基づいて決定されても良い。本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０２５７】
更に理解されるべきことに、前述の処理のシーケンス番号は、本発明の種々の実施形態において実行順を意味しない。処理の実行順序は、機能及び処理の内部ロジックに基づき決定されるべきであり、本発明の実施形態の実装過程に対する制限として考えられるべきではない。
【０２５８】
当業者は、本願明細書に開示の実施形態を参照して記載された例におけるユニット及びアルゴリズムのステップが、電子ハードウェア又はコンピュータソフトウェア及び電子ハードウェアの組み合わせにより実施され得ることを認識し得る。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０２５９】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０２６０】
本願において提供される幾つかの実施形態では、開示のシステム、機器、及び方法は他の方法で実装されて良いことが理解されるべきである。例えば、記載した機器の実施形態は単なる例である。例えば、ユニットの分割は、単なる論理的機能の分割であり、実際の実装では他の分割であって良い。例えば、複数のユニット又はコンポーネントは、別のシステムに結合又は統合されて良い。或いは、幾つかの機能は無視されるか又は実行されなくて良い。追加で、示された又は議論された相互結合、又は直接結合、又は通信接続は、幾つかのインタフェース、機器又はユニット間の間接結合又は通信接続であって良く、又は電気的、機械的、又は他の形式で実装されて良い。
【０２６１】
別個の部分として記載されたユニットは、物理的に別個であって良く、又はそうでなくて良い。ユニットとして示される部分は、物理的ユニットであって良く又はそうでなくて良く、１つの位置に置かれ又は複数のネットワークユニットに分散されて良い。一部又は全部のユニットは、実施形態のソリューションの目的を達成するために実際の要件に依存して選択されて良い。
【０２６２】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０２６３】
本願の文書の簡潔さ及び明確さのために、実施形態のうちの１つにおける技術的特徴及び記載が他の実施形態に適用可能であることが理解され得る。例えば、ある方法の実施形態の技術的特徴は、機器又は別の方法の実施形態に適用可能であり、詳細は他の実施形態で再び記載されない。
【０２６４】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェアプロダクトは、記憶媒体に格納され、コンピュータ装置（パーソナルコンピュータ、サーバ、ネットワーク装置、等であって良い）に、本発明の実施形態で記載された方法のステップの全部又は一部を実行するよう指示する複数の命令を含む。前述の記憶媒体は、USBフラッシュディスク、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を有する。
【０２６５】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。したがって、本発明の保護範囲は、請求項の保護範囲に従う。
【図１】
2019534630.tif 000003
【図２】
2019534630.tif 000004
【図３】
2019534630.tif 000005
【図４Ａ】
2019534630.tif 000006
【図４Ｂ】
2019534630.tif 000007
【図４Ｃ】
2019534630.tif 000008
【図５Ａ】
2019534630.tif 000009
【図５Ｂ】
2019534630.tif 000010
【図５Ｃ】
2019534630.tif 000011
【図６】
2019534630.tif 000012
【図７】
2019534630.tif 000013
【図８】
2019534630.tif 000014
【図９】
2019534630.tif 000015
【図１０】
2019534630.tif 000016
【図１１】
2019534630.tif 000017
【手続補正書】
【提出日】令和1年5月10日(2019.5.10)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、より具体的には、制御チャネル送信方法、ネットワーク装置、及び端末装置に関する。
【背景技術】
【０００２】
標準的な無線通信ネットワーク、例えばロングタームエボリューション（Long  Term  Evolution、ＬTＥ）ネットワークでは、共有データチャネル（shared  data  channel）の選択は、スケジューリング／許可（Scheduling/Grant）メカに済みに基づき、基地局（ase  station、略称：「ＢＳ」）により完全に制御される。本メカニズムでは、ネットワーク装置は、端末装置へ、データチャネルをスケジューリングするために使用される制御チャネルを送信する。制御チャネルは、２つのカテゴリに分類されて良い。１つはダウンリンク許可（downlink  grant、DL  Grant）である。ネットワーク装置は、ダウンリンク許可を端末装置へ送信して、端末装置に割り当てられたダウンリンク送信リソースを端末装置に通知する。したがって、端末装置は、許可されたダウンリンク送信リソース上でダウンリンクデータを受信する。もう１つは、アップリンク許可（uplink  grant、UL  Grant）である。ネットワーク装置は、アップリンク許可を端末装置へ送信して、端末装置に割り当てられたアップリンク送信リソースを端末装置に通知する。したがって、端末装置は、許可されたアップリンク送信リソース上でアップリンクデータを送信する。
【０００３】
制御チャネルを送信するとき、ネットワーク装置は、制御チャネルを制御チャネル要素（control  channel  element、CCE）にマッピングする必要がある。しかしながら、ネットワーク装置は、制御チャネルをマッピングするとき、ランダムマッピングを実行する。結果として、端末装置は、制御チャネルを取得するためにブラインド検出を複数回実行しなければならず、端末装置によるCCE上のブラインド検出の複雑性が高い。
【発明の概要】
【０００４】
本願は、制御チャネル送信方法、ネットワーク装置、及び端末装置を提供し、端末装置がブラインド検出を実行する回数が削減でき、端末装置のブラインド検出の複雑さが低減できるようにする。
【０００５】
第１の態様によると、制御チャネル送信方法が提供される。当該方法は、第１制御チャネルをM個の連続番号を付された第１送信要素にマッピングするステップであって、前記第１制御チャネルはデータチャネルをスケジューリングするために使用され、送信要素は、制御チャネルを送信するために使用される最小単位であり、M≧１である、ステップと、前記第１制御チャネルを端末装置へ送信するステップと、を含む。
【０００６】
本ソリューションでは、制御チャネルはM個の連続番号を付された送信要素にマッピングされ、端末装置がブラインド検出を実行する回数が削減でき、端末装置のブラインド検出の複雑さが低減できるようにする。
【０００７】
第１の態様の可能な実装では、前記第１制御チャネルをM個の連続番号を付された第１送信要素にマッピングする前記ステップは、前記第１制御チャネルが前記M個の第１送信要素の中の最大番号を有する送信要素に最初にマッピングされる順序で、前記第１制御チャネルを前記M個の連続番号を付された第１送信要素にマッピングするステップ、を含む。
【０００８】
本ソリューションでは、第１制御チャネルをマッピングするとき、ネットワーク装置は、先ず、第１制御チャネルを最大番号を有する送信要素にマッピングする。ブラインド検出中、端末装置は、制御チャネルが先ず最大番号を有する送信要素にマッピングされると仮定されるときのみ、復調を正しく実行できる。この方法では、最大番号を有し且つ制御チャネルを送信するために使用される送信要素が決定でき、端末装置が占有された送信要素を正しく識別する確率が向上され得る。
【０００９】
任意で、第１の態様の可能な実装では、第１制御チャネルをM個の連続番号を付された第１送信要素にマッピングする前記ステップは、前記第１制御チャネルを前記M個の連続番号を付された第１送信要素に番号の降順にマッピングするステップを含む。
【００１０】
本ソリューションでは、マッピングは番号の降順（又は逆順）に実行され、最大番号を有し且つ制御チャネルを送信するために使用される送信要素が決定できるだけでなく、ネットワーク装置により制御チャネルをマッピングする際の効率も向上できる。
【００１１】
任意で、第１の態様の可能な実装では、第１制御チャネルをM個の連続番号を付された第１送信要素にマッピングする前記ステップは、前記第１制御チャネルを前記M個の連続番号を付された第１送信要素に、マッピングが番号インターリービング方法で実行される順序で、マッピングするステップを含む。
【００１２】
本ソリューションでは、端末装置が占有された送信要素を正しく識別する確率が向上できる。
【００１３】
第１の態様の可能な実装では、前記M個の第１送信要素の各々は、リソースエレメントREのT個のグループを含み、第１制御チャネルをM個の第１送信要素にマッピングする前記ステップは、前記第１送信要素をマッピングするとき、先ず、ネットワーク装置により、前記M個の第１送信要素の各々の中のREのｉ番目のグループを占有し、次に、各第１送信要素の中のREの（ｉ＋１）番目のグループを占有するステップであって、T≧２、及びｉの値は１からTまでの範囲である、ステップ、を含む。
【００１４】
本ソリューションでは、ネットワーク装置は、この方法でマッピングを実行し、１つの制御チャネルを異なる集約レベルに対応する１又は複数の送信要素にマッピングする方法が異なるようにし、したがって、端末装置は、ブラインド検出を通じて、制御チャネルを送信するために使用される送信要素を決定できる。さらに、本マッピング方法は、ダイバーシティ利得を得るために、１つの送信要素が異なる符号変調シンボルを含むことを可能にする。
【００１５】
第１の態様の可能な実装では、前記データチャネルは、ダウンリンクデータチャネルであり、前記M個の連続番号を付された第１送信要素のうちの最大番号はｋであり、前記データチャネルに対応するリソースは少なくとも１つの第２送信要素を含み、前記少なくとも１つの第２送信要素の各々に対応する番号はｋより大きい。
【００１６】
本ソリューションでは、端末装置は、ブラインド検出を通じて、最大番号を有し且つ制御チャネルを送信するために使用される送信要素を正しく決定し、番号が最大番号以下の全ての送信要素が制御チャネルを送信するために使用されることを決定し得る。それによりデータレートマッチング誤りの発生を回避する。さらに、番号がkより大きい少なくとも１つの第２送信要素は、ダウンリンクデータチャネルを送信するために使用でき、リソース利用率が向上できる。
【００１７】
第１の態様の可能な実装では、データチャネルに対応するリソースにより占有される物理リソースブロックPRBは、番号がｋより小さい少なくとも１つの送信要素を含み、番号がｋである第１送信要素を含まない。言い換えると、データチャネルに対応するリソースにより占有されるPRBは、番号がkである第１送信要素を含まない、又はデータチャネルに対応するリソースにより占有されるPRB及び番号がkである第１送信要素は、周波数ドメインで重なり合わない。
【００１８】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【００１９】
第１の態様の可能な実装では、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【００２０】
本ソリューションでは、１つの第１送信要素が複数のPRBに位置付けられて、１又は複数の送信要素に対してブラインド検出を実行するとき、端末装置が、チャネル推定を、複数のPRBを用いて一緒に実行できるようにし、それによりチャネル推定性能を向上する。
【００２１】
第１の態様の可能な実装では、方法は、第１DMRSを端末装置へ送信するステップであって、前記第１DMRSは前記第１制御チャネルを復調するために使用される、ステップを更に含む。
【００２２】
第１の態様の可能な実装では、前記M個の第１送信要素は前記第１DMRSにより占有されるシンボル内に位置付けられる。
【００２３】
本ソリューションでは、M個の第１送信要素は第１DMRSにより占有されるシンボル内にのみ位置付けられ、異なるsTTI長における制御チャネル設計が統一され得るようにし、それにより、ネットワーク装置により実行されるスケジューリング及び端末装置により実行されるブラインド検出を実現する。さらに、端末装置は、第１DMRSを取得するとき第１制御チャネルを取得でき、端末装置により第１DMRSに基づき第１制御チャネルを復調する際の効率が向上できる。
【００２４】
第１の態様の可能な実装では、前記データチャネルはダウンリンクデータチャネルであり、前記データチャネルに対応するリソースは、少なくとも１つの第３送信要素を含み、前記データチャネルに対応するアンテナポートは、前記少なくとも１つの第３送信要素の各々に対応するアンテナポートを含む。
【００２５】
本ソリューションでは、送信要素がデータチャネルを送信するために使用可能であるか否かは、送信要素に対応するアンテナポートとデータチャネルに対応するアンテナポートとの関係を用いて決定され（データチャネルに対応するリソースに含まれる送信要素に対応するアンテナポートは、データチャネルに対応するアンテナポートの部分集合又は全体集合である）、端末装置がデータチャネルに対応するリソースに含まれる送信要素の中でどの送信要素がデータチャネルを送信するために使用可能かを見分けるようにし、したがって、シグナリング指示オーバヘッドが削減できる。
【００２６】
第１の態様の可能な実装では、前記第１制御チャネルを前記端末装置へ送信する前記ステップの前に、前記方法は、前記端末装置へ、第２制御チャネルと、前記第２制御チャネルを復調するために使用される第２ＤMＲＳと、を送信するステップであって、前記第１制御チャネル及び前記第２制御チャネルのために同じアンテナポート及び同じプリコーディングが使用されて、前記端末装置が前記第１制御チャネルを前記第２ＤMＲＳ及び前記第１ＤMＲＳに基づき復調するようにする、ステップを更に含む。
【００２７】
本ソリューションでは、ネットワーク装置は、同じ端末装置へ同じアンテナポート及び同じプリコーディングを用いて、同じ周波数内にあるが異なる時間にある第１制御チャネル及び第２制御チャネルを送信し、第１DMRS及び第２DMRSは第１制御チャネル及び第２制御チャネルに対応し、端末装置が、チャネル推定を、時間ドメインにおいて異なる位置にある２つのDMRSを用いて一緒に実行できるようにし、それによりチャネル推定性能を向上する。
【００２８】
任意で、前記ネットワーク装置は、前記端末装置の前記データチャネルに対応するリソースに含まれる少なくとも４個の送信要素が第２端末装置の第３制御チャネルを送信するために使用されると決定し、前記端末装置の前記データチャネルに対応するアンテナポートは、前記第３制御チャネルに対応するアンテナポートと異なり、前記端末装置の前記データチャネルのために１つの送信ポートが存在する。
【００２９】
第２の態様によると、制御チャネル送信方法が提供される。前記方法は、ネットワーク装置により送信された第１制御チャネルを受信するステップであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、ステップと、前記第１制御チャネルに基づき前記データチャネルを受信する又は送信するステップと、を含む。
【００３０】
本ソリューションでは、ネットワーク装置は、制御チャネルをM個の連続番号を付された送信要素にマッピングし、端末装置がブラインド検出を実行する回数が削減でき、端末装置のブラインド検出の複雑さが低減できるようにする。
【００３１】
第２の態様の可能な実装では、前記第１制御チャネルを前記M個の連続番号を付された第１送信要素にマッピングする順序は、先ず、前記第１制御チャネルを、前記M個の第１送信要素の中で最大番号を有する送信要素にマッピングする。
【００３２】
本ソリューションでは、復調は、制御チャネルが先ず最大番号を有する送信要素にマッピングされると仮定されるときのみ、正しく実行できる。本方法では、最大番号を有し且つ制御チャネルを送信するために使用される送信要素が決定でき、番号が最大番号以下である全ての送信要素が制御チャネルを送信するために使用されると決定できる。
【００３３】
任意で、第２の態様の可能な実装では、前記第１制御チャネルを前記M個の第１送信要素にマッピングするマッピング方法は、番号の降順にマッピングを実行することである。
【００３４】
本ソリューションでは、マッピングは番号の降順（逆順）で実行され、端末装置が占有された送信要素を正しく識別する確率が向上できるだけでなく、端末装置が第１制御チャネルを取得する確率も向上できるようにする。
【００３５】
任意で、第２の態様の可能な実装では、前記第１制御チャネルを前記M個の第１送信要素にマッピングする前記ステップは、番号インターリービング方法で実行される。
【００３６】
本ソリューションでは、端末装置が占有された送信要素を正しく識別する確率が向上できる。
【００３７】
第２の態様の可能な実装では、前記第１制御チャネルをマッピングする方法は、先ず、前記M個の第１送信要素の各々の中のREのi番目のグループを占有し、次に、各第１送信要素の中のREの（i+１）番目のグループを占有する。ここで、T≧２、iの値は１〜Tの範囲である。
【００３８】
本ソリューションでは、１つの制御チャネルを異なる集約レベルに対応する１又は複数の送信要素にマッピングする方法が異なり、端末装置は、ブラインド検出を通じて、制御チャネルを送信するために使用される送信要素を決定できる。さらに、ダイバーシティ利得を得るために、１つの送信要素が異なる符号変調シンボルを含み得る。
【００３９】
第２の態様の可能な実装では、前記データチャネルは、ダウンリンクデータチャネルであり、前記M個の連続番号を付された第１送信要素のうちの最大番号はｋであり、前記データチャネルに対応するリソースは少なくとも１つの第２送信要素を含み、前記少なくとも１つの第２送信要素の各々に対応する番号はｋより大きい。
【００４０】
本ソリューションでは、端末装置は、ブラインド検出を通じて、最大番号を有し且つ制御チャネルを送信するために使用される送信要素を正しく決定し、番号が最大番号以下の全ての送信要素が制御チャネルを送信するために使用されることを決定し得る。それによりデータレートマッチング誤りの発生を回避する。
【００４１】
第２の態様の可能な実装では、データチャネルに対応するリソースにより占有される物理リソースブロックPRBは、番号がｋより小さい少なくとも１つの送信要素を含み、番号がｋである第１送信要素を含まない。データチャネルに対応するリソースにより占有されるPRBは、番号がkである第１送信要素を含まない。言い換えると、データチャネルに対応するリソースにより占有されるPRB及び番号がkである第１送信要素は周波数ドメインにおいて重なり合わない。
【００４２】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【００４３】
第２の態様の可能な実装では、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【００４４】
本ソリューションでは、１つの第１送信要素が複数のPRBに位置付けられて、１又は複数の送信要素に対してブラインド検出を実行するとき、端末装置が、チャネル推定を、複数のPRBを用いて一緒に実行できるようにし、それによりチャネル推定性能を向上する。
【００４５】
第２の態様の可能な実装では、前記方法は、前記ネットワーク装置により送信された第１DMRSを受信するステップであって、前記第１DMRSは前記第１制御チャネルを復調するために使用される、ステップを更に含む。
【００４６】
第２の態様の可能な実装では、前記M個の第１送信要素は前記第１DMRSにより占有されるシンボル内に位置付けられる。
【００４７】
本ソリューションでは、M個の第１送信要素は第１DMRSにより占有されるシンボル内にのみ位置付けられ、異なるsTTI長における制御チャネル設計が統一され得るようにし、それにより、ネットワーク装置により実行されるスケジューリング及び端末装置により実行されるブラインド検出を実現する。さらに、端末装置は、第１DMRSを取得するとき第１制御チャネルを取得し、端末装置により第１DMRSに基づき第１制御チャネルを復調する際の効率が向上できる。
【００４８】
第２の態様の可能な実装では、前記データチャネルはダウンリンクデータチャネルであり、前記データチャネルに対応するリソースは、少なくとも１つの第３送信要素を含み、前記データチャネルに対応するアンテナポートは、前記少なくとも１つの第３送信要素の各々に対応するアンテナポートを含む。
【００４９】
本ソリューションでは、送信要素がデータチャネルを送信するために使用可能であるか否かは、送信要素に対応するアンテナポートとデータチャネルに対応するアンテナポートとの間の関係を用いて決定され（データチャネルに対応するリソースに含まれる送信要素に対応するアンテナポートは、データチャネルに対応するアンテナポートの部分集合又は全体集合である）、データチャネルに対応するリソースに含まれる送信要素に対応するアンテナポートが、データチャネルに対応するアンテナポートの部分集合又は全体集合であり、端末装置が、データチャネルに対応するリソースに含まれる送信要素の中のどの送信要素がデータチャネルを送信するために使用可能かを見分けられるようにする。
【００５０】
第２の態様の可能な実装では、ネットワーク装置により送信された第１制御チャネルを受信する前記ステップの前に、前記方法は、前記ネットワーク装置により送信された、第２制御チャネルと、前記第２制御チャネルを復調するために使用される第２ＤMＲＳと、を受信するステップであって、前記第１制御チャネル及び前記第２制御チャネルのために同じアンテナポート及び同じプリコーディングが使用される、ステップを更に含み、ネットワーク装置により送信された第１制御チャネルを受信する前記ステップは、前記第１制御チャネルを前記第２ＤMＲＳ及び前記第１ＤMＲＳに基づき復調するステップを含む。
【００５１】
本ソリューションでは、端末装置は、チャネル推定を、時間ドメインで異なる位置にある２個のDMRSを用いて一緒に実行して、チャネル推定性能が向上され得るようにする。
【００５２】
第３の態様によると、ネットワーク装置が提供され、第１の態様及び第１の態様の可能な実装のうちのいずれか１つにおける方法を実行するよう構成される。具体的に、ネットワーク装置は、第１の態様及び第１の態様の可能な実装のうちのいずれか１つにおける方法を実行するよう構成されるモジュールを含む。
【００５３】
第４の態様によると、端末装置が提供され、第２の態様及び第２の態様の可能な実装のうちのいずれか１つにおける方法を実行するよう構成される。具体的に、端末装置は、第２の態様及び第２の態様の可能な実装のうちのいずれか１つにおける方法を実行するよう構成されるモジュールを含む。
【００５４】
第５の態様によると、ネットワーク装置が提供される。前記ネットワーク装置は、プロセッサ、通信機、及びメモリを含む。任意で、前記ネットワーク装置はバスシステムを更に含む。前記通信機、前記メモリ、及び前記プロセッサは、前記バスシステムを用いて接続される。前記メモリは、命令を格納するよう構成される。前記プロセッサは、前記メモリに格納された前記命令を実行して、前記通信機を、信号を受信し又は送信するよう制御するよう構成され、前記プロセッサが前記メモリに格納された前記命令を実行すると、前記プロセッサは、第１の態様及び第１の態様の可能な実装のうちのいずれか１つにおける方法を実行する。
【００５５】
第６の態様によると、端末装置が提供される。前記端末装置は、プロセッサ、通信機、及びメモリを含む。任意で、前記端末装置はバスシステムを更に含む。前記通信機、前記メモリ、及び前記プロセッサは、前記バスシステムを用いて接続される。前記メモリは、命令を格納するよう構成される。前記プロセッサは、前記メモリに格納された前記命令を実行して、前記通信機を、信号を受信し又は送信するよう制御するよう構成され、前記プロセッサが前記メモリに格納された前記命令を実行すると、前記プロセッサは、第２の態様及び第２の態様の可能な実装のうちのいずれか１つにおける方法を実行する。
【００５６】
第７の態様によると、コンピュータ記憶媒体が提供される。前記コンピュータ記憶媒体はプログラムコードを格納し、前記プログラムコードは、第１の態様及び第１の態様の可能な実装のうちのいずれか１つにおける方法を実行するよう指示するために使用される。
【００５７】
第８の態様によると、コンピュータ記憶媒体が提供される。前記コンピュータ記憶媒体はプログラムコードを格納し、前記プログラムコードは、第２の態様及び第２の態様の可能な実装のうちのいずれか１つにおける方法を実行するよう指示するために使用される。
【図面の簡単な説明】
【００５８】
本発明の実施形態の技術的ソリューションをより明確に記載するために、本発明の実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００５９】
【図１】本発明の一実施形態による制御チャネル送信方法の概略フローチャートである。
【００６０】
【図２】本発明の一実施形態による制御チャネル送信方法の別の概略フローチャートである。
【００６１】
【図３】本発明の一実施形態による制御チャネルリソース割り当ての一例の概略図である。
【００６２】
【図４Ａ】本発明の一実施形態によるリソースマッピング図の別の例の概略図である。
【００６３】
【図４Ｂ】本発明の一実施形態によるリソースマッピング図の更に別の例の概略図である。
【００６４】
【図４Ｃ】本発明の一実施形態によるリソースマッピング図のまた別の例の概略図である。
【００６５】
【図５Ａ】本発明の一実施形態によるリソースマッピング図の更に別の例の概略図である。
【００６６】
【図５Ｂ】本発明の一実施形態によるリソースマッピング図のまた別の例の概略図である。
【００６７】
【図５Ｃ】本発明の一実施形態によるリソースマッピング図の更に別の例の概略図である。
【００６８】
【図６】本発明の一実施形態による制御チャネルリソース割り当ての概略図である。
【００６９】
【図７】本発明の一実施形態によるリソースマッピング図の更に別の例の概略図である。
【００７０】
【図８】本発明の一実施形態によるネットワーク装置の一例の概略ブロック図である。
【００７１】
【図９】本発明の一実施形態による端末装置の一例の概略ブロック図である。
【００７２】
【図１０】本発明の一実施形態によるネットワーク装置の別の例の概略ブロック図である。
【００７３】
【図１１】本発明の一実施形態による端末装置の別の例の概略ブロック図である。
【発明を実施するための形態】
【００７４】
以下に、本発明の実施形態の添付の図面を参照して、本発明の実施形態における技術的ソリューションを明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００７５】
本願明細書で使用される「コンポーネント」、「モジュール」及び「システム」のような用語は、コンピュータ関連エンティティ、ハードウェア、ファームウェア、ハードウェアとソフトウェアの組み合わせ、ソフトウェア、又は実行中のソフトウェアを示すために使用される。例えば、コンポーネントは、プロセッサで実行するプロセス、プロセッサ、オブジェクト、実行ファイル、実行スレッド、プログラム、及び／又はコンピュータであって良いが、これらに限定されない。コンピューティング装置で実行するコンピューティング装置及びアプリケーションは両方とも、図中に示されるコンポーネントであって良い。Ｆ個のコンポーネントは、プロセス及び／又は実行スレッド内に存在して良く、コンポーネントは１つのコンピュータに配置され及び／又は２以上のコンピュータに分散されて良い。さらに、これらのコンポーネントは、種々のデータ構造を格納する種々のコンピュータ可読媒体から実行されて良い。コンポーネントは、Ｆ個のデータパケットを有する信号（例えば、ローカルシステム、分散システム、及び／又は別のネットワーク、例えば他のシステムと信号を用いて相互作用するインターネット、内の別のコンポーネントと相互作用する２つのコンポーネントからのデータ）に基づき、ローカル及び／又はリモートプロセスを使用することにより、通信して良い。
【００７６】
本発明の実施形態のソリューションは、既存のセルラ通信システム、例えばグローバルシステム・フォー・モバイルコミュニケーションズ（英語正式名：Global  System  for  Mobile  Communications、略称：GSM）、符号分割多重接続（英語正式名：Code  Division  Multiple  Access、略称：CDMA）システム、広帯域符号分割多重接続（英語正式名：Wideband  Code  Division  Multiple  Access、略称：WCDMA）システム、汎用パケット無線サービス（英語正式名：General  Packet  Radio  Service、略称：GPRS）システム、ユニバーサル・モバイル・テレコミュニケーションシステム（英語正式名：Universal  Mobile  Telecommunications  System、略称：UMTS）、又はロングタームエボリューション（英語正式名：Long  Term  Evolution、略称：LTE）システム、に適用されて良く、特に４．５Ｇ進化型ＬTＥシステム及び５Ｇ無線通信システムに適用される。サポートされる通信は、主に音声及びデータ通信である。通常、伝統的な基地局は、限られた数の接続をサポートし、実装が容易である。
【００７７】
実施形態は、本発明では、端末装置を参照して記載される。端末装置は、ユーザ機器（UE、user  equipment）、アクセス端末、加入者ユニット、加入者局、移動局、移動体、リモート局、リモート端末、モバイル装置、ユーザ端末、端末、無線通信装置、ユーザエージェント、又はユーザ装置としても参照される場合がある。端末装置は、無線ローカルエリアネットワーク（Wireless  Local  Area  Network、WLAN）内にある局（station、ST）であって良く、又はセルラ電話機、コードレス電話機、セッション開始プロトコル（Session  Initiation  Protocol、SIP）電話機、無線ローカルループ（wireless  local  loop、WLL）局、パーソナルデジタルアシスタント（personal  digital  assistant、PDA）装置、無線通信機能を備えるハンドヘルド装置、無線モデムに接続されるコンピューティング装置又は別の処理装置、車内装置、ウェアラブル装置、将来の５Ｇネットワークにおける端末装置、又は将来の進化型PLMNネットワークにおける端末装置、等であって良い。これは、本発明において限定されない。
【００７８】
さらに、実施形態は、本発明では、ネットワーク装置を参照して記載される。ネットワーク装置は、モバイル装置と通信するよう構成される装置であって良い。ネットワーク装置は、ＷＬＡNにおけるアクセスポイント（Access  Point、AP）、GSM又は符号分割多重接続（Code  Division  Multiple  Access、CDMA）における基地通信局（base  transceiver  station、BTS）であって良く、WCDMAにおけるNodeB（NodeB、NB）であって良く、又はロングタームエボリューション（Long  Term  Evolution、LTE）における進化型NodeB（evolved  NodeB、eNB、又はeNodeB）、中継局若しくはアクセスポイント、車内装置、ウェアラブル装置、将来の５Ｇネットワークにおけるネットワーク装置、又は将来の進化型PLMNネットワークにおけるネットワーク装置、等であって良い。これは、本発明において限定されない。
【００７９】
理解されるべきことに、本発明の実施形態の技術的ソリューションは、ＬTＥシステム又は５Ｇシステムのような種々の通信システムに適用されて良く、又は制御チャネルが送信される必要のある他の通信システムに適用されて良い。
【００８０】
更に理解されるべきことに、アップリンクシンボルは、シングルキャリア周波数分割多重接続（single  carrier  frequency  division  multiple  access、SC−FDMA）シンボルとして参照され、ダウンリンクシンボルは、直交周波数分割多重（orthogonal  frequency  division  multiplexing、OFDM）シンボルとして参照される。直交周波数分割多重接続（orthogonal  frequency  division  multiple  access、OFDMA）のアップリンク多重アクセスモードが将来の５Ｇ技術又はＬTＥ技術の進化に導入される場合、アップリンクシンボルはＯＦＤMシンボルとしても参照され得る。本発明の実施形態では、アップリンクシンボル及びダウンリンクシンボルは集合的にシンボルとして参照される。代替として、本発明の実施形態の技術的ソリューションにおいて言及されるシンボルは、別の種類の通信におけるシンボルであって良い。これは、本発明の実施形態において限定されない。
【００８１】
実施形態は、本発明では、物理チャネルを参照して記載される。物理チャネルは、具体的に、データ情報及び／又は制御情報を送信するために使用される。本発明の本実施形態では、物理チャネルは、以下：PUSCH（physical  uplink  shared  channel、物理アップリンク共有チャネル）、PDCCH（physical  downlink  control  channel物理ダウンリンク制御チャネル）、EPDCCH（enhanced−physical  downlink  control  channel拡張物理ダウンリンク制御チャネル）MPDCCH（MTC  physical  downlink  control  channel、MTC物理ダウンリンク制御チャネル）、PCFICH（physical  control  format  indicator  channel、物理制御フォーマット指示チャネル）、PHICH（physical  hybrid  ARQ  indicator  channel、物理ハイブリッドARQ指示子チャネル）、PDSCH（physical  downlink  shared  channel、物理ダウンリンク共有チャネル）等、のうちの１つ又は組合せを含んで良く、又は、標準に新たに導入される及び異なる名称であるが同じ機能を持つ、例えば制御チャネル又はショートTTI送信に導入されるデータチャネル、チャネルであって良い。
【００８２】
実施形態は、本発明では、復調参照信号を参照して記載される。参照信号（reference  signal、RS）は、物理レイヤで使用され、上位レイヤからのデータ情報、例えばダウンリンクで使用されるセル固有参照信号（cell−specific  reference  signal、CRS）、ダウンリンクで使用されるUE固有参照信号（UE−specific  reference  signal、UE−RS）、ダウンリンクで使用されるグループ固有参照信号（group−specific  reference  signal、GRS）、アップリンクで使用される復調参照信号（demodulation  reference  signal、DMRS）、又はサウンディング参照信号（sounding  reference  signal、SRS）、を伝達しない。ダウンリンクで使用されるUE−RSは、ダウンリンクで使用される復調参照信号（demodulation  reference  signal、DMRS）としても参照される。
【００８３】
ダウンリンクDMRSは、EPDCCH復調のために使用されるEPDCCH  DMRS及びPDSCH復調のために使用されるPDSCH  DMRSを含む。端末装置は、チャネル推定をDMRSに基づき実行し、次に対応するEPDCCH又はPDSCHを推定したチャネル値に基づき復調して、EPDCCH又はPDSCH上で伝達される様々なデータ、情報、信号、等を取得する。
【００８４】
理解されるべきことに、LTEシステム及び進化型LTEシステムでは、時間次元の観点からは、サブフレームの時間長は１msであり、通常巡回プレフィックス（normal  cyclic  prefix、NCP）サブフレームは１４個のシンボルを含む。周波数次元の観点からは、最小単位はサブキャリアである。物理リソースブロック（physical  resource  block、PRB）は周波数ドメインで１２個のサブキャリアを含む。リソースブロックグループ（resource  block  group、RBG）は、整数個のPRBを含んで良い。時間次元及び周波数次元の両方の観点から、アンテナポート送信のために使用されるリソースの最小単位はリソースエレメント（resource  element、RE）である。１個のREは、時間ドメインにおいて１個のシンボル、及び周波数ドメインにおいて１個のサブキャリアを含む。リソースエレメントグループ（resource−element  group、REG）は、整数個のREを含んで良い。
【００８５】
更に理解されるべきことに、短送信時間間隔（short  transmission  time  interval、sTTI）送信は、１サブフレームより短い長さのTTI又は１msより短い長さのTTIにおける送信である。例えば、sTTI長は、１シンボル、２シンボル、３シンボル、４シンボル、５シンボル、６シンボル、又は７シンボルである。代替として、１サブフレーム内のシンボルは、通常、整数個のsTTIに分割され、sTTI送信がサブフレーム境界を跨がないようにする。具体的に言うと、１サブフレームは１種類のシンボル長を含み得る。例えば、sTTI長は７シンボルであり、１サブフレームは２個のsTTIを含み、各sTTIの長さは７シンボルである。代替として、１サブフレームは複数種類のシンボル長の結合を含んで良い。例えば、sTTI長は２シンボルであるが、PDCCHが１〜３個のシンボルを占有して良いことを考慮すると、１サブフレームは６sTTIを含み、sTTIの長さはそれぞれ３シンボル、２シンボル、２シンボル、２シンボル、２シンボル、及び３シンボルである。或いは、２個のシンボルが通常PDCCHのために構成されることを考慮すると、sTTIの長さはそれぞれ２シンボル、２シンボル、３シンボル、２シンボル、２シンボル、及び３シンボルであり、又は別の組み合わせが使用される。異なる長さを有する複数の短TTIがシステム内に存在し得る。例えば、システムは、７シンボルsTTI送信及び２シンボルsTTI送信が１サブフレーム内で実行されることをサポートする。
【００８６】
更に理解されるべきことに、本発明の実施形態におけるリソース（例えば、第１リソース又は第２リソース）は、一般的意味における通信リソースであって良い。リソースは、２つの次元：時間及び周波数における通信リソースであって良い。言い換えると、通信リソースは、時間ドメインリソース及び周波数ドメインリソースを含んで良い。リソースは、符号ドメインリソース及び空間ドメインリソースを更に含んで良い。
【００８７】
以下は、図１及び図２を参照して本発明の実施形態における制御チャネル送信方法を詳細に記載する。
【００８８】
図１は、本発明の一実施形態による制御チャネル送信方法の概略フローチャートである。図１は、制御チャネル送信方法１００のステップ又は動作を示すが、該ステップ又は動作は単に例であり、他の動作又は図１中の動作の変形が代替として本発明の本実施形態において実行されて良い。さらに、図１のステップは、図１に示されたものと異なる順序で実行されて良く、場合によっては必ずしも図１の全ての動作が実行される必要はない。制御チャネル送信方法１００は以下のステップを含み得る。
【００８９】
Ｓ１１０。第１制御チャネルをM個の連続番号を付された第１送信要素にマッピングする。ここで、送信要素は、制御チャネルを送信するために使用される最小単位であり、第１制御チャネルはデータチャネルをスケジューリングするために使用され、M≧１である。
【００９０】
理解されるべきことに、第１制御チャネルは、少なくとも３種類のダウンリンク制御情報（downlink  control  information、DCI）：（ダウンリンクデータチャネルを受信するために使用される）ダウンリンクデータ送信のためのスケジューリング情報、（アップリンクデータチャネル送信をスケジューリングするために使用される）アップリンクデータ送信のためのスケジューリング情報、及び（アップリンク電力制御及び調整を指示するために使用される）アップリンク電力制御コマンド、のうちの任意の１つを送信して良い。
【００９１】
Ｓ１２０。第１制御チャネルを端末装置へ送信する。
【００９２】
図２は、本発明の一実施形態による制御チャネル送信方法の別の概略フローチャートである。図２は、制御チャネル送信方法２００のステップ又は動作を示すが、該ステップ又は動作は単に例であり、他の動作又は図２中の動作の変形が代替として本発明の本実施形態において実行されて良い。さらに、図２のステップは、図２に示されたものと異なる順序で実行されて良く、必ずしも図２の全ての動作が実行される必要はない。制御チャネル送信方法２００は以下のステップを含み得る。
【００９３】
Ｓ２１０。ネットワーク装置により送信された第１制御チャネルを受信する。ここで、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である。
【００９４】
Ｓ２２０。データチャネルを第１制御チャネルに基づき受信又は送信する。
【００９５】
具体的に、第１制御チャネルを送信する前に、ネットワーク装置は、第１制御チャネルを送信するために使用されるリソースを決定して良い。具体的に言うと、M個の第１送信要素は、第１制御チャネルを送信するために使用される。第１制御チャネルをM個の第１送信要素にマッピングした後に、ネットワーク装置は、M個の第１送信要素を用いて第１制御チャネルを送信して良い。端末装置は、ネットワーク装置により送信された第１制御チャネルを受信する。第１制御チャネルは、少なくとも以下の２つの場合を含んで良い。
【００９６】
（１）第１制御チャネルがDL許可である場合
方法１００は、データチャネルを端末装置へ送信するステップを更に含み、
方法２００は、ネットワーク装置により送信されたデータチャネルを受信するステップを更に含む。
【００９７】
（２）第１制御チャネルがUL許可である場合
方法２００は、データチャネルをネットワーク装置へ送信するステップを更に含み、
方法１００は、端末装置により送信されたデータチャネルを受信するステップを更に含む。
【００９８】
本発明の実施形態で提供される方法では、第１制御チャネルを送信するとき、ネットワーク装置は、先ず、第１制御チャネルをM個の連続番号を付された第１送信要素にマッピングして、端末装置がブラインド検出を実行する回数が削減でき、したがって端末装置のブラインド検出の複雑さが低減されるようにする。
【００９９】
留意すべきことに、送信要素（例えば、後に開示される第１送信要素及び第２送信要素及び第３送信要素）の概念が本発明の実施形態に導入される。送信要素（transmission  element、TE）は、制御チャネルを送信するために使用される最小単位であり、１つの制御チャネルは整数個の送信要素を用いて送信されて良い。具体的に、送信要素は、LTEシステムにおいてPDCCHを送信するために使用されるCCE（control  channel  element）であって良く、又はLTEシステムにおいてEPDCCH又はMPDCCHを送信するために使用されるECCE（enhanced  control  channel  element）であって良く、又はPRB、RBG、若しくはREGのうちの１つであって良く、又は制御チャネルを送信するために使用され及びsTTI送信で導入される最小単位、又は制御チャネルを送信するために使用され及び将来の５Gシステムにおいて導入される最小単位であって良い。これは、本発明において限定されない。
【０１００】
理解及び説明を容易にするために、以下は、本発明の実施形態を、sTTI送信における制御チャネル（sPDCCH）及び／又はデータチャネル（sPDSCH）の送信及び受信を例として用いて記載する。
【０１０１】
１．sPDCCH領域の決定
【０１０２】
任意で、ネットワーク装置は、sPDCCHを送信するために使用可能であり及び１sTTIの範囲内の送信要素により占有される周波数ドメインリソースを決定する。具体的に、周波数ドメインリソースはPRB又はRBGである。
【０１０３】
留意すべきことに、異なる長さを有する複数のsTTIにおけ送信をサポートするサービスが、システム内に存在し得る。任意で、同じ設計が、異なる長さを有するsTTIに対応するsPDCCHのために使用されて良い。２シンボルsTTI及び７シンボルsTTIが一例として使用される。時間ドメインにおいてsPDCCHのために使用可能なリソースは、２シンボルsTTIの長さだけ短縮される。具体的に言うと、２シンボルsTTIに対応するsPDCCH、及び７シンボルsTTIに対応するsPDCCHは、両方とも、時間ドメインにおいて最大２個のシンボルを占有して良い。したがって、２つの長さを有するsTTIにおけるsPDCCHの送信方法は同じである。異なる長さを有するsTTIにおける送信をサポートする端末装置がシステム内に存在し得るので、異なる長さを有するsTTIに対応するsPDCCHのために同じ設計を用いることは、ネットワーク装置により実行されるスケジューリング、及び端末装置により実行されるブラインド検出を実現する。
【０１０４】
本発明の実施形態では、sPDCCH設計は、１シンボルが占有される又は２シンボルが占有される一例を用いて記載されるが、本発明はこれに限定されない。
【０１０５】
任意で、sPDCCHを送信するために使用可能であり及び１sTTIの範囲内の送信要素により占有される周波数ドメインリソースは、正整数個のRBGである。１RBGは１又は複数のPRBを含む。図３は、本発明の一実施形態による制御チャネルリソース割り当ての一例の概略図である。具体的に、図３は、sPDCCHを送信するために使用可能である及び２シンボルsTTIにおける送信要素により占有される複数のRBGの概略図である。図３に示すように、送信要素は、sTTIの位置する帯域幅内に位置付けられ、時間において２シンボルを占有し、周波数ドメインにおいて５RBGを占有する。各RBGは１又は複数の送信要素を含んで良い。任意で、端末装置は、所定の方法で又はネットワーク装置のシグナリング通知を通じて、５個のRBGの位置を通知されて良い。
【０１０６】
任意で、ネットワーク装置は、sTTIにおけるsTTIダウンリンクデータ受信をスケジューリングするために使用されるsPDCCHが、sPDCCHに対応するsPDSCHの位置するPRBに含まれる送信要素上に位置することを決定する。sTTI送信処理では、リソース利用効率を向上するために、sPDCCHを送信するために使用されず且つsPDSCHの位置するPRB内に含まれる送信要素の中にある送信要素は、sTTIにおけるデータチャネル送信のために使用されて良い。
【０１０７】
特定のスケジューリング処理では、任意で、ネットワーク装置及び端末装置は、制御チャネルが番号の昇順に送信要素を占有することに合意して良い。システム内にDL許可だけが存在する場合、ネットワーク装置は、端末装置のsPDCCHを、該端末装置のsPDSCHの位置するPRBに含まれる送信要素にマッピングする。システム内にDL許可及びUL許可の両方が存在する場合、ネットワーク装置は、UL許可を送信するために、端末装置のsPDSCHの位置するPRBに含まれる送信要素のうち比較的小さい番号を有する送信要素を使用し、UL許可をマッピングした後に、DL許可をマッピングする。DL許可及びUL許可は両方とも、連続番号を付された送信要素を占有する。これを行うことの利点は以下の通りである。sPDCCHを検出した後に、端末装置は、sPDCCHにより占有される最大番号の送信要素を知ることができ、該最大番号に基づき、sPDSCHの位置するPRBに含まれる送信要素のうち最大番号以下の番号の送信要素がsPDCCHを送信するために既に使用されていることを決定し、sPDSCHの位置するPRBに含まれる送信要素のうち最大番号より大きい番号の送信要素がデータ送信のために使用されると決定する。
【０１０８】
２．端末装置がsPDCCHを検出する方法
【０１０９】
任意で、ネットワーク装置は、sPDCCHを送信するために使用可能であり且つ１sTTI内にある送信要素により占有される時間ドメインリソース、該送信要素により占有される周波数ドメインリソース、該送信要素の数、該送信要素の番号、該送信要素に対応する物理リソース、端末装置の探索空間、及びsPDCCHの探索のために端末装置により使用される集約レベル、のような少なくとも１種類の情報を決定し、端末装置に前述の情報を所定の方法で又はシグナリング通知を通じて通知する。さらに、任意で、ネットワーク装置は、端末装置に、前述の情報をRRCシグナリング又は物理レイヤシグナリングを用いて通知して良い。留意すべきことに、リソース利用率を向上するために、ネットワーク装置は、sPDCCH送信のために使用されない送信要素を使用して、データチャネル、参照信号、又は他の情報を送信して良い。
【０１１０】
任意で、ネットワーク装置は、異なる端末装置のsPDCCHを対応する端末装置へ１sTTI内の送信要素で送信して良い。複数のsPDCCHは多重化されて探索空間全体を形成する。端末装置は、探索空間全体又は端末装置の探索空間内の全ての可能なsPDCCHについてブラインド検出を実行して、ネットワーク装置により端末装置へ送信されたsPDCCHがあるか否かを決定する。端末装置がsPDCCHに対してブラインド検出を実行する回数を削減するために、ネットワーク装置により端末装置へ送信されるsPDCCHは、M個の連続番号を付された送信要素で伝達され、Mは正整数である。端末装置がブラインド検出を実行する回数を更に削減するために、ネットワーク装置はMの値範囲、つまりsPDCCH集約レベルを制限し、ツリーのような集約方法を使用して良い。例えば、Mの値範囲は１、２、４、及び８である。言い換えると、集約レベルは１、２、４、又は８である。１つのsPDCCHは、１個の送信要素、２個の送信要素、４個の送信要素、又は８個の送信要素を使用することによってのみ送信できる。１個の送信要素を用いて送信されるsPDCCHの送信は、任意の位置の送信要素から開始して良い。２個の送信要素を用いて送信されるsPDCCHの送信は、偶数番号の送信要素から開始する。４個の送信要素を用いて送信されるsPDCCHの送信は、４の整数倍の番号を付された送信要素から開始する。８個の送信要素を用いて送信されるsPDCCHの送信は、８の整数倍の番号を付された送信要素から開始する。
【０１１１】
任意で、端末装置は、以下の方法で、ネットワーク装置により送信された最初のsPDCCHを受信して良い。端末装置は、ネットワーク装置により通知された探索空間内のsPDCCHに対して又はsPDCCHを送信するために使用可能な且つ１sTTI内にある送信要素に対して、ブラインド検出を実行する。端末装置は、システムによりサポートされる可能な集約レベル又はネットワーク装置により通知された集約レベルに基づき、検出を実行する。例えば、探索空間のサイズは８個の送信要素であり、sPDCCH集約レベルは１、２、４、又は８であって良い。８個の送信要素は０〜７の番号を付される。ブラインド検出中、端末装置は、先ず、１個のsPDCCHが１個の送信要素にマッピングされると想定し、０〜７の番号を付された全ての送信要素に対して検出を実行して、端末装置のsPDCCHが存在するか否かを決定する。この場合、検出は全部で８回実行される。端末装置のsPDCCHが検出されない場合、次に、１個のsPDCCHが２個の送信要素にマッピングされていると仮定される。検出が送信要素０及び１に対して実行され、端末装置のsPDCCHが存在するか否かを決定する。端末装置のsPDCCHが検出されない場合、検出は送信要素２及び３に対して実行され、以下同様である。検出が２個の送信要素に基づき実行されたとき、端末装置のsPDCCHが検出されない場合、端末装置は、次に、１個のsPDCCHが４個の送信要素にマッピングされていると仮定し、送信要素０、１、２、及び３、並びに送信要素４、５、６、及び７に対して別個に検出を実行して、端末装置のsPDCCHが存在するか否かを決定する。端末装置のsPDCCHが検出されない場合、端末装置は、１個のsPDCCHが８個の送信要素にマッピングされていると仮定し、送信要素０、１、２、３、４、５、６、及び７に対して検出を実行して、端末装置のsPDCCHが存在するか否かを決定する。探索空間全体が探索された後に端末装置のsPDCCHが検出されない場合、端末装置は、ネットワーク装置がsTTIにおいて端末装置をスケジューリングしていないと考える。端末装置のsPDCCHが探索処理中に検出された場合、端末装置は、探索を停止し、sPDCCHの内容に基づきダウンリンクデータを受信し又はアップリンクデータを送信して良い。
【０１１２】
３．送信要素と物理リソースとの間の対応
【０１１３】
任意で、ネットワーク装置は、１つのsTTIの中のsPDCCH領域内の全ての送信要素に番号を付ける。具体的に、送信要素は番号と１対１対応にあり、番号は昇順に配置される。例えば、１つのsTTIの中のsPDCCH領域が１０個の送信要素を含むと仮定すると、ネットワーク装置は１０個の送信要素に０から９まで番号を付けて良い。
【０１１４】
留意すべきことに、送信要素は物理リソースと１対１対応にある。任意で、本発明の実施形態では、sPDCCH領域内の１個のRBGはN個のPRBを含み、Nは正整数であり、N個のPRBはP個の送信要素を含み、Pは正整数である。任意で、P個の送信要素の各々はN個のPRB上に位置し、各送信要素は１個のPRB内のT個のREを占有し、Tは正整数である。N個のPRBの中の各送信要素により占有されるi番目のREがi番目のREGとして考えられる場合、これは、各送信要素がT個のREGを含み、各REGがN個のREを含むと考えられて良い。１個のRBGが８個のPRBを含み、８個のPRBが４個の送信要素を含む一例を用いて、説明が以下に提供される。図４Ａは、本発明の一実施形態によるリソースマッピング図の一例の概略図である。さらに、図４Ａは、具体的に、１シンボル内の１個のRBGに含まれる送信要素が物理リソースにマッピングされる概略図である。図４Ａに示すように、RBGのサイズは８個のPRBであり、それぞれTEa、TEb、TEc、TEdである４個の送信要素を含む。４個の送信要素の各々は８個のPRBに位置し、各送信要素は１個のPRB内の３個のREを占有する。複数のPRBの中の各送信要素により占有されるi番目のREが１個のREGとして考えられる場合、これは、各送信要素が３個のREGを含み、各REGが８個のREを含むと考えられて良い。
【０１１５】
図４Ｂは、本発明の一実施形態によるリソースマッピング図の別の例の概略図である。さらに、図４Ｂは、具体的に、２シンボル内の１個のRBGに含まれる送信要素が物理リソースにマッピングされる概略図である。図４Ｂに示すように、RBGのサイズは８個のPRBであり、それぞれTEa、TEb、TEc、TEdである４個の送信要素を含む。４個の送信要素の各々は８個のPRBに位置し、各送信要素は１個のPRB内の６個のREを占有する。複数のPRBの中の各送信要素により占有されるi番目のREが１個のREGとして考えられる場合、これは、各送信要素が６個のREGを含み、各REGが８個のREを含むと考えられて良い。代替として、各送信要素により占有され且つ複数のPRB内のi番目のサブキャリア内に位置するREは、１個のREGとして考えられて良い。したがって、これは、各送信要素が３個のREGを含み、各REGが２４個のREを含むと考えられて良い。
【０１１６】
１個の送信要素と複数のPRB上の物理リソースとの間の対応が確立され、端末装置が、sPDCCHに対してブラインド検出を実行するとき、複数のPRBを用いることにより一緒にチャネル推定を実行できるようにし、チャネル推定性能を向上する。
【０１１７】
さらに、任意で、Nが２以上であるとき、N個のPRBのうちの少なくとも２個のPRB上のP個の送信要素のうちの少なくとも１個の送信要素の位置は異なって良い。図４Ｃは、本発明の一実施形態によるリソースマッピング図の更に別の例の概略図である。さらに、図４Ｃは、具体的に、２シンボル内の１個のRBGに含まれる送信要素が物理リソースにマッピングされる概略図である。図４Ｃに示すように、RBGのサイズは８個のPRBであり、それぞれTEa、TEb、TEc、TEdである４個の送信要素を含む。４個の送信要素の各々は８個のPRB上に位置し、各送信要素は１個のPRB内の６個のREを占有し、８個のPRBのうちの少なくとも２個のPRB上の少なくとも１個の送信要素の位置は異なる。図に示されるように、PRB０内のTEaにより占有される第１REはPRB０内の第１サブキャリアに位置し、PRB１内のTEaにより占有される第１REはPRB１内の第４サブキャリアに位置する。言い換えると、PRB０及びPRB１上のTEaの位置は、異なる。複数のPRBの中の各送信要素により占有されるi番目のREが１個のREGとして考えられる場合、これは、各送信要素が６個のREGを含み、各REGが８個のREを含むと考えられて良い。代替として、各送信要素により占有され且つ複数のPRB内のi番目のサブキャリア内に位置するREは、１個のREGとして考えられて良い。したがって、これは、各送信要素が３個のREGを含み、各REGが２４個のREを含むと考えられて良い。
【０１１８】
参照信号がRBG内で送信される必要がある場合、参照信号は各PRB内の同じ位置にあり各PRB内で同数のREを占有するので、参照信号は、このようなリソースマッピングを用いてRBG内の送信要素の中の同様の数のリソースを占有し、DCI又はデータを送信するために使用可能であるリソース数と送信要素により占有されるリソース数との間のバランスを保証する。
【０１１９】
４．制御チャネルを送信要素に対応する物理リソースにマッピングするマッピング方法
【０１２０】
任意で、一例では、ネットワーク装置は第１制御チャネルをM個の第１送信要素にマッピングする。具体的に、ネットワーク装置は、先ず、M個の第１送信要素を決定し、又は制御チャネルを送信するために使用される送信要素の数がMであると決定して良い。具体的に、第１制御チャネルをM個の第１送信要素にマッピングする方法は以下の通りである。
【０１２１】
マッピング方法１。シーケンシャルマッピング。
【０１２２】
具体的に、ネットワーク装置は、第１制御チャネルを、送信要素の番号の昇順にM個の第１送信要素にマッピングして良い。
【０１２３】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素０に、次に送信要素１に、次に送信要素２に、そして最後に送信要素３にマッピングする。
【０１２４】
留意すべきことに、ネットワーク装置が第１制御チャネルをマッピング方法１でマッピングするとき、幾つかの状況では、第１制御チャネルはM個の第１送信要素にマッピングされるが、端末装置は、第１制御チャネルをM−G個の送信要素だけを用いて取得して良い。結果として、端末装置は、誤って、第１制御チャネルがM−G個の送信要素にマッピングされていると考え、端末装置の処理においてエラーが生じ得る（G≧１）。
【０１２５】
例えば、第１制御チャネルが送信要素０、１、２、及び３にマッピングされると仮定する。ブラインド検出中、端末装置は、送信要素０及び１のみを用いて第１制御チャネルを正しく受信し、その結果、誤って、第１制御チャネルが送信要素０及び１上のリソースを占有すると考え得る。この場合、端末装置は、送信要素２及び３が第１制御チャネルを送信するために使用されていないと考え、更に送信要素２及び３がデータチャネルを送信するために使用されると考える。その結果、端末装置は、間違ったレートマッチング処理をデータチャネルに対して実行する。この現象を回避するために、ネットワーク装置は以下の幾つかのマッピング方法を使用して良い。
【０１２６】
マッピング方法２。先ず、M個の第１送信要素の中で最大番号を有する送信要素にマッピングする。
【０１２７】
具体的に、マッピング方法２では、制御チャネルをM個の第１送信要素にマッピングするとき、ネットワーク装置は、先ず、制御チャネルを最大番号を有する第１送信要素にマッピングし、制御チャネルを、M個の第１送信要素の中で最大番号を有する第１送信要素以外の送信要素にマッピングする順序は、本発明の実施形態において限定されない。
【０１２８】
例えば、第１制御チャネルが送信要素０、１、２、及び３にマッピングされると仮定する。具体的に、ネットワーク装置が第１制御チャネルを４個の第１送信要素にマッピングする順序は、先ず、第１制御チャネルを送信要素３にマッピングし、次に第１制御チャネルを送信要素１、２、及び０にマッピングする。ブラインド検出中、端末装置は、第１制御チャネルが先ず送信要素３にマッピングされていると仮定されるときのみ、第１制御チャネルを正しく復調できる。したがって、第１制御チャネルを正しく復調した後に、端末装置は、送信要素３が占有されると決定し、更に番号が３より大きい送信要素のみがデータチャネルのために使用可能であると決定して良い。この方法では、データレートマッチング誤りの現象は生じない。
【０１２９】
マッピング方法２では、所与の集約レベルで、ネットワーク装置は、先ず、制御チャネルを最大番号を有する送信要素にマッピングし、ブラインド検出中、制御チャネルが先ず最大番号を有する送信要素にマッピングされていると仮定されるときのみ、端末装置は復調を正しく実行でき、端末装置が最大番号を有し且つ制御チャネルを送信するために使用される送信要素を決定し、及び番号が最大番号以下の全ての送信要素は制御チャネルを送信するために使用されると決定できるようにし、それによりデータレートマッチング誤りの発生を回避する。
【０１３０】
マッピング方法３。逆順マッピング。
【０１３１】
具体的に、マッピング方法３は、マッピング方法２に基づく更なる限定である。マッピング方法３では、ネットワーク装置は、第１制御チャネルを、送信要素の番号の降順にM個の第１送信要素にマッピングして良い。
【０１３２】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素３に、次に送信要素２に、次に送信要素１に、そして最後に送信要素０にマッピングする。
【０１３３】
マッピング方法２と比べて、マッピング方法３では、第１制御チャネルをネットワーク装置によりマッピングする際の効率が向上され得る。理由は次の通りである。マッピング方法３はマッピング方法１と類似しており、ネットワーク装置は、第１制御チャネルを、送信要素の番号の降順にM個の第１送信要素にマッピングする。制御チャネルがマッピング方法３でマッピングされるとき、データレートマッチング誤りの発生が回避できるだけでなく、制御チャネルをネットワーク装置によりマッピングする際の効率も向上され得る。
【０１３４】
マッピング方法４。インターリーブ方法。
【０１３５】
具体的に、マッピング方法４では、ネットワーク装置は、第１制御チャネルを、送信要素の番号をインターリーブすることによりM個の第１送信要素にマッピングして良い。
【０１３６】
例えば、第１制御チャネルが４個の第１送信要素にマッピングされ、４個の送信要素の番号がそれぞれ０、１、２、及び３であると仮定する。ネットワーク装置が第１制御チャネルを４個の第１送信要素にマッピングする順序は、先ず、第１制御チャネルを送信要素０に、次に送信要素２に、次に送信要素１に、そして最後に送信要素３にマッピングする。この場合、ブラインド検出中に、端末装置は、送信要素０及び１のみ又は送信要素２及び３のみに基づき第１制御チャネルを正しく復調できず、それによりデータレートマッチング誤りの発生を回避する。
【０１３７】
したがって、本発明の実施形態におけるマッピング方法２、３、及び４は、端末装置が、最大番号を有し且つ制御チャネルを送信するために使用される送信要素を正しく決定し、番号が最大番号以下の全ての送信要素が制御チャネルを送信するために使用されることを決定できるようにし、それによりデータレートマッチング誤りの発生を回避する。
【０１３８】
前述の４つの方法では、ネットワーク装置が第１制御チャネルをM個の第１送信要素に、送信要素の番号に基づきマッピングする順序又はルールは、制御チャネルを送信要素にマッピングする観点から記載された。マッピング順序が決定された後に、第１制御チャネルはM個の第１送信要素に対応する物理リソースにマッピングされる必要がある。以下は、ネットワーク装置が第１制御チャネルをM個の第１送信要素に対応するリソースにマッピングする方法を具体的に記載する。
【０１３９】
任意で、本発明の実施形態では、ネットワーク装置は、インターリーブ方法で、第１制御チャネルをM個の第１送信要素に対応するリソースにマッピングして良い。具体的に、M個の第１送信要素の各々はリソースエレメントREのT個のグループを含む。第１制御チャネルをマッピングするとき、ネットワーク装置は、先ず、M個の第１送信要素の各々の中のREのi番目のグループを占有し、次に、各第１送信要素の中のREの（i+１）番目のグループを占有する。ここで、T≧２、iの値は１〜Tの範囲である。
【０１４０】
説明は、図４Ａに示される、送信要素を物理リソースにマッピングする構造を参照して、以下に提供される。
【０１４１】
Mは１であると仮定する。具体的に言うと、ネットワーク装置は、制御チャネルを１個の送信要素にマッピングする必要がある。図５Ａは、本発明の一実施形態によるリソースマッピング図の更に別の例の概略図である。具体的に、図５Ａは、制御チャネルが１個の送信要素にマッピングされる概略図である。ネットワーク装置は第１制御チャネルを送信要素TEaにマッピングすると仮定する。第１制御チャネルをマッピングするとき、ネットワーク装置は、先ず、各PRB内のTEaの第１REを占有し、次に、各PRB内のTEaの第２REを占有し、Teaに含まれる全てのREが占有されるまで、以下同様である。図５Ａでは、REの番号は、制御チャネルが送信要素TEa内のREを占有する順序を示す。
【０１４２】
Mは２であると仮定する。具体的に言うと、ネットワーク装置は、制御チャネルを２個の送信要素にマッピングする必要がある。図５Ｂは、本発明の一実施形態によるリソースマッピング図のまた別の例の概略図である。具体的に、図５Ｂは、制御チャネルが２個の送信要素にマッピングされる概略図である。ネットワーク装置は第１制御チャネルを送信要素TEa及びTEbにマッピングすると仮定する。第１制御チャネルをマッピングするとき、ネットワーク装置は、順次、各PRB内のTEaの第１RE、各PRB内のTEｂの第１RE、各PRB内のTEaの第２RE、各PRB内のTEｂの第２RE、TEa及びTEbに含まれる全てのREが占有されるまで、以下同様に占有する。図５Ｂでは、REの番号は、制御チャネルが送信要素TEa及びTEb内のREを占有する順序を示す。
【０１４３】
Mは４であると仮定する。具体的に言うと、ネットワーク装置は、制御チャネルを４個の送信要素にマッピングする必要がある。図５Ｃは、本発明の一実施形態によるリソースマッピング図の更に別の例の概略図である。具体的に、図５Ｃは、制御チャネルが４個の送信要素にマッピングされる概略図である。ネットワーク装置は第１制御チャネルを送信要素TEa、TEb、TEc、及びTEdにマッピングすると仮定する。第１制御チャネルをマッピングするとき、ネットワーク装置は、順次、各PRB内のTEaの第１RE、各PRB内のTEｂの第１RE、各PRB内のTEcの第１RE、各PRB内のTEdの第１RE、各PRB内のTEaの第２RE、各PRB内のTEｂの第２RE、各PRB内のTEcの第２RE、各PRB内のTEdの第２RE、TEa、TEb、TEc、及びTEdに含まれる全てのREが占有されるまで、以下同様に占有する。図５Ｃでは、REの番号は、制御チャネルが送信要素TEa、TEb、TEc、及びTEd内のREを占有する順序を示す。
【０１４４】
図４Ｂ及び図４Ｃに示される構造に対するマッピング方法は、図４Ａのものと同様であり、詳細はここに記載されない。留意すべきことに、送信要素が２個のシンボルを含むとき、送信要素の中のREのi番目のグループ及びREの（i＋１）番目のグループをマッピングする順序は、先ず時間ドメインで次に周波数ドメインであり、又は先ず周波数ドメインで次に時間ドメインであって良い。これは、本発明において限定されない。
【０１４５】
ネットワーク装置は、この方法でマッピングを実行し、１つの制御チャネルを異なる集約レベルに対応する１又は複数の送信要素にマッピングする方法が異なるようにし、したがって、端末装置は、ブラインド検出を通じて、制御チャネルを送信するために使用される送信要素を決定できる。
【０１４６】
留意すべきことに、方法は、制御チャネルを送信要素にマッピングする４つのマッピング方法のうちのいずれか１つと結合されて良い。例えば、M=４であると仮定する。ネットワーク装置が番号の通常の順序でマッピングを実行する場合、図４Ａで、TEaは送信要素０であり、TEbは送信要素１であり、TEcは送信要素２であり、TEdは送信要素３である。ネットワーク装置が番号の逆の順序でマッピングを実行する場合、図４Ａで、TEaは送信要素３であり、TEbは送信要素２であり、TEcは送信要素１であり、TEdは送信要素０である。
【０１４７】
更に留意すべきことに、マッピング方法１を本方法と結合することは、端末装置が、ブラインド検出を通じて、制御チャネルを送信するために使用される送信要素を決定することも可能にする。
【０１４８】
さらに、本発明の実施形態における方法では、制御チャネルが送信要素の中のREにマッピングされるとき、インターリービングが実行され、ダイバーシティ利得を得るために、１個の送信要素が異なる符号変調シンボルを含み得るようにする。
【０１４９】
５．非占有送信要素がsPDSCH送信のために使用されることの黙示的指示
【０１５０】
以上は、ネットワーク装置は第１制御チャネルをM個の第１送信要素にマッピングすることを記載した。第１制御チャネルがダウンリンクデータ送信をスケジューリングするために使用される、具体的に言うと、ネットワーク装置が第１制御チャネル及びデータチャネルの両方を送信する場合、データチャネルがF（F≧１）個の送信要素を含むとき、制御チャネルにより占有されず且つF個の送信要素の中にある送信要素は、ダウンリンクデータチャネルを送信するために使用される。従来、ネットワーク装置は、シグナリングを端末装置へ送信することにより、ダウンリンクデータチャネルを送信するために使用され且つデータチャネルに対応するリソースの中にある送信要素を示し、その結果、シグナリングオーバヘッドが比較的高い。
【０１５１】
前述の問題を解決するために、ネットワーク装置は、第１制御チャネルにより占有される第１送信要素を用いて、データチャネルを送信するために使用され且つ端末装置のデータ領域に含まれるF個の送信要素の中にある特定送信要素を黙示的に示して良く（留意すべきことに、端末装置のデータ領域は端末装置のデータチャネルに対応するリソース、つまり端末装置のデータチャネルの位置するPRBであって良い）、シグナリングオーバヘッドが削減できるようにする。以下は、ネットワーク装置が端末装置に黙示的に通知する幾つかの方法を詳述する。
【０１５２】
任意的な実施形態では、ネットワーク装置は、M個の第１送信要素の番号（又は最大番号）を用いて、端末装置に、データチャネルの位置するPRBに含まれるF個の送信要素の中のf番目の送信要素がデータチャネルを送信するために使用可能か否かを黙示的に通知して良い。ここでf=１、．．．、Fである。
【０１５３】
留意すべきことに、本発明の実施形態におけるM個の第１送信要素は、第１制御チャネルを送信するために使用される送信要素であり、F個の送信要素は端末装置のダウンリンクデータチャネルに対応するリソースに含まれる送信要素であり、F個の送信要素及びM個の第１送信要素は同じ送信要素を含んで良く、又は異なる送信要素を含んで良い。
【０１５４】
具体的に、送信要素は、番号と１対１対応にある。具体的に言うと、M個の第１送信要素はMこの番号と１対１対応にあり、F個の送信要素はF個の番号と１対１対応にある。M個の第１送信要素の中の第１送信要素Aの番号が、F個の送信要素の中の送信要素Bの番号と同じ場合、これは、第１送信要素A及び送信要素Bが同じ送信要素であることを示す。ネットワーク装置及び端末装置は、制御チャネルが番号の昇順に送信要素を占有することに合意して良い。例えば、第１制御チャネルに対応するM個の番号が番号Sを含むと仮定すると、これは、F個の送信要素の中で１〜Sの番号を付された送信要素が占有されることを示し得る。したがって、M個の第１送信要素に対応するM個の番号の中で最大番号がkであると仮定するとき、以下の幾つかの場合が含まれ得る。
【０１５５】
（１）F個の送信要素の中のa個の送信要素の番号がkより小さいことは、a個の送信要素の全部が第１制御チャネル（又は場合によっては別の制御チャネル、例えば他のユーザ機器の制御チャネル）により占有されていることを示し得る。したがって、a個の送信要素のうちのいずれも、データチャネルを送信するために使用されない。ここでa≧０である。
【０１５６】
（２）F個の送信要素の中の送信要素Cの番号がkに等しいことは、送信要素Cが第１制御チャネルにより占有されていることを示し得る。したがって、送信要素Cはデータチャネルを送信するために使用されない。
【０１５７】
（３）F個の送信要素のうちの少なくとも１つの番号がkより大きく、F個の送信要素の中で番号がkより大きい送信要素は、第２送信要素であり、少なくとも１つの第２送信要素の各々はデータチャネルを送信するために使用され得る。
【０１５８】
したがって、第１制御チャネルを受信した後に、端末装置は、第１制御チャネルに対応するM個の第１送信要素の番号（又は最大番号）に基づき、F個の送信要素の中で番号がkより大きい少なくとも１つの第２送信要素がデータチャネルを送信するために使用され得ると決定して良く、端末装置がデータチャネルを正しく受信できるようにし、それにより、データレートマッチング誤りの発生を回避する。このソリューションは、簡易且つ動作が容易であり、シグナリングオーバヘッドを削減し、及びリソース利用率を向上する。
【０１５９】
留意すべきことに、「第１送信要素」、「第２送信要素」、「第１制御チャネル」等は、理解及び記載を容易にするために使用される名称であり、本発明に対するいかなる限定も構成するべきではない。端末装置のデータチャネルの位置するPRBに含まれるF個の送信要素、及びM個の第１送信要素は、同じ送信要素を含んで良く又は含まなくて良い。詳細な説明は後に提供される。
【０１６０】
以上は、ネットワーク装置が、送信要素の番号を用いて、データチャネルを送信するために使用可能であり且つデータチャネルに対応するリソースの中の送信要素を黙示的に示し得ることを記載した。データチャネルに対応するリソースが第２送信要素を含む場合、第２送信要素は制御チャネルを送信するために使用されてはならない。
【０１６１】
言い換えると、M個の第１送信要素に対応するM個の番号の中の最大番号はkであり、F個の送信要素は番号がkである第１送信要素を含まない。具体的に言うと、最大番号を有し且つ第１制御チャネルに対応する第１送信要素は、データチャネルに対応するリソースの中にない。
【０１６２】
本ソリューションでは、端末装置のデータチャネルに対応するF個の送信要素は、必ずしも、第１制御チャネルを送信するために使用される送信要素を含まず、第１制御チャネルを送信するために使用されるM個の第１送信要素は、データチャネルに対応するリソースと別個であって良く、ネットワーク装置によるリソース割り当ての柔軟性が向上できるようにする。
【０１６３】
本ソリューションでは、端末装置のデータチャネルの位置するPRBに含まれる送信要素が別の端末装置の制御チャネルを伝達することを許可されるとき、端末装置の制御チャネルは、端末装置のデータチャネルのものと異なるPRBで伝達され、スケジューリングの柔軟性が向上されるようにする。
【０１６４】
留意すべきことに、ネットワーク装置及び端末装置は、両方とも、システムにおける送信要素の数及び送信要素の番号を知っている。端末装置は、ブラインド検出を通じて、ある番号に対応する送信要素が端末装置の制御チャネルを送信するために使用されるか否かを決定し、更に第１制御チャネルに対応する送信要素の番号を学習して良い。
【０１６５】
任意で、本発明の実施形態では、制御チャネルの送信要素を複数の端末装置に割り当てるとき、ネットワーク装置は連続する送信要素を割り当てなくて良い。図６は、本発明の一実施形態による制御チャネルリソース割り当ての概略図である。図６に示されるように、sTTIにおける送信要素の数、及び送信要素の番号は、予め定められて良い。目標sTTI内で、ネットワーク装置は、４個のUEのダウンリンク送信をスケジューリングする。ネットワーク装置は、UE１の第１制御チャネルを３と番号を付された第１送信要素にマッピングする。UE１のデータチャネルの位置するPRBは、０及び２と番号を付された送信要素を含み、番号が３より大きい第２送信要素を含まない。言い換えると、UE１のデータチャネルにより占有されるリソースは、送信要素を含まない。ネットワーク装置は、UE２の第１制御チャネルを２と番号を付された第１送信要素にマッピングする。UE２のデータチャネルの位置するPRBは、１及び４と番号を付された送信要素を含む。送信要素４の番号は２より大きく、送信要素４はデータチャネルを送信するために使用されて良い。ネットワーク装置は、UE３の第１制御チャネルを１と番号を付された第１送信要素にマッピングする。UE３のデータチャネルの位置するPRBは、送信要素を含まない。ネットワーク装置は、UE４の第１制御チャネルを５と番号を付された第１送信要素にマッピングする。UE４のデータチャネルの位置するPRBは、３及び５と番号を付された送信要素を含み、これは、UE４のデータチャネルにより占有されるリソースが送信要素を含まないことを示す。
【０１６６】
したがって、本発明の実施形態における方法では、データチャネルのリソースに含まれる送信要素は、必ずしも第１制御チャネルを送信するために使用されず、このマッピング方法では、ネットワーク装置によるリソース割り当ての柔軟性が向上され得る。さらに、本発明の実施形態における方法では、ネットワーク装置は、第１制御チャネルにより占有されるリソースの位置、及びデータチャネルにより占有されるリソースの位置を柔軟に構成できる。例えば、第１制御チャネルにより占有されるリソースは、データチャネルにより占有されるリソースに隣接して良い。
【０１６７】
６．DMRSに基づき復調されるsPDCCH
【０１６８】
別の任意の実施形態では、第１制御チャネルはDMRSに基づき復調される制御チャネルを含む。DMRSに基づき復調される第１制御チャネルを検出する処理において、端末装置は、先ず、第１制御チャネルのアンテナポートを決定する必要がある。任意で、ネットワーク装置は、複数の方法で、端末装置が第１制御チャネルに対応するアンテナポートを学習することを可能にして良い。方法１では、ネットワーク装置は、端末装置へ、物理レイヤシグナリング又は上位レイヤシグナリングを用いて、第１制御チャネルに対応するアンテナポートを示すために使用される指示情報を送信して良い。方法２では、アンテナポートは送信要素と対応し、ネットワーク装置は、端末装置に、第１制御チャネルを送信するために使用される第１送信要素を用いて、第１制御チャネルに対応するアンテナポートを黙示的に示す。例えば、偶数番号の送信要素に対応するアンテナポートはポート７であり、奇数番号の送信要素に対応するアンテナポートはポート８である。
【０１６９】
任意で、端末装置は、データチャネルのために使用されるアンテナポート及び第１制御チャネルのために使用されるアンテナポートを用いて、データチャネルの位置するPRBの中の送信要素がデータチャネルを送信するために使用可能か否かを決定して良い。具体的に、データチャネルのために使用されるアンテナポートがデータチャネルの位置するPRBの中の送信要素で使用されるアンテナポートを含む場合、データチャネル、及びデータチャネルの位置するPRBの中の送信要素は、同じDMRSアンテナポートを用いて復調される。この場合、制御チャネルを送信するために使用されない送信要素は、データチャネルを送信するために使用されて良い。例えば、データチャネルのアンテナポートがポート７及び８であり、データチャネルにより占有されるPRBに含まれる少なくとも１つの第３送信要素に対応するアンテナポートはポート８であり、少なくとも１つの第３送信要素は制御チャネルにより占有されない。この場合、少なくとも１つの第３送信要素は、データチャネルを送信するために使用されて良い。
【０１７０】
図７は、本発明の一実施形態によるリソースマッピング図の更に別の例の概略図である。さらに、図７は、具体的に、データチャネルのアンテナポート及び送信要素のアンテナポートに基づき、データ送信のために使用される送信要素を決定する概略図である。図７に示されるように、データチャネル領域は６個の送信要素を含み、２個の送信要素が制御チャネルを送信するために使用される。残りの４個の送信要素は、２個の第３送信要素A及び２個の第３送信要素Bを含む。第３送信要素Aに対応するアンテナポートはポート７であり、第３送信要素Bに対応するアンテナポートはポート８である。データチャネルに対応するアンテナポートはポート７及び８である。データチャネル及び送信要素は同じDMRSを用いて復調されうので、第３送信要素A及び第３送信要素Bはデータチャネルを送信するために使用されて良い。
【０１７１】
したがって、本発明の実施形態における方法では、データ送信のために使用可能であり且つデータチャネルに対応するリソースに含まれる送信要素の中の特定送信要素は、データチャネルのために使用されるアンテナポート及びデータチャネルの位置するPRB内の送信要素において使用されるアンテナポートを用いて決定され得る。したがって、本方法では、シグナリングオーバヘッドが削減でき、動作は簡易且つ実装が容易である。
【０１７２】
本願の別の任意的な例では、ネットワーク装置は、端末装置に、データチャネルにより占有されるPRBに含まれる送信要素に対応するアンテナポート及びM個の第１送信要素の番号を用いて、データチャネルを送信するために使用可能な特定送信要素を黙示的に示して良い。
【０１７３】
前述の記載から、データチャネルのアンテナポートがデータチャネルにより占有されるPRB内の送信要素に対応するアンテナポートを含み、送信要素が制御チャネルにより占有されない場合、送信要素はデータチャネルを送信するために使用可能であることが分かる。したがって、データチャネルを送信するために使用可能であり且つF個の送信要素の中にある少なくとも１つの第３送信要素が、送信要素に対応するアンテナポートを用いて決定されて良い。
【０１７４】
例えば、M個の第１送信要素の番号が２及び３を含み、データチャネルのアンテナポートはポート７であり、データチャネルにより占有されるPRB内のF個の送信要素の番号は０、１、及び４を含み、０と番号を付された送信要素に対応するアンテナポートもポート７であり、１と番号を付された送信要素に対応するアンテナポートはポート８である。番号０は番号３より小さいが、０と番号を付された送信要素及びデータチャネルが同じアンテナポートに対応し、具体的に言うと、０と番号を付された送信要素に対応するDMRSがデータチャネルと同じプリコーディング情報を伝達するので、０と番号を付された送信要素はデータチャネルを送信するために使用可能である。１と番号を付された送信要素に対応するアンテナポートは、データチャネルのアンテナポートと異なり、番号は３より小さい。したがって、送信要素１はデータチャネルを送信するために使用できない。番号４は番号３より大きいので、これは、４と番号を付された送信要素がデータチャネルを送信するために使用可能であることを示す。
【０１７５】
任意で、ネットワーク装置は、sPDSCHの位置するPRBに含まれる送信要素に、sPDSCHの送信をスケジューリングするために使用されるsPDCCHをマッピングする。任意で、端末装置がUL許可及びDL許可の両方を含む場合、ネットワーク装置は、sPDSCHの位置するPRBに含まれる送信要素に、それぞれUL許可及びDL許可に対応するsPDCCHをマッピングする。この方法では、sPDSCH及びsPDCCHは同じDMRSを共有して良く、それによりDMRSオーバヘッドを削減する。
【０１７６】
理解されるべきことに、スケジューリング処理において、以下の状況が生じ得る。端末装置１のスケジューリングされたsPDSCHの位置するPRB内の送信要素リソースが不十分である、又はスケジューリングされたsPDSCHの位置するPRBが送信要素を含まない、又はアップリンクデータ送信要求のみがあり、ダウンリンクデータ受信要求がない。
【０１７７】
任意で、ネットワーク装置は、第１端末装置のデータチャネル領域内の少なくとも１つの第４送信要素が、第２端末装置の第３制御チャネルを送信するために使用されると決定する。第１端末装置のデータチャネルに対応するアンテナポートは、第３制御チャネルに対応するアンテナポートと異なり、第１端末装置のデータチャネルのために１つの送信レイヤがある。言い換えると、DMRSのためのアンテナポートリソースは限られている。スケジューリング中、ネットワーク装置が端末装置の制御チャネルを別の端末装置のデータチャネル領域にスケジューリングする必要がある場合、ネットワーク装置は、望ましくは、端末装置の制御チャネルを、１つのデータ送信レイヤを有する端末装置のデータチャネル領域にスケジューリングする。
【０１７８】
例えば、ネットワーク装置は、端末装置１に対応するDL許可又はUL許可を、比較的小さい番号を有し且つ端末装置２のデータチャネルの位置するPRBに含まれる送信要素にマッピングする。したがって、端末装置１のsPDCCHと、端末装置２のsPDCCH及び／又はsPDSCHとは、同じPRBに位置して良い。言い換えると、端末装置１のDMRS及び端末装置２のDMRSは、同じPRBに位置して良い。DMRSのREオーバヘッドを削減するために、符号分割多重化が、端末装置１の且つsPDCCH復調のために使用されるDMRS、並びに端末装置２の且つsPDCCH及び／又はsPDSCH復調のために使用されるDMRSに対して実行されて良い。言い換えると、異なるアンテナポートが端末装置１のDMRS及び端末装置２のDMRSのために使用される。DMRSのアンテナポートリソースは限られているので、望ましくは、符号分割多重化が端末装置１のDMRS及び比較的少数のデータ送信レイヤを有する端末装置のDMRSに対して実行される。例えば、符号分割多重化は、望ましくは、端末装置１のDMRS及び１つのみのデータチャネルレイヤを送信する端末装置のDMRSに対して実行される。
【０１７９】
任意で、第１制御チャネルに対応するアンテナポートは、端末装置により、第１データチャネルに対応するアンテナポートを決定するために使用される。
【０１８０】
任意で、一例では、同じアンテナポートがデータチャネル及び第１制御チャネルのために使用されて良い。言い換えると、ネットワーク装置は、同じアンテナポートを第１制御チャネル及びデータチャネルのために構成する。例えば、第１制御チャネルに対応するアンテナポートがポート７である場合、データチャネルに対応するアンテナポートもポート７である。
【０１８１】
任意で、別の例では、データチャネルのアンテナポートは第１制御チャネルのアンテナポート及びランクに関連付けられる。アンテナのレイヤ（layer）数は、MIMOチャネル行列のランク（rank）、つまり独立仮想チャネルの数として定められる。例えば、第１制御チャネルに対応するアンテナポートがポート７であり、ランク=２であり、これは、データチャネルのために２個のアンテナポート：ポート７及びポート８が存在することを示す。ランク=１である場合、これは、データチャネルのために１つのアンテナポート、ポート７のみが存在することを示す。
【０１８２】
したがって、本発明の実施形態における方法では、データチャネルに対応するアンテナポートは、第１制御チャネルに対応するアンテナポートを用いて決定され、追加シグナリング指示が必要なく、シグナリングオーバヘッドが削減できる。
【０１８３】
留意すべきことに、第１制御チャネルに対応するアンテナポートがポート７であり、ランク=２であるとき、対応するアンテナポートがポート７及びポート８、又はポート７及びポート６であるかは、プロトコルの中で合意され又は別の方法で示されて良い。これは、本発明の実施形態において限定されない。
【０１８４】
任意で、端末装置がダウンリンクデータを受信する処理において、データチャネルが取得される前に、第１制御チャネルが先ず復調される必要がある。第１制御チャネルがDMRSを用いて復調される制御チャネルである場合、端末装置は、以下の２つの方法のうちの少なくとも１つで、第１制御チャネルを復調する際の効率を向上し得る。
【０１８５】
方法１。M個の第１送信要素は第１DMRSのシンボル内に位置付けられる。
【０１８６】
上述のように、異なる長さを有するsTTI内のsPDCCHのために同じ設計を用いて、ネットワーク装置により実行されるスケジューリング、及び端末装置により実行されるブラインド検出を実現する。同じsPDCCH設計は、短時間ドメイン長を有するsTTIに限定される。具体的に言うと、システムが２シンボルsTTIをサポートする場合、時間ドメインにおいてsPDCCHにより占有されるシンボルの数は、最も望ましくは２を超えない。したがって、任意で、第１制御チャネルを復調するために使用される第１DMRSがsTTI内で送信されるとき、第１制御チャネルを送信するために使用される送信要素は、第１DMRSにより占有されるシンボル内に位置付けられる。例えば、第１DMRSがシンボル５及びシンボル６内に位置付けられると仮定すると、シンボル５及びシンボル６を含むsTTI内の第１制御チャネルにより占有される送信要素は、シンボル６、シンボル６、又はシンボル５及びシンボル６内に位置付けられて良い。
【０１８７】
本発明の実施形態における方法では、第１送信要素は第１DMRSにより占有されるシンボル内に位置付けられ、異なるsTTI長における制御チャネル設計が統一され得るようにし、それにより、ネットワーク装置により実行されるスケジューリング及び端末装置により実行されるブラインド検出を実現する。
【０１８８】
さらに、第１DMRSが時間ドメインにおいて第１制御チャネルに近いとき、端末装置にとっては、第１制御チャネルを第１DMRSに基づき迅速に復調することが一層有益である。第１DMRSにより占有される時間ドメインリソースが、M個の第１送信要素に対応する時間ドメインリソースを含むとき（言い換えると、第１DMRSにより占有される時間ドメインリソースが、制御チャネルにより占有される時間ドメインリソースを含むとき）、端末装置は、第１DMRSを取得するとき、第１制御チャネルを取得でき、第１制御チャネルを第１DMRSに基づき効率的に復調する。特に、sTTI長が７シンボルであるとき、本方法は、端末装置の処理待ち時間を明らかに削減できる。
【０１８９】
留意すべきことに、M個の第１送信要素が第１DMRSのシンボル内に位置付けられることは、少なくとも以下の２つの場合を含み得る。
【０１９０】
ケース（１）。M個の第１送信要素（又は第１制御チャネル）に対応する時間ドメインリソース、及び第１DMRSにより占有される時間ドメインリソースが同じであり、周波数ドメインリソースが異なる。例えば、M個の第１送信要素及び第１DMRSは、全て、sTTI（又はTTI）内の最初のシンボル又は最初の２個のシンボルに位置付けられるが、M個の第１送信要素及び第１DMRSは異なるREを占有する。
【０１９１】
ケース（２）。M個の第１送信要素に対応する時間ドメインリソースは、第１DMRSにより占有される時間ドメインリソースのサブセットである。例えば、M個の第１送信要素はsTTI（又はTTI）内の最初のシンボルに位置付けられ、第１DMRSはsTTI（又はTTI）内の最初の２個のシンボルに位置付けられる。
【０１９２】
したがって、本発明の実施形態における方法では、端末装置により第１DMRSに基づき第１制御チャネルを復調する際の効率が更に向上できる。
【０１９３】
方法２。第１制御チャネルは、複数のDMRSに基づき復調される。
【０１９４】
具体的に、ネットワーク装置は、第１制御チャネルを送信する前に、第２制御チャネルを送信して良い。第１制御チャネル及び第２制御チャネルが同じPRBに位置付けられ、両方ともDMRSに基づき復調される制御チャネルであり、及び同じ端末装置へ送信される場合、ネットワーク装置は、第１制御チャネル及び第２制御チャネルを、同じアンテナポート及び同じプリコーディングを用いて送信して良く、端末装置は、第１制御チャネルを第２制御チャネルの第２DMRS及び第１制御チャネルのDMRSに基づき復調し、それにより、DMRSに基づくチャネル推定の性能を向上し、更に端末装置が第１制御チャネルを復調する成功確率を向上する。
【０１９５】
例えば、ネットワーク装置は、先ず、第２制御チャネルを端末装置へ送信し、次に、第１制御チャネルを送信する。２つの制御チャネルのために使用される周波数リソースが同じ場合、ネットワーク装置は、第２制御チャネル及び第１制御チャネルを、同じアンテナポート及び同じプリコーディングを用いて送信して、端末装置が、第１制御チャネルを、第２制御チャネルの第２DMRS及び第１制御チャネルの第１DMRSを用いて一緒に復調できるようにする。
【０１９６】
留意すべきことに、端末装置は、ネットワーク装置により許可されているときのみ、前述の仮定を行うことができる。任意で、ネットワーク装置は、端末装置のために、同じ周波数内の且つ同じアンテナポート上の２以上の連続DMRSが同じプリコーディングを使用すると仮定できるか否かを示すために使用されるシグナリングを構成する。
【０１９７】
別の例では、チャネル送信処理において、端末装置が同じ周波数ドメイン位置内にあるサブフレーム内で２個のsTTI（又は時間ドメインにおいて互いにあまり遠く離れていない２個のsTTI）を受信し、制御チャネル（及び／又はデータチャネル）が２個のsTTI内で同じアンテナポートを用いて送信された場合、ネットワーク装置により許可されているとき、端末装置は、２個のsTTI内のアンテナポートが同じプリコーディングを使用すると仮定して良く、端末装置は、チャネル推定を、現在の制御チャネル（及び／又はデータチャネル）に対して一緒に、前のsTTI内のDMRS及び現在のsTTI内のDMRSを用いて実行して良い。
【０１９８】
留意すべきことに、本発明の実施形態における方法では、第１制御チャネルはDL許可又はUL許可であって良く、第２制御チャネルもDL許可又はUL許可であって良い。
【０１９９】
本発明の実施形態における方法では、端末装置は、チャネル推定を、時間ドメインで異なる位置にある２個のDMRSを用いて一緒に実行して、チャネル推定性能が向上され得るようにする。
【０２００】
留意すべきことに、本発明の実施形態の中の種々の実施形態が互いに排他的でない場合、それらへの相互参照が行われて良い。
【０２０１】
以上は、図１〜図７を参照して本発明の実施形態における制御チャネル送信方法を記載した。以下は、図８〜図１１を参照して本発明の実施形態における端末装置及びネットワーク装置を記載する。
【０２０２】
図８は、本発明の一実施形態によるネットワーク装置の一例の概略ブロック図である。図８に示されるように、ネットワーク装置３００は以下を含む：
第１制御チャネルをM個の連続番号を付された第１送信要素にマッピングするよう構成される処理モジュール３１０であって、第１制御チャネルはデータチャネルをスケジューリングするために使用され、M≧１である、処理モジュール３１０、及び、
第１制御チャネルを端末装置へ送信するよう構成される送信モジュール３２０。
【０２０３】
任意で、処理モジュール３１０は具体的に、第１制御チャネルが、先ず、M個の第１送信要素の中で最大番号を有する送信要素にマッピングされる順序で、第１制御チャネルをM個の連続番号を付された第１送信要素にマッピングするよう構成される。
【０２０４】
任意で、M個の第１送信要素の各々は、リソースエレメントREのT個のグループを含み、処理モジュール３１０は、具体的に、第１制御チャネルをマッピングするとき、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される。
【０２０５】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２０６】
任意で、データチャネルに対応するリソースにより占有される物理リソースブロックPRBは、番号がｋより小さい少なくとも１つの送信要素を含み、番号がｋである第１送信要素を含まない。
【０２０７】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２０８】
任意で、送信モジュール３２０は、第１DMRSを端末装置へ送信するよう更に構成される。第１DMRSは、第１制御チャネルを復調するために使用される。
【０２０９】
任意で、M個の第１送信要素は第１DMRSにより占有されるシンボル内に位置付けられる。
【０２１０】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２１１】
任意で、第１制御チャネルを端末装置へ送信する前に、送信モジュール３２０は、端末装置へ、第２制御チャネルと、第２制御チャネルを復調するために使用される第２ＤMＲＳと、を送信し、第１制御チャネル及び第２制御チャネルのために同じアンテナポート及び同じプリコーディングが使用されて、端末装置が第１制御チャネルを第２ＤMＲＳ及び第１ＤMＲＳに基づき復調するようにする、よう更に構成される。
【０２１２】
理解されるべきことに、ネットワーク装置３００は、ここで、機能モジュールの形式で表される。用語「モジュール」は、ここで、特定用途向け集積回路（application−specific  integrated  circuit、ASIC）、電子回路、１又は複数のソフトウェア若しくはファームウェアプログラムを実行するよう構成されるプロセッサ（例えば、共有プロセッサ、専用プロセッサ、又はグループプロセッサ）及びメモリ、組み合わせ論理回路、及び／又は専用機能をサポートする別の適切なコンポーネントであって良い。任意的な例では、当業者は、ネットワーク装置３００が、具体的に、前述の実施形態の通信方法におけるネットワーク装置であって良く、ネットワーク装置３００が、方法の実施形態におけるネットワーク装置に対応する手順及び／又はステップを実行するよう構成されて良いことを理解し得る。繰り返しを回避するために、詳細はここに再び記載されない。
【０２１３】
図９は、本発明の一実施形態による端末装置の一例の概略ブロック図である。図９に示すように、端末装置４００は以下を含む：
ネットワーク装置により送信された第１制御チャネルを受信するよう構成される通信モジュール４１０であって、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である、通信モジュール４１０。
【０２１４】
通信モジュール４１０は、データチャネルを第１制御チャネルに基づき受信する、又はデータチャネルを第１制御チャネルに基づき送信するよう更に構成される。
【０２１５】
留意すべきことに、本発明の本実施形態における通信モジュール４１０は、通信機モジュールに対応して良い。言い換えると、通信モジュールは、信号を受信し及び送信するよう構成されて良い。さらに、通信モジュール４１０は、エンティティ機器内の通信機に対応して良い。
【０２１６】
任意で、第１制御チャネルをM個の連続番号を付された第１送信要素にマッピングする順序は、先ず、第１制御チャネルを、M個の第１送信要素の中で最大番号を有する送信要素にマッピングする。
【０２１７】
任意で、M個の第１送信要素の各々は、リソースエレメントREのT個のグループを含み、第１制御チャネルをM個の連続番号を付された第１送信要素にマッピングするマッピング方法は、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である。
【０２１８】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２１９】
任意で、データチャネルに対応するリソースにより占有される物理リソースブロックPRBは、番号がｋより小さい少なくとも１つの送信要素を含み、番号がｋである第１送信要素を含まない。
【０２２０】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２２１】
任意で、通信モジュール４１０は、ネットワーク装置により送信された第１DMRSを受信するよう更に構成される。第１DMRSは、第１制御チャネルを復調するために使用される。
【０２２２】
任意で、M個の第１送信要素は第１DMRSにより占有されるシンボル内に位置付けられる。
【０２２３】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２２４】
任意で、通信モジュール４１０が第１制御チャネルを受信する前に、通信モジュール４１０は、ネットワーク装置により送信された第２制御チャネルと第２制御チャネルを復調するために使用される第２DMRSと、受信するよう更に構成される。同じアンテナポート及び同じプリコーディングが、第１制御チャネル及び第２制御チャネルのために使用される。端末装置４００は、第１制御チャネルを第２DMRS及び第１DMRSに基づき復調するよう構成される処理モジュールを更に含む。
【０２２５】
理解されるべきことに、端末装置４００は、ここで、機能モジュールの形式で表される。用語「モジュール」は、ここで、特定用途向け集積回路（application−specific  integrated  circuit、ASIC）、電子回路、１又は複数のソフトウェア若しくはファームウェアプログラムを実行するよう構成されるプロセッサ（例えば、共有プロセッサ、専用プロセッサ、又はグループプロセッサ）及びメモリ、組み合わせ論理回路、及び／又は専用機能をサポートする別の適切なコンポーネントであって良い。任意的な例では、当業者は、端末装置４００が、具体的に、前述の実施形態の通信方法における端末装置であって良く、端末装置４００が、方法の実施形態における端末装置に対応する手順及び／又はステップを実行するよう構成されて良いことを理解し得る。繰り返しを回避するために、詳細はここに再び記載されない。
【０２２６】
図１０は、本発明の一実施形態によるネットワーク装置５００の別の例の概略ブロック図である。図１０に示すように、ネットワーク装置５００は、通信機５１０、メモリ５２０、及びプロセッサ５３０を含む。メモリ５２０は、プログラム命令を格納するよう構成される。プロセッサ５３０は、メモリ５２０に格納されたプログラム命令を呼び出して良い。プロセッサ５３０は、情報を受信し又は送信するよう通信機５１０を制御して良い。任意で、ネットワーク装置５００は、プロセッサ５３０、メモリ５２０、及び通信機５１０を相互接続するバスシステム５４０を更に含む。
【０２２７】
プロセッサ５３０は、第１制御チャネルをM個の連続番号を付された第１送信要素にマッピングするよう構成され、第１制御チャネルはデータチャネルをスケジューリングするために使用され、M≧１である。
【０２２８】
通信機５１０は、第１制御チャネルを端末装置へ送信するよう構成される。
【０２２９】
任意で、処理モジュール５３０は具体的に、第１制御チャネルが、先ず、M個の第１送信要素の中で最大番号を有する送信要素にマッピングされる順序で、第１制御チャネルをM個の連続番号を付された第１送信要素にマッピングするよう構成される。
【０２３０】
任意で、M個の第１送信要素の各々は、リソースエレメントREのT個のグループを含み、プロセッサ５３０は、具体的に、第１制御チャネルをマッピングするとき、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される。
【０２３１】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２３２】
任意で、データチャネルに対応するリソースにより占有される物理リソースブロックPRBは、番号がｋより小さい少なくとも１つの送信要素を含み、番号がｋである第１送信要素を含まない。
【０２３３】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２３４】
任意で、通信機５１０は、第１DMRSを端末装置へ送信するよう更に構成される。第１DMRSは、第１制御チャネルを復調するために使用される。
【０２３５】
任意で、M個の第１送信要素は第１DMRSにより占有されるシンボル内に位置付けられる。
【０２３６】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２３７】
任意で、通信機５１０が第１制御チャネルを端末装置へ送信する前に、通信機５１０は、端末装置へ、第２制御チャネルと、第２制御チャネルを復調するために使用される第２ＤMＲＳと、を送信し、第１制御チャネル及び第２制御チャネルのために同じアンテナポート及び同じプリコーディングが使用されて、端末装置が第１制御チャネルを第２ＤMＲＳ及び第１ＤMＲＳに基づき復調するようにする、よう更に構成される。
【０２３８】
理解されるべきことに、ネットワーク装置５００は、具体的に前述の実施形態におけるネットワーク装置であって良く、方法の実施形態におけるネットワーク装置に対応するステップ及び／又は手順を実行するよう構成されて良い。任意で、メモリ５２０は、読み出し専用メモリ及びランダムアクセスメモリを含み、プロセッサに命令及びデータを提供して良い。メモリの一部は、不揮発性ランダムアクセスメモリを更に含んで良い。例えば、メモリは装置種別情報を更に格納して良い。プロセッサ５３０は、メモリに格納された命令を実行するよう構成されて良く、プロセッサが命令を実行すると、プロセッサは、方法の実施形態におけるネットワーク装置に対応するステップを実行して良い。
【０２３９】
図１１は、本発明の一実施形態による端末装置の別の例の概略ブロック図である。図１１に示すように、端末装置６００は、通信機６１０、メモリ６２０、及びプロセッサ６３０を含む。メモリ６２０は、プログラム命令を格納するよう構成される。プロセッサ６３０は、メモリ６２０に格納されたプログラム命令を呼び出して良い。プロセッサ６３０は、情報を受信し又は送信するよう通信機６１０を制御して良い。任意で、端末装置６００は、プロセッサ６３０、メモリ６２０、及び通信機６１０を相互接続するバスシステム６４０を更に含む。プロセッサ６３０は、通信機６１０を、ネットワーク装置により送信された第１制御チャネルを受信するよう制御するよう構成され、第１制御チャネルはM個の連続番号を付された第１送信要素にマッピングされ、第１制御チャネルはデータチャネルをスケジューリングするために使用され、送信要素は、制御チャネルを送信するために使用される最小単位であり、M≧１である。
【０２４０】
プロセッサは、通信機を、データチャネルを第１制御チャネルに基づき受信する、又はデータチャネルを第１制御チャネルに基づき送信するよう制御するよう更に構成される。
【０２４１】
任意で、第１制御チャネルをM個の連続番号を付された第１送信要素にマッピングする順序は、先ず、第１制御チャネルを、M個の第１送信要素の中で最大番号を有する送信要素にマッピングする。
【０２４２】
任意で、M個の第１送信要素の各々は、リソースエレメントREのT個のグループを含み、第１制御チャネルをM個の連続番号を付された第１送信要素にマッピングするマッピング方法は、先ず、M個の第１送信要素の各々の中のREのｉ番目のグループを占有し、次に、各第１送信要素の中のREの（ｉ＋１）番目のグループを占有し、T≧２、及びｉの値は１からTまでの範囲である。
【０２４３】
任意で、データチャネルはダウンリンクデータチャネルである。M個の連続番号を付された第１送信要素の最大番号はkであり、データチャネルに対応するリソースは少なくとも１つの第２送信要素を含み、該少なくとも１つの第２送信要素の各々に対応する番号はkより大きい。
【０２４４】
任意で、データチャネルに対応するリソースにより占有される物理リソースブロックPRBは、番号がｋより小さい少なくとも１つの送信要素を含み、番号がｋである第１送信要素を含まない。
【０２４５】
任意で、M個の第１送信要素の各々は、N個のPRB上に位置付けられ、N≧２であり、N個のPRBのうちの少なくとも２個のPRB上のM個の第１送信要素のうちの少なくとも１つの位置は異なる。
【０２４６】
任意で、通信モジュール６１０は、ネットワーク装置により送信された第１DMRSを受信するよう更に構成される。第１DMRSは、第１制御チャネルを復調するために使用される。
【０２４７】
任意で、M個の第１送信要素は第１DMRSにより占有されるシンボル内に位置付けられる。
【０２４８】
任意で、データチャネルはダウンリンクデータチャネルである。データチャネルに対応するリソースは、少なくとも１つの第３送信要素を含み、データチャネルに対応するアンテナポートは、少なくとも１つの第３送信要素の各々に対応するアンテナポートを含む。
【０２４９】
任意で、通信機６１０が第１制御チャネルを受信する前に、通信機６１０は、ネットワーク装置により送信された第２制御チャネルと第２制御チャネルを復調するために使用される第２DMRSと、受信するよう更に構成される。同じアンテナポート及び同じプリコーディングが、第１制御チャネル及び第２制御チャネルのために使用される。プロセッサ６３０は、第１制御チャネルを第２DMRS及び第１DMRSに基づき復調するよう構成される。
【０２５０】
理解されるべきことに、端末装置６００は、具体的に前述の実施形態における端末装置であって良く、方法の実施形態における端末装置に対応するステップ及び／又は手順を実行するよう構成されて良い。任意で、メモリ６２０は、読み出し専用メモリ及びランダムアクセスメモリを含み、プロセッサに命令及びデータを提供して良い。メモリの一部は、不揮発性ランダムアクセスメモリを更に含んで良い。例えば、メモリは装置種別情報を更に格納して良い。プロセッサ６３０は、メモリに格納された命令を実行するよう構成されて良く、プロセッサが命令を実行すると、プロセッサは、方法の実施形態における端末装置に対応するステップを実行して良い。
【０２５１】
本発明の本実施形態では、プロセッサは、中央処理ユニット（英語：central  processing  unit、CPU）、ネットワークプロセッサ（network  processor、NP）、又はCPUとNPとの組合せであって良い。プロセッサは、ハードウェアチップを更に含んで良い。ハードウェアチップは、特定用途向け集積回路（application−specific  integrated  circuit、ASIC）、プログラマブル論理素子（英語：programmable  logic  device、PLD）、又はそれらの組合せであって良い。PLDは、複合プログラマブル論理素子（complex  programmable  logic  device、略称：CPLD）、フィールドプログラマブルゲートアレイ（field−programmable  gate  array、FPGA）、汎用アレイロジック（generic  array  logic、GAL）、又はそれらの組合せであって良い。
【０２５２】
通信機は、モバイル端末装置と別の装置又は通信ネットワークとの間の通信を実施可能である。
【０２５３】
メモリは、読み出し専用メモリ及びランダムアクセスメモリを含み、プロセッサに命令及びデータを提供して良い。プロセッサの一部は、不揮発性ランダムアクセスメモリを更に含んで良い。例えば、プロセッサは装置種別情報を更に格納して良い。
【０２５４】
データバスに加えて、バスシステムは、電力バス、制御バス、状態信号バス、等を含んで良い。提示の容易さのために、１本の太線のみが図中でバスを提示するのために使用されるが、これは１本のバス又は１種類のバスみのが存在することを意味するものではない。
【０２５５】
理解されるべきことに、本発明の実施形態では、「Ａに対応するＢ」は、ＢがＡに関連付けられること、及びＢがＡに従い決定されて良いこと、を示す。しかしながら、更に理解されるべきことに、Ａに基づきＢを決定することはＢがＡのみに基づき決定されることを意味しない。ＢはＡ及び／又は他の情報に基づいて決定されても良い。本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０２５６】
更に理解されるべきことに、前述の処理のシーケンス番号は、本発明の種々の実施形態において実行順を意味しない。処理の実行順序は、機能及び処理の内部ロジックに基づき決定されるべきであり、本発明の実施形態の実装過程に対する制限として考えられるべきではない。
【０２５７】
当業者は、本願明細書に開示の実施形態を参照して記載された例におけるユニット及びアルゴリズムのステップが、電子ハードウェア又はコンピュータソフトウェア及び電子ハードウェアの組み合わせにより実施され得ることを認識し得る。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０２５８】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０２５９】
本願において提供される幾つかの実施形態では、開示のシステム、機器、及び方法は他の方法で実装されて良いことが理解されるべきである。例えば、記載した機器の実施形態は単なる例である。例えば、ユニットの分割は、単なる論理的機能の分割であり、実際の実装では他の分割であって良い。例えば、複数のユニット又はコンポーネントは、別のシステムに結合又は統合されて良い。或いは、幾つかの機能は無視されるか又は実行されなくて良い。追加で、示された又は議論された相互結合、又は直接結合、又は通信接続は、幾つかのインタフェース、機器又はユニット間の間接結合又は通信接続であって良く、又は電気的、機械的、又は他の形式で実装されて良い。
【０２６０】
別個の部分として記載されたユニットは、物理的に別個であって良く、又はそうでなくて良い。ユニットとして示される部分は、物理的ユニットであって良く又はそうでなくて良く、１つの位置に置かれ又は複数のネットワークユニットに分散されて良い。一部又は全部のユニットは、実施形態のソリューションの目的を達成するために実際の要件に依存して選択されて良い。
【０２６１】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０２６２】
本願の文書の簡潔さ及び明確さのために、実施形態のうちの１つにおける技術的特徴及び記載が他の実施形態に適用可能であることが理解され得る。例えば、ある方法の実施形態の技術的特徴は、機器又は別の方法の実施形態に適用可能であり、詳細は他の実施形態で再び記載されない。
【０２６３】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェアプロダクトは、記憶媒体に格納され、コンピュータ装置（パーソナルコンピュータ、サーバ、ネットワーク装置、等であって良い）に、本発明の実施形態で記載された方法のステップの全部又は一部を実行するよう指示する複数の命令を含む。前述の記憶媒体は、USBフラッシュディスク、取り外し可能ハードディスク、読み出し専用メモリ（ROM、read−only  memory）、ランダムアクセスメモリ（RAM、random  access  memory）、磁気ディスク又は光ディスクのような、プログラムコードを格納可能な任意の媒体を有する。
【０２６４】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。したがって、本発明の保護範囲は、請求項の保護範囲に従う。
【手続補正２】
【補正対象書類名】特許請求の範囲
【補正対象項目名】全文
【補正方法】変更
【補正の内容】
【特許請求の範囲】
【請求項１】
制御チャネル送信方法であって、前記方法は、
第１制御チャネルをM個の連続番号を付された第１送信要素にマッピングするステップであって、前記第１制御チャネルはデータチャネルをスケジューリングするために使用され、送信要素は、制御チャネルを送信するために使用される最小単位であり、M≧１である、ステップと、
前記第１制御チャネルを端末装置へ送信するステップと、
を含む方法。
【請求項２】
前記第１制御チャネルをM個の連続番号を付された第１送信要素にマッピングする前記ステップは、
前記第１制御チャネルが前記M個の第１送信要素の中の最大番号を有する送信要素に最初にマッピングされる順序で、前記第１制御チャネルを前記M個の連続番号を付された第１送信要素にマッピングするステップ、を含む、
請求項１に記載の方法。
【請求項３】
前記M個の第１送信要素の各々は、リソースエレメント（RE）のT個のグループを含み、第１制御チャネルをM個の第１送信要素にマッピングする前記ステップは、
前記第１送信要素をマッピングするとき、先ず、前記M個の第１送信要素の各々の中のREのｉ番目のグループを占有し、次に、各第１送信要素の中のREの（ｉ＋１）番目のグループを占有するステップであって、T≧２、及びｉの値は１からTまでの範囲である、ステップ、を含む、
請求項１又は２に記載の方法。
【請求項４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項１乃至３のいずれか一項に記載の方法。
【請求項５】
前記データチャネルに対応するリソースにより占有される物理リソースブロック（PRB）は、番号がｋより小さい少なくとも１つの送信要素を含み、番号がｋである前記第１送信要素を含まない、請求項４に記載の方法。
【請求項６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項１乃至５のいずれか一項に記載の方法。
【請求項７】
前記方法は、
第１復調参照信号（DMRS）を前記端末装置へ送信するステップであって、前記第１DMRSは前記第１制御チャネルを復調するために使用される、ステップ、
を更に含む請求項１乃至６のいずれか一項に記載の方法。
【請求項８】
前記M個の第１送信要素は、前記第１DMRSにより占有されるシンボルに位置付けられる、請求項７に記載の方法。
【請求項９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項７又は８に記載の方法。
【請求項１０】
前記第１制御チャネルを前記端末装置へ送信するステップの前に、前記方法は、
前記端末装置へ、第２制御チャネルと、前記第２制御チャネルを復調するために使用される第２DMRSと、を送信するステップであって、前記第１制御チャネル及び前記第２制御チャネルのために同じアンテナポート及び同じプリコーディングが使用されて、前記端末装置が前記第１制御チャネルを前記第２DMRS及び前記第１DMRSに基づき復調するようにする、ステップ、
を更に含む請求項７乃至９のいずれか一項に記載の方法。
【請求項１１】
制御チャネル送信方法であって、前記方法は、
ネットワーク装置から第１制御チャネルを受信するステップであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、ステップと、
前記第１制御チャネルに基づき前記データチャネルを受信する又は送信するステップと、
を含む方法。
【請求項１２】
前記第１制御チャネルを前記M個の連続番号を付された第１送信要素にマッピングする順序は、先ず、前記第１制御チャネルを、前記M個の第１送信要素の中で最大番号を有する送信要素にマッピングする、請求項１１に記載の方法。
【請求項１３】
前記M個の第１送信要素の各々は、リソースエレメント（RE）のT個のグループを含み、前記第１制御チャネルを前記M個の連続番号を付された第１送信要素にマッピングするマッピング方法は、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、
請求項１１又は１２に記載の方法。
【請求項１４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項１１乃至１３のいずれか一項に記載の方法。
【請求項１５】
前記データチャネルに対応するリソースにより占有される物理リソースブロック（PRB）は、番号がｋより小さい少なくとも１つの送信要素を含み、番号がｋである前記第１送信要素を含まない、請求項１４に記載の方法。
【請求項１６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項１１乃至１５のいずれか一項に記載の方法。
【請求項１７】
前記方法は、
前記ネットワーク装置から第１復調参照信号（DMRS）を受信するステップであって、前記第１DMRSは前記第１制御チャネルを復調するために使用される、ステップ、
を更に含む請求項１１乃至１６のいずれか一項に記載の方法。
【請求項１８】
前記M個の第１送信要素は、前記第１DMRSにより占有されるシンボルに位置付けられる、請求項１７に記載の方法。
【請求項１９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項１７又は１８に記載の方法。
【請求項２０】
ネットワーク装置から第１制御チャネルを受信するステップの前に、前記方法は、
前記ネットワーク装置から、第２制御チャネルと、前記第２制御チャネルを復調するために使用される第２DMRSと、を受信するステップであって、前記第１制御チャネル及び前記第２制御チャネルのために同じアンテナポート及び同じプリコーディングが使用される、ステップ、
を更に含み、
ネットワーク装置から第１制御チャネルを受信する前記ステップは、
前記第１制御チャネルを前記第２DMRS及び前記第１DMRSに基づき復調するステップを含む、
請求項１７乃至１９のいずれか一項に記載の方法。
【請求項２１】
装置であって、前記装置は、
第１制御チャネルをM個の連続番号を付された第１送信要素にマッピングするよう構成される処理モジュールであって、送信要素は制御チャネルを送信するために使用される最小単位であり、前記第１制御チャネルはデータチャネルをスケジューリングするために使用され、M≧１である、処理モジュールと、
前記第１制御チャネルを端末装置へ送信するよう構成される送信モジュールと、
を含む装置。
【請求項２２】
前記処理モジュールは具体的に、前記第１制御チャネルが、先ず、前記M個の第１送信要素の中で最大番号を有する送信要素にマッピングされる順序で、前記第１制御チャネルを前記M個の連続番号を付された第１送信要素にマッピングするよう構成される、請求項２１に記載の装置。
【請求項２３】
前記M個の第１送信要素の各々は、リソースエレメント（RE）のT個のグループを含み、
前記処理モジュールは、具体的に、前記第１制御チャネルをマッピングするとき、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、よう構成される、
請求項２１又は２２に記載の装置。
【請求項２４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項２１乃至２３のいずれか一項に記載の装置。
【請求項２５】
前記データチャネルに対応するリソースにより占有される物理リソースブロック（PRB）は、番号がｋより小さい少なくとも１つの送信要素を含み、番号がｋである前記第１送信要素を含まない、請求項２４に記載の装置。
【請求項２６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項２１乃至２５のいずれか一項に記載の装置。
【請求項２７】
前記送信モジュールは、第１復調参照信号（DMRS）を前記端末装置へ送信し、前記第１DMRSは前記第１制御チャネルを復調するために使用される、よう更に構成される、請求項２１乃至２６のいずれか一項に記載の装置。
【請求項２８】
前記M個の第１送信要素は、前記第１DMRSにより占有されるシンボルに位置付けられる、請求項２７に記載の装置。
【請求項２９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項２７又は２８に記載の装置。
【請求項３０】
前記第１制御チャネルを前記端末装置へ送信する前に、
前記送信モジュールは、前記端末装置へ、第２制御チャネルと、前記第２制御チャネルを復調するために使用される第２DMRSと、を送信し、前記第１制御チャネル及び前記第２制御チャネルのために同じアンテナポート及び同じプリコーディングが使用されて、前記端末装置が前記第１制御チャネルを前記第２DMRS及び前記第１DMRSに基づき復調するようにする、よう更に構成される、請求項２７乃至２９のいずれか一項に記載の装置。
【請求項３１】
装置であって、前記装置は、
ネットワーク装置から第１制御チャネルを受信するよう構成される通信モジュールであって、前記第１制御チャネルはM個の連続番号を付された第１送信要素にマッピングされ、前記第１制御チャネルはデータチャネルをスケジューリングするために使用され、送信要素は、制御チャネルを送信するために使用される最小単位であり、M≧１である、通信モジュール、を含み、
前記通信モジュールは、前記第１制御チャネルに基づき前記データチャネルを受信する又は前記第１制御チャネルに基づき前記データチャネルを送信するよう更に構成される、装置。
【請求項３２】
前記第１制御チャネルを前記M個の連続番号を付された第１送信要素にマッピングする順序は、先ず、前記第１制御チャネルを、前記M個の第１送信要素の中で最大番号を有する送信要素にマッピングする、請求項３１に記載の装置。
【請求項３３】
前記M個の第１送信要素の各々は、リソースエレメント（RE）のT個のグループを含み、前記第１制御チャネルを前記M個の連続番号を付された第１送信要素にマッピングするマッピング方法は、先ず、前記M個の第１送信要素の各々の中のREのｉ番目のグループを占有し、次に、各第１送信要素の中のREの（ｉ＋１）番目のグループを占有し、T≧２、及びｉの値は１からTまでの範囲である、
請求項３１又は３２に記載の装置。
【請求項３４】
前記データチャネルは、ダウンリンクデータチャネルであり、
前記M個の連続番号を付された第１送信要素の最大番号はｋであり、前記データチャネルに対応するリソースは少なくとも１つの第２送信要素を含み、前記少なくとも１つの第２送信要素の各々に対応する番号はｋより大きい、
請求項３１乃至３３のいずれか一項に記載の装置。
【請求項３５】
前記データチャネルに対応するリソースにより占有される物理リソースブロック（PRB）は、番号がｋより小さい少なくとも１つの送信要素を含み、番号がｋである前記第１送信要素を含まない、請求項３４に記載の装置。
【請求項３６】
前記M個の第１送信要素の各々は、N個のPRB上に位置付けられ、N≧２であり、前記N個のPRBのうちの少なくとも２個のPRB上の前記M個の第１送信要素のうちの少なくとも１つの位置は異なる、請求項３１乃至３５のいずれか一項に記載の装置。
【請求項３７】
前記通信モジュールは、前記ネットワーク装置から第１復調参照信号（DMRS）を受信し、前記第１DMRSは前記第１制御チャネルを復調するために使用される、よう更に構成される、請求項３１乃至３６のいずれか一項に記載の装置。
【請求項３８】
前記M個の第１送信要素は、前記第１DMRSにより占有されるシンボルに位置付けられる、請求項３７に記載の装置。
【請求項３９】
前記データチャネルはダウンリンクデータチャネルであり、
前記データチャネルに対応するリソースは、少なくとも１つの第３送信要素を含み、前記データチャネルに対応するアンテナポートは、前記少なくとも１つの第３送信要素の各々に対応するアンテナポートを含む、
請求項３７又は３８に記載の装置。
【請求項４０】
前記通信モジュールが前記第１制御チャネルを受信する前に、
前記通信モジュールは、前記ネットワーク装置から、第２制御チャネルと、前記第２制御チャネルを復調するために使用される第２DMRSと、を受信し、前記第１制御チャネル及び前記第２制御チャネルのために同じアンテナポート及び同じプリコーディングが使用される、よう更に構成され、
前記装置は、前記第１制御チャネルを前記第２DMRS及び前記第１DMRSに基づき復調するよう構成される処理モジュールを更に含む、請求項３７乃至３９のいずれか一項に記載の装置。
【請求項４１】
通請求項２１乃至３０のいずれか一項に記載の装置と、請求項３１乃至４０のいずれか一項に記載の装置と、を含む通信システム。
【請求項４２】
命令を含む非一時的コンピュータ可読記憶媒体であって、前記命令が実行されると、請求項１乃至２０のいずれか一項に記載の方法のステップが実行される、非一時的コンピュータ可読記憶媒体。
【手続補正３】
【補正対象書類名】図面
【補正対象項目名】図１０
【補正方法】変更
【補正の内容】
【図１０】
2019534630.tif 000018
【手続補正４】
【補正対象書類名】図面
【補正対象項目名】図１１
【補正方法】変更
【補正の内容】
【図１１】
2019534630.tif 000019
【国際調査報告】
2019534630.tif 000020
2019534630.tif 000021
2019534630.tif 000022
2019534630.tif 000023